(57)【要約】本出願は、ワイヤレス通信技術の分野に関するものであり、具体的には、システムメッセージ伝送の装置、方法、およびシステムに関係し、長い不連続受信ＤＲＸサイクルを有する端末デバイスのシステムメッセージ更新問題を解決するようにする。本出願は、端末デバイスを提供し、第１のシステムメッセージを受信するように構成される受信モジュールと、処理モジュールであって、第１のシステムメッセージから第１の指示情報を取得し、取得された第１の指示情報に従って第１のシステムメッセージ以外のシステムメッセージを更新するように構成される、処理モジュールとを備え、第１のシステムメッセージは、周期的に送信され、固定された物理リソースロケーションを占有する。第１の指示情報は、ページングメッセージの代わりに第１のシステムメッセージで送信される。第１のシステムメッセージは、周期的に送信され、固定された物理リソースロケーションを占有するので、端末デバイスは、指示情報に従って第１のシステムメッセージ以外のシステムメッセージを更新でき、それによってすべてのシステムメッセージを更新する。
2019500770.tif 000002
【特許請求の範囲】
【請求項１】
端末デバイスであって、
前記端末デバイスが配置されるセルの第１のシステムメッセージを受信するように構成される受信モジュールと、
処理モジュールであって、前記受信モジュールによって受信された前記第１のシステムメッセージから第１の指示情報を取得し、ここで前記第１の指示情報は、前記第１のシステムメッセージ以外のシステムメッセージを更新するために使用される情報を備えるものであり、前記取得された第１の指示情報に従って前記第１のシステムメッセージ以外の前記システムメッセージを更新するように構成される、処理モジュールとを備え、
前記第１のシステムメッセージは、周期的に送信され、固定された物理リソースロケーションを占有する、端末デバイス。
【請求項２】
前記処理モジュールによって更新される前記第１のシステムメッセージ以外の前記システムメッセージは、第２のシステムメッセージおよび少なくとも２つの第３のシステムメッセージを備え、前記少なくとも２つの第３のシステムメッセージは、少なくとも１つの通常の第３のシステムメッセージおよび少なくとも１つのアクティベーション関係の第３のシステムメッセージを備え、
前記第２のシステムメッセージは、前記少なくとも２つの第３のシステムメッセージのスケジューリング情報を備え、
前記アクティベーション関係の第３のシステムメッセージは、前記セルの特定の機能がアクティベートされたときに前記セル内の前記端末デバイスによって取得される必要があるシステムメッセージを備え、前記通常の第３のシステムメッセージは、前記アクティベーション関係の第３のシステムメッセージ以外の前記少なくとも２つの第３のシステムメッセージにおける第３のシステムメッセージである請求項１に記載の端末デバイス。
【請求項３】
前記処理モジュールは、
前記第１の指示情報が第２の指示情報を備え、前記第２の指示情報は、前記セル内で現在使用される前記第２のシステムメッセージと前記少なくとも１つの通常の第３のシステムメッセージとの組合せの構成バージョンを示すために使用され、１つのシステムメッセージ更新周期において、前記第２のシステムメッセージおよび前記少なくとも１つの通常の第３のシステムメッセージにおけるいずれか１つまたは複数のシステムメッセージについての更新について、前記構成バージョンが１回変わるときに、
前記第２の指示情報によって示される前記構成バージョンが、前記端末デバイスによって記録された前記構成バージョンと異なる場合に、前記第２のシステムメッセージを更新し、または
前記第２の指示情報によって示される前記構成バージョンが、前記端末デバイスによって記録された前記構成バージョンと同じである場合に、前記第２のシステムメッセージが更新される必要はないと決定する、ように構成される請求項２に記載の端末デバイス。
【請求項４】
前記処理モジュールは、
前記第２のシステムメッセージが、少なくとも１つの第３の指示情報を備え、１つの第３の指示情報が、１つの通常の第３のシステムメッセージに対応しており、前記対応する通常の第３のシステムメッセージが前記構成バージョンの最新の変化に関して更新されるかどうかを示すために使用されるときに、前記第２のシステムメッセージが更新された後に前記第２のシステムメッセージから前記少なくとも１つの第３の指示情報を取得し、
前記第２の指示情報によって示される前記構成バージョンが、前記端末デバイスによって記録された前記構成バージョンと異なり、前記２つの構成バージョンの間に他の異なる構成バージョンがない場合に、次のオペレーション：
前記少なくとも１つの第３の指示情報における各第３の指示情報が、前記対応する通常の第３のシステムメッセージが前記構成バージョンの前記最新の変化に関して更新されないことを示す場合に、前記少なくとも１つの通常の第３のシステムメッセージにおけるいずれのシステムメッセージも更新される必要がないと決定するオペレーション、または
前記少なくとも１つの第３の指示情報における１つまたは複数の第３の指示情報が、前記対応する通常の第３のシステムメッセージが前記構成バージョンの前記最新の変化に関して更新されることを示す場合に、各更新された通常の第３のシステムメッセージについて、前記通常の第３のシステムメッセージのものであり、前記更新された第２のシステムメッセージ内にあるスケジューリング情報に従って、前記通常の第３のシステムメッセージを読み出すように前記受信モジュールを制御するオペレーションを実行するように構成される請求項３に記載の端末デバイス。
【請求項５】
前記処理モジュールは、
前記第２の指示情報によって示される前記構成バージョンと前記端末デバイスによって記録された前記構成バージョンとの間に他の異なる構成バージョンがある場合に、
各通常の第３のシステムメッセージについて、前記通常の第３のシステムメッセージのものであり、前記更新された第２のシステムメッセージ内にある前記スケジューリング情報に従って、前記通常の第３のシステムメッセージを読み出すように前記受信モジュールを制御するように構成される請求項４に記載の端末デバイス。
【請求項６】
前記処理モジュールは、
前記第１の指示情報が、少なくとも１つの第４の指示情報をさらに備え、１つの第４の指示情報が、１つのアクティベーション関係の第３のシステムメッセージに対応しており、前記セル内の端末デバイスが前記対応するアクティベーション関係の第３のシステムメッセージを更新する必要があるかどうかを示すために使用されるときに、
前記第４の指示情報が、前記セル内の前記端末デバイスが前記対応するアクティベーション関係の第３のシステムメッセージを更新する必要があることを示す場合に、前記対応するアクティベーション関係の第３のシステムメッセージを更新し、または
前記第４の指示情報が、前記セル内の前記端末デバイスが前記対応するアクティベーション関係の第３のシステムメッセージを更新する必要がないことを示す場合に、前記対応するアクティベーション関係の第３のシステムメッセージが更新される必要がないと決定するように構成される請求項２乃至５のいずれか一項に記載の端末デバイス。
【請求項７】
ネットワークデバイスであって、
第１のシステムメッセージを決定するように構成される、処理モジュールであって、前記第１のシステムメッセージは、第１の指示情報を備え、前記第１の指示情報は、前記第１のシステムメッセージ以外のシステムメッセージを更新するために使用される情報を備える、処理モジュールと、
セル内で、前記処理モジュールによって決定された前記第１のシステムメッセージを送信するように構成される、送信モジュールとを備え、
前記第１のシステムメッセージは、周期的に送信され、固定された物理リソースロケーションを占有するネットワークデバイス。
【請求項８】
前記送信モジュールは、
前記セルにおける前記第１のシステムメッセージ以外の前記システムメッセージを送信するようにさらに構成され、
前記第１のシステムメッセージ以外の前記システムメッセージは、第２のシステムメッセージ、少なくとも２つの第３のシステムメッセージを備え、前記少なくとも２つの第３のシステムメッセージは、少なくとも１つの通常の第３のシステムメッセージおよび少なくとも１つのアクティベーション関係の第３のシステムメッセージを備え、
前記第２のシステムメッセージは、前記少なくとも２つの第３のシステムメッセージのスケジューリング情報を備え、
前記アクティベーション関係の第３のシステムメッセージは、前記セルの特定の機能がアクティベートされたときに前記セル内の端末デバイスによって取得される必要があるシステムメッセージを備え、前記通常の第３のシステムメッセージは、前記アクティベーション関係の第３のシステムメッセージ以外の前記少なくとも２つの第３のシステムメッセージにおける第３のシステムメッセージである請求項７に記載のネットワークデバイス。
【請求項９】
前記送信モジュールによって送信される前記第１の指示情報は、第２の指示情報を備え、
前記第２の指示情報は、前記セル内で現在使用される前記第２のシステムメッセージと前記少なくとも１つの通常の第３のシステムメッセージとの組合せの構成バージョンを示すために使用され、１つのシステムメッセージ更新周期において、前記第２のシステムメッセージおよび前記少なくとも１つの通常の第３のシステムメッセージにおけるいずれか１つまたは複数のシステムメッセージについての更新について、前記構成バージョンは１回変わる請求項８に記載のネットワークデバイス。
【請求項１０】
前記送信モジュールによって送信される前記第２のシステムメッセージは、少なくとも１つの第３の指示情報を備え、
１つの第３の指示情報は、１つの通常の第３のシステムメッセージに対応しており、前記対応する通常の第３のシステムメッセージが前記構成バージョンの最新の変化に関して更新されるかどうかを示すために使用される請求項９に記載のネットワークデバイス。
【請求項１１】
前記送信モジュールによって送信される前記第１の指示情報は、少なくとも１つの第４の指示情報をさらに備え、
１つの第４の指示情報は、１つのアクティベーション関係の第３のシステムメッセージに対応しており、前記セル内の前記端末デバイスが前記対応するアクティベーション関係の第３のシステムメッセージを更新する必要があるかどうかを示すために使用される請求項８乃至１０のいずれか一項に記載のネットワークデバイス。
【請求項１２】
システムメッセージ更新方法であって、
第１の端末デバイスによって、前記第１の端末デバイスが配置されるセルの第１のシステムメッセージを受信するステップと、
前記第１の端末デバイスによって、前記第１のシステムメッセージから第１の指示情報を取得するステップであって、前記第１の指示情報は、前記第１のシステムメッセージ以外のシステムメッセージを更新するために使用される情報を備える、ステップと、
前記第１の端末デバイスによって、前記取得された第１の指示情報に従って前記第１のシステムメッセージ以外の前記システムメッセージを更新するステップとを備え、
前記第１のシステムメッセージは、周期的に送信され、固定された物理リソースロケーションを占有するシステムメッセージ更新方法。
【請求項１３】
前記第１のシステムメッセージ以外の前記システムメッセージは、第２のシステムメッセージ、少なくとも２つの第３のシステムメッセージを備え、前記少なくとも２つの第３のシステムメッセージは、少なくとも１つの通常の第３のシステムメッセージおよび少なくとも１つのアクティベーション関係の第３のシステムメッセージを備え、
前記第２のシステムメッセージは、前記少なくとも２つの第３のシステムメッセージのスケジューリング情報を備え、
前記アクティベーション関係の第３のシステムメッセージは、前記セルの特定の機能がアクティベートされたときに前記セル内の端末デバイスによって取得される必要があるシステムメッセージを備え、前記通常の第３のシステムメッセージは、前記アクティベーション関係の第３のシステムメッセージ以外の前記少なくとも２つの第３のシステムメッセージにおける第３のシステムメッセージである請求項１２に記載の方法。
【請求項１４】
前記第１の指示情報は、第２の指示情報を備え、
前記第２の指示情報は、前記セル内で現在使用される前記第２のシステムメッセージと前記少なくとも１つの通常の第３のシステムメッセージとの組合せの構成バージョンを示すために使用され、１つのシステムメッセージ更新周期において、前記第２のシステムメッセージおよび前記少なくとも１つの通常の第３のシステムメッセージにおけるいずれか１つまたは複数のシステムメッセージについての更新について、前記構成バージョンは１回変わり、
前記第１の端末デバイスによって、前記取得された第１の指示情報に従って前記第１のシステムメッセージ以外の前記システムメッセージを更新する前記ステップは、
前記第２の指示情報によって示される前記構成バージョンが、前記第１の端末デバイスによって記録された前記構成バージョンと異なる場合に、前記第１の端末デバイスによって、前記第２のシステムメッセージを更新するステップ、または
前記第２の指示情報によって示される前記構成バージョンが、前記第１の端末デバイスによって記録された前記構成バージョンと同じである場合に、前記第１の端末デバイスによって、前記第２のシステムメッセージが更新される必要はないと決定するステップを備える請求項１３に記載の方法。
【請求項１５】
前記第２のシステムメッセージは、少なくとも１つの第３の指示情報を備え、１つの第３の指示情報は、１つの通常の第３のシステムメッセージに対応しており、前記対応する通常の第３のシステムメッセージが前記構成バージョンの最新の変化に関して更新されるかどうかを示すために使用され、
前記第１の端末デバイスによって、前記第２のシステムメッセージを更新する前記ステップの後に、前記方法は、前記第１の端末デバイスによって、前記第２のシステムメッセージから前記少なくとも１つの第３の指示情報を取得するステップをさらに備え、
前記第１の端末デバイスによって、前記取得された第１の指示情報に従って前記第１のシステムメッセージ以外の前記システムメッセージを更新する前記ステップは、
前記第２の指示情報によって示される前記構成バージョンが、前記第１の端末デバイスによって記録された前記構成バージョンと異なり、前記２つの構成バージョンの間に他の異なる構成バージョンがない場合に、前記第１の端末デバイスによって、次のオペレーション：
前記少なくとも１つの第３の指示情報における各第３の指示情報が、前記対応する通常の第３のシステムメッセージが前記構成バージョンの前記最新の変化に関して更新されないことを示す場合に、前記少なくとも１つの通常の第３のシステムメッセージにおけるいずれのシステムメッセージも更新される必要がないと決定するオペレーション、または
前記少なくとも１つの第３の指示情報における１つまたは複数の第３の指示情報が、前記対応する通常の第３のシステムメッセージが前記構成バージョンの前記最新の変化に関して更新されることを示す場合に、各更新された通常の第３のシステムメッセージについて、前記通常の第３のシステムメッセージのものであり、前記更新された第２のシステムメッセージ内にあるスケジューリング情報に従って前記通常の第３のシステムメッセージを読み出すオペレーションを実行するステップをさらに備える請求項１４に記載の方法。
【請求項１６】
前記第１の端末デバイスによって、前記取得された第１の指示情報に従って前記第１のシステムメッセージ以外の前記システムメッセージを更新する前記ステップは、
前記第２の指示情報によって示される前記構成バージョンと前記第１の端末デバイスによって記録された前記構成バージョンとの間に他の異なる構成バージョンがある場合に、各通常の第３のシステムメッセージについて、前記第１の端末デバイスによって、前記通常の第３のシステムメッセージのものであり、前記更新された第２のシステムメッセージ内にある前記スケジューリング情報に従って、前記通常の第３のシステムメッセージを読み出すステップをさらに備える請求項１５に記載の方法。
【請求項１７】
前記第１の指示情報は、少なくとも１つの第４の指示情報をさらに備え、１つの第４の指示情報は、１つのアクティベーション関係の第３のシステムメッセージに対応しており、前記セル内の端末デバイスが前記対応するアクティベーション関係の第３のシステムメッセージを更新する必要があるかどうかを示すために使用され、
前記第１の端末デバイスによって、前記取得された第１の指示情報に従って前記第１のシステムメッセージ以外の前記システムメッセージを更新する前記ステップは、
前記第４の指示情報が、前記セル内の前記端末デバイスが前記対応するアクティベーション関係の第３のシステムメッセージを更新する必要があることを示す場合に、前記第１の端末デバイスによって、前記対応するアクティベーション関係の第３のシステムメッセージを更新するステップ、または
前記第４の指示情報が、前記セル内の前記端末デバイスが前記対応するアクティベーション関係の第３のシステムメッセージを更新する必要がないことを示す場合に、前記第１の端末デバイスによって、前記対応するアクティベーション関係の第３のシステムメッセージが更新される必要がないと決定するステップをさらに備える請求項１３乃至１６のいずれか一項に記載の方法。
【請求項１８】
システムメッセージ更新方法であって、
ネットワークデバイスによって、第１のシステムメッセージを決定するステップであって、前記第１のシステムメッセージは、第１の指示情報を備え、前記第１の指示情報は、前記第１のシステムメッセージ以外のシステムメッセージを更新するために使用される情報を備える、ステップと、
前記ネットワークデバイスによって、セルにおける前記決定された第１のシステムメッセージを送信するステップとを備え、
前記第１のシステムメッセージは、周期的に送信され、固定された物理リソースロケーションを占有するシステムメッセージ更新方法。
【請求項１９】
前記ネットワークデバイスによって、前記セルにおける前記第１のシステムメッセージ以外の前記システムメッセージを送信するステップをさらに備え、
前記第１のシステムメッセージ以外の前記システムメッセージは、第２のシステムメッセージ、少なくとも２つの第３のシステムメッセージを備え、前記少なくとも２つの第３のシステムメッセージは、少なくとも１つの通常の第３のシステムメッセージおよび少なくとも１つのアクティベーション関係の第３のシステムメッセージを備え、
前記第２のシステムメッセージは、前記少なくとも２つの第３のシステムメッセージのスケジューリング情報を備え、
前記アクティベーション関係の第３のシステムメッセージは、前記セルの特定の機能がアクティベートされたときに前記セル内の端末デバイスによって取得される必要があるシステムメッセージを備え、前記通常の第３のシステムメッセージは、前記アクティベーション関係の第３のシステムメッセージ以外の前記少なくとも２つの第３のシステムメッセージにおける第３のシステムメッセージである請求項１８に記載の方法。
【請求項２０】
前記第１の指示情報は、第２の指示情報を備え、
前記第２の指示情報は、前記セル内で現在使用される前記第２のシステムメッセージと前記少なくとも１つの通常の第３のシステムメッセージとの組合せの構成バージョンを示すために使用され、１つのシステムメッセージ更新周期において、前記第２のシステムメッセージおよび前記少なくとも１つの通常の第３のシステムメッセージにおけるいずれか１つまたは複数のシステムメッセージについての更新について、前記構成バージョンは１回変わる請求項１９に記載の方法。
【請求項２１】
前記第２のシステムメッセージは、少なくとも１つの第３の指示情報を備え、
１つの第３の指示情報は、１つの通常の第３のシステムメッセージに対応しており、前記対応する通常の第３のシステムメッセージが前記構成バージョンの最新の変化に関して更新されるかどうかを示すために使用される請求項２０に記載の方法。
【請求項２２】
前記第１の指示情報は、少なくとも１つの第４の指示情報をさらに備え、
１つの第４の指示情報は、１つのアクティベーション関係の第３のシステムメッセージに対応しており、前記セル内の端末デバイスが前記対応するアクティベーション関係の第３のシステムメッセージを更新する必要があるかどうかを示すために使用される請求項１９乃至２１のいずれか一項に記載の方法。
【請求項２３】
ワイヤレス通信システムであって、
セルにおいて前記第１のシステムメッセージを送信するように構成されるネットワークデバイスであって、前記第１のシステムメッセージは、第１の指示情報を備え、前記第１の指示情報は、前記第１のシステムメッセージ以外のシステムメッセージを更新するために使用される情報を備える、ネットワークデバイスと、
端末デバイスであって、前記ネットワークデバイスによって送信された前記第１のシステムメッセージを受信し、前記第１のシステムメッセージから前記第１の指示情報を取得し、前記取得された第１の指示情報に従って前記第１のシステムメッセージ以外の前記システムメッセージを更新する、ように構成される端末デバイスとを備え、
前記第１のシステムメッセージは、周期的に送信され、固定された物理リソースロケーションを占有するワイヤレス通信システム。
【請求項２４】
端末デバイスであって、
前記端末デバイスが配置されるセルの第１のシステムメッセージを受信するように構成される受信モジュールであって、前記セルのシステムメッセージは、前記第１のシステムメッセージ、第２のシステムメッセージ、および少なくとも１つの第３のシステムメッセージを備え、前記第１のシステムメッセージは、周期的に送信され、固定された物理リソースロケーションを占有し、前記第２のシステムメッセージは、前記少なくとも１つの第３のシステムメッセージのスケジューリング情報を備え、前記少なくとも１つの第３のシステムメッセージは、ページング関係のシステムメッセージを備える、受信モジュールと、
処理モジュールであって、前記受信モジュールによって受信された前記第１のシステムメッセージから第１の指示情報を取得し、前記第１の指示情報は、前記ページング関係のシステムメッセージが更新されるかどうかを示すために使用され、前記第１の指示情報が、前記ページング関係のシステムメッセージが更新されないことを示す場合、記録されたページング関係のシステムメッセージに従ってページングメッセージを受信するように前記受信モジュールを制御し、前記受信モジュールによって受信された前記ページングメッセージ内のシステムメッセージ更新に関係する第２の指示情報に従ってシステムメッセージを更新するように構成される、処理モジュールとを備える端末デバイス。
【請求項２５】
前記受信モジュールによって受信される前記第２の指示情報は、第３の指示情報、第４の指示情報、および少なくとも１つの第５の指示情報を備え、
前記第３の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
前記第４の指示情報は、前記第２のシステムメッセージが前記構成バージョンの最新の変化に関して更新されるかどうかを示すために使用され、
１つの第５の指示情報は、１つの第３のシステムメッセージに対応しており、前記対応する第３のシステムメッセージが前記構成バージョンの前記最新の変化に関して更新されるかどうかを示すために使用される請求項２４に記載の端末デバイス。
【請求項２６】
前記処理モジュールは、
前記第３の指示情報によって示される前記構成バージョンが、前記端末デバイスによって記録された前記構成バージョンと同じである場合に、システムメッセージが更新される必要はないと決定し、または
前記第３の指示情報によって示される前記構成バージョンが、前記端末デバイスによって記録された前記構成バージョンと異なるが、前記２つの構成バージョンの間に他の異なる構成バージョンがない場合に、前記第４の指示情報が、前記第２のシステムメッセージが前記構成バージョンの前記最新の変化に関して更新されることを示すときに、前記第２のシステムメッセージを更新し、または前記第４の指示情報が、前記第２のシステムメッセージが前記構成バージョンの前記最新の変化に関して更新されないことを示すときに、前記第２のシステムメッセージが更新される必要はないと決定するように構成される請求項２５に記載の端末デバイス。
【請求項２７】
前記処理モジュールは、
前記第３の指示情報によって示される前記構成バージョンが、前記端末デバイスによって記録された前記構成バージョンと異なるが、前記２つの構成バージョンの間に他の異なる構成バージョンがない場合に、
前記少なくとも１つの第５の指示情報における各第３の指示情報が、前記対応する第３のシステムメッセージが前記構成バージョンの前記最新の変化に関して更新されないことを示すときに、前記少なくとも１つの第３のシステムメッセージにおけるいずれのシステムメッセージも更新される必要がないと決定し、または
前記少なくとも１つの第５の指示情報における１つまたは複数の第５の指示情報が、前記対応する第３のシステムメッセージが前記構成バージョンの前記最新の変化に関して更新されることを示すときに、各更新された第３のシステムメッセージを更新するように構成される請求項２６に記載の端末デバイス。
【請求項２８】
前記処理モジュールは、
前記第３の指示情報によって示される前記構成バージョンが、前記端末デバイスによって記録された前記構成バージョンと異なり、前記２つの構成バージョンの間に他の異なる構成バージョンがない場合に、
前記第２のシステムメッセージを更新し、
前記少なくとも１つの第３のシステムメッセージのものであり、前記更新された第２のシステムメッセージ内にあるスケジューリング情報に従って各第３のシステムメッセージを更新するように構成される請求項２５に記載の端末デバイス。
【請求項２９】
前記処理モジュールは、
前記第１の指示情報が、前記ページング関係のシステムメッセージが更新されることを示す場合に、前記第２のシステムメッセージを更新し、
第６の指示情報、および少なくとも１つの第７の指示情報を、前記第２のシステムメッセージから取得し、前記第６の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、１つの第７の指示情報は、１つの第３のシステムメッセージに対応しており、前記対応する第３のシステムメッセージが前記構成バージョンの最新の変化に関して更新されるかどうかを示すために使用され、
前記第６の指示情報、および前記少なくとも１つの第７の指示情報に従ってシステムメッセージを更新するようにさらに構成される請求項２４乃至２８のいずれか一項に記載の端末デバイス。
【請求項３０】
前記処理モジュールは、
前記第６の指示情報によって示される前記構成バージョンが、前記端末デバイスによって記録された前記構成バージョンと異なり、前記２つの構成バージョンの間に他の異なる構成バージョンがない場合に、前記少なくとも１つの第７の指示情報によって示される各更新された第３のシステムメッセージについて、前記第３のシステムメッセージを更新し、または
前記第６の指示情報によって示される前記構成バージョンが、前記端末デバイスによって記録された前記構成バージョンと異なり、前記２つの構成バージョンの間に他の異なる構成バージョンがある場合に、前記少なくとも１つの第３のシステムメッセージにおける各システムメッセージを更新するように構成される請求項２９に記載の端末デバイス。
【請求項３１】
ネットワークデバイスであって、
第１のシステムメッセージを決定するように構成される、処理モジュールであって、前記第１のシステムメッセージは、第１の指示情報を備え、前記第１の指示情報は、前記ページング関係のシステムメッセージが更新されるかどうかを示すために使用される、処理モジュールと、
セル内で、前記処理モジュールによって決定された前記第１のシステムメッセージを送信するように構成される、送信モジュールとを備え、
前記処理モジュールは、ページングメッセージを決定するようにさらに構成され、前記ページングメッセージは、システムメッセージ更新に関係する第２の指示情報を備え、
前記送信モジュールは、前記セル内で、前記処理モジュールによって決定された前記ページングメッセージを送信するようにさらに構成され、
前記セルのシステムメッセージは、前記第１のシステムメッセージ、第２のシステムメッセージ、および少なくとも１つの第３のシステムメッセージを備え、前記第１のシステムメッセージは、周期的に送信され、固定された物理リソースロケーションを占有し、前記第２のシステムメッセージは、前記少なくとも１つの第３のシステムメッセージのスケジューリング情報を備え、前記少なくとも１つの第３のシステムメッセージは、前記ページング関係のシステムメッセージを備えるネットワークデバイス。
【請求項３２】
前記送信モジュールによって送信される前記ページングメッセージ内の前記第２の指示情報は、第３の指示情報、第４の指示情報、および少なくとも１つの第５の指示情報を備え、
前記第３の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
前記第４の指示情報は、前記第２のシステムメッセージが前記構成バージョンの最新の変化に関して更新されるかどうかを示すために使用され、
１つの第５の指示情報は、１つの第３のシステムメッセージに対応しており、前記対応する第３のシステムメッセージが前記構成バージョンの前記最新の変化に関して更新されるかどうかを示すために使用される請求項３１に記載のネットワークデバイス。
【請求項３３】
前記送信モジュールによって送信される前記第２のシステムメッセージは、第６の指示情報、および少なくとも１つの第７の指示情報を備え、
前記第６の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
１つの第７の指示情報は、１つの第３のシステムメッセージに対応しており、前記対応する第３のシステムメッセージが前記構成バージョンの最新の変化に関して更新されるかどうかを示すために使用される請求項３１または３２に記載のネットワークデバイス。
【請求項３４】
システムメッセージ更新方法であって、
第１の端末デバイスによって、前記第１の端末デバイスが配置されるセルの第１のシステムメッセージを受信するステップであって、前記セルのシステムメッセージは、前記第１のシステムメッセージ、第２のシステムメッセージ、および少なくとも１つの第３のシステムメッセージを備え、前記第１のシステムメッセージは、周期的に送信され、固定された物理リソースロケーションを占有し、前記第２のシステムメッセージは、前記少なくとも１つの第３のシステムメッセージのスケジューリング情報を備え、前記少なくとも１つの第３のシステムメッセージは、ページング関係のシステムメッセージを備える、ステップと、
前記第１の端末デバイスによって、前記第１のシステムメッセージから第１の指示情報を取得するステップであって、前記第１の指示情報は、前記ページング関係のシステムメッセージが更新されるかどうかを示すために使用される、ステップと、
前記第１の指示情報が、前記ページング関係のシステムメッセージが更新されないことを示す場合に、
前記第１の端末デバイスによって、記録されたページング関係のシステムメッセージに従ってページングメッセージを受信するステップと、
前記第１の端末デバイスによって、前記受信されたページングメッセージにおけるシステムメッセージ更新に関係する第２の指示情報に従ってシステムメッセージを更新するステップとを備えるシステムメッセージ更新方法。
【請求項３５】
前記第２の指示情報は、第３の指示情報、第４の指示情報、および少なくとも１つの第５の指示情報を備え、
前記第３の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
前記第４の指示情報は、前記第２のシステムメッセージが前記構成バージョンの最新の変化に関して更新されるかどうかを示すために使用され、
１つの第５の指示情報は、１つの第３のシステムメッセージに対応しており、前記対応する第３のシステムメッセージが前記構成バージョンの前記最新の変化に関して更新されるかどうかを示すために使用される請求項３４に記載の方法。
【請求項３６】
前記第１の端末デバイスによって、前記受信されたページングメッセージにおけるシステムメッセージ更新に関係する第１の指示情報に従ってシステムメッセージを更新する前記ステップは、
前記第３の指示情報によって示される前記構成バージョンが、前記第１の端末デバイスによって記録された前記構成バージョンと同じである場合に、システムメッセージが更新される必要はないと決定するステップ、または
前記第３の指示情報によって示される前記構成バージョンが、前記第１の端末デバイスによって記録された前記構成バージョンと異なり、前記２つの構成バージョンの間に他の異なる構成バージョンがない場合に、
前記第４の指示情報が、前記第２のシステムメッセージが前記構成バージョンの前記最新の変化に関して更新されることを示すときに、前記第１の端末デバイスによって、前記第２のシステムメッセージを更新するステップ、または
前記第４の指示情報が、前記第２のシステムメッセージが前記構成バージョンの前記最新の変化に関して更新されないことを示すときに、前記第１の端末デバイスによって、前記第２のシステムメッセージが更新される必要はないと決定するステップを備える請求項３５に記載の方法。
【請求項３７】
前記第１の端末デバイスによって、前記受信されたページングメッセージにおけるシステムメッセージ更新に関係する第１の指示情報に従ってシステムメッセージを更新する前記ステップは、
前記第３の指示情報によって示される前記構成バージョンが、前記第１の端末デバイスによって記録された前記構成バージョンと異なり、前記２つの構成バージョンの間に他の異なる構成バージョンがない場合に、
前記少なくとも１つの第５の指示情報における各第３の指示情報が、前記対応する第３のシステムメッセージが前記構成バージョンの前記最新の変化に関して更新されないことを示すときに、前記第１の端末デバイスによって、前記少なくとも１つの第３のシステムメッセージにおけるいずれのシステムメッセージも更新される必要がないと決定するステップ、または
前記少なくとも１つの第５の指示情報における１つまたは複数の第５の指示情報が、前記対応する第３のシステムメッセージが前記構成バージョンの前記最新の変化に関して更新されることを示すときに、前記第１の端末デバイスによって、各更新された第３のシステムメッセージを更新するステップをさらに備える請求項３６に記載の方法。
【請求項３８】
前記第１の端末デバイスによって、前記受信されたページングメッセージにおけるシステムメッセージ更新に関係する第１の指示情報に従ってシステムメッセージを更新する前記ステップは、
前記第３の指示情報によって示される前記構成バージョンが、前記第１の端末デバイスによって記録された前記構成バージョンと異なり、前記２つの構成バージョンの間に他の異なる構成バージョンがない場合に、
前記第１の端末デバイスによって、前記第２のシステムメッセージを更新するステップと、
前記第１の端末デバイスによって、前記少なくとも１つの第３のシステムメッセージのものであり、前記更新された第２のシステムメッセージ内にあるスケジューリング情報に従って各第３のシステムメッセージを更新するステップと、を備える請求項３５に記載の方法。
【請求項３９】
前記第１の指示情報が、前記ページング関係のシステムメッセージが更新されることを示す場合に、前記第１の端末デバイスによって、前記第２のシステムメッセージを更新するステップと、
第６の指示情報、および少なくとも１つの第７の指示情報を、前記第２のシステムメッセージから取得するステップであって、
前記第６の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
１つの第７の指示情報は、１つの第３のシステムメッセージに対応しており、前記対応する第３のシステムメッセージが前記構成バージョンの最新の変化に関して更新されるかどうかを示すために使用される、ステップと、
前記第１の端末デバイスによって、前記第６の指示情報、および前記少なくとも１つの第７の指示情報に従ってシステムメッセージを更新するステップとをさらに備える請求項３４乃至３８のいずれか一項に記載の方法。
【請求項４０】
前記第１の端末デバイスによって、前記第６の指示情報、および前記少なくとも１つの第７の指示情報に従ってシステムメッセージを更新する前記ステップは、
前記第６の指示情報によって示される前記構成バージョンが、前記第１の端末デバイスによって記録された前記構成バージョンと異なり、前記２つの構成バージョンの間に他の異なる構成バージョンがない場合に、前記少なくとも１つの第７の指示情報によって示される各更新された第３のシステムメッセージについて、前記第１の端末デバイスによって、前記第３のシステムメッセージを更新するステップ、または
前記第６の指示情報によって示される前記構成バージョンが、前記第１の端末デバイスによって記録された前記構成バージョンと異なり、前記２つの構成バージョンの間に他の異なる構成バージョンがある場合に、前記第１の端末デバイスによって、前記少なくとも１つの第３のシステムメッセージにおける各システムメッセージを更新するステップを備える請求項３９に記載の方法。
【請求項４１】
システムメッセージ更新方法であって、
ネットワークデバイスによって、第１のシステムメッセージを決定するステップであって、前記第１のシステムメッセージは、第１の指示情報を備え、前記第１の指示情報は、前記ページング関係のシステムメッセージが更新されるかどうかを示すために使用される、ステップと、
前記ネットワークデバイスによって、セルにおける前記決定された第１のシステムメッセージを送信するステップと、
前記ネットワークデバイスによって、ページングメッセージを決定するステップであって、前記ページングメッセージは、システムメッセージ更新に関係する第２の指示情報を備える、ステップと、
前記ネットワークデバイスによって、前記セルにおける前記決定されたページングメッセージを送信するステップとを備え、
前記セルのシステムメッセージは、前記第１のシステムメッセージ、第２のシステムメッセージ、および少なくとも１つの第３のシステムメッセージを備え、前記第１のシステムメッセージは、周期的に送信され、固定された物理リソースロケーションを占有し、前記第２のシステムメッセージは、前記少なくとも１つの第３のシステムメッセージのスケジューリング情報を備え、前記少なくとも１つの第３のシステムメッセージは、前記ページング関係のシステムメッセージを備えるシステムメッセージ更新方法。
【請求項４２】
前記第２の指示情報は、第３の指示情報、第４の指示情報、および少なくとも１つの第５の指示情報を備え、
前記第３の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
前記第４の指示情報は、前記第２のシステムメッセージが前記構成バージョンの最新の変化に関して更新されるかどうかを示すために使用され、
１つの第５の指示情報は、１つの第３のシステムメッセージに対応しており、前記対応する第３のシステムメッセージが前記構成バージョンの前記最新の変化に関して更新されるかどうかを示すために使用される請求項４１に記載の方法。
【請求項４３】
前記第２のシステムメッセージは、第６の指示情報、および少なくとも１つの第７の指示情報を備え、
前記第６の指示情報は、前記セル内で現在使用される前記第２のシステムメッセージと前記少なくとも１つの第３のシステムメッセージとの組合せの構成バージョンを示すために使用され、１つのシステムメッセージ更新周期において、前記第２のシステムメッセージおよび前記少なくとも１つの第３のシステムメッセージにおけるいずれか１つまたは複数のシステムメッセージについての更新について、前記構成バージョンは１回変わり、
１つの第７の指示情報は、１つの第３のシステムメッセージに対応しており、前記対応する第３のシステムメッセージが前記構成バージョンの最新の変化に関して更新されるかどうかを示すために使用される請求項４１または４２に記載の方法。
【請求項４４】
ワイヤレス通信システムであって、
ネットワークデバイスであって、セルにおいて第１のシステムメッセージを送信し、前記第１のシステムメッセージは、第１の指示情報を備え、前記第１の指示情報は、前記ページング関係のシステムメッセージが更新されるかどうかを示すために使用され、前記セルにおいてページングメッセージを送信し、前記ページングメッセージは、システムメッセージ更新に関係する第２の指示情報を備える、ように構成されるネットワークデバイスと、
端末デバイスであって、前記セルにおいて前記ネットワークデバイスによって送信された前記第１のシステムメッセージを受信し、前記第１のシステムメッセージから前記第１の指示情報を取得し、前記第１の指示情報が、前記ページング関係のシステムメッセージが更新されないことを示す場合に、記録されたページング関係のシステムメッセージに従って前記ページングメッセージを受信し、前記受信されたページングメッセージにおけるシステムメッセージ更新に関係する前記第２の指示情報に従ってシステムメッセージを更新するように構成される端末デバイスとを備え、
前記セルのシステムメッセージは、前記第１のシステムメッセージ、第２のシステムメッセージ、および少なくとも１つの第３のシステムメッセージを備え、前記第１のシステムメッセージは、周期的に送信され、固定された物理リソースロケーションを占有し、前記第２のシステムメッセージは、前記少なくとも１つの第３のシステムメッセージのスケジューリング情報を備え、前記少なくとも１つの第３のシステムメッセージは、前記ページング関係のシステムメッセージを備えるワイヤレス通信システム。
【請求項４５】
端末デバイスであって、
前記端末デバイスが配置されるセルのページングメッセージを受信するように構成される受信モジュールであって、前記ページングメッセージは、システムメッセージ更新指示情報を備え、
第１のシステムメッセージ、第２のシステムメッセージ、および少なくとも１つの第３のシステムメッセージにおける各システムメッセージについて、前記システムメッセージ更新指示情報は、前記端末デバイスが配置される前記セル内の端末デバイスが前記システムメッセージを更新する必要があるかどうかを示す、受信モジュールと、
前記受信モジュールによって受信される前記システムメッセージ更新指示情報に従ってシステムメッセージを更新するように構成される処理モジュールを備え、
前記第１のシステムメッセージは、周期的に送信され、固定された物理リソースロケーションを占有し、
前記第２のシステムメッセージは、前記少なくとも１つの第３のシステムメッセージのスケジューリング情報を備える、端末デバイス。
【請求項４６】
ネットワークデバイスであって、
ページングメッセージを決定するように構成される、処理モジュールであって、前記ページングメッセージは、システムメッセージ更新指示情報を備える、処理モジュールと、
セル内で、前記処理モジュールによって決定された前記ページングメッセージを送信するように構成される送信モジュールとを備え、
第１のシステムメッセージ、第２のシステムメッセージ、および少なくとも１つの第３のシステムメッセージにおける各システムメッセージについて、前記システムメッセージ更新指示情報は、前記セル内の端末デバイスが前記システムメッセージを更新する必要があるかどうかを指示し、
前記第１のシステムメッセージは、周期的に送信され、固定された物理リソースロケーションを占有し、前記第２のシステムメッセージは、前記少なくとも１つの第３のシステムメッセージのスケジューリング情報を備えるネットワークデバイス。
【請求項４７】
システムメッセージ更新方法であって、
第１の端末デバイスによって、前記第１の端末デバイスが配置されるセルのページングメッセージを受信するステップであって、前記ページングメッセージは、システムメッセージ更新指示情報を備え、
第１のシステムメッセージ、第２のシステムメッセージ、および少なくとも１つの第３のシステムメッセージにおける各システムメッセージについて、前記システムメッセージ更新指示情報は、前記第１の端末デバイスが配置される前記セル内の端末デバイスが前記システムメッセージを更新する必要があるかどうかを示す、ステップと、
前記第１の端末デバイスによって、前記システムメッセージ更新指示情報に従ってシステムメッセージを更新するステップとを備え、
前記第１のシステムメッセージは、周期的に送信され、固定された物理リソースロケーションを占有し、
前記第２のシステムメッセージは、前記少なくとも１つの第３のシステムメッセージのスケジューリング情報を備えるシステムメッセージ更新方法。
【請求項４８】
システムメッセージ更新方法であって、
ネットワークデバイスによって、ページングメッセージを決定するステップであって、前記ページングメッセージは、システムメッセージ更新指示情報を備える、ステップと、
前記ネットワークデバイスによって、セルにおける前記ページングメッセージを送信するステップとを備え、
第１のシステムメッセージ、第２のシステムメッセージ、および少なくとも１つの第３のシステムメッセージにおける各システムメッセージについて、前記システムメッセージ更新指示情報は、前記セル内の端末デバイスが前記システムメッセージを更新する必要があるかどうかを指示し、
前記第１のシステムメッセージは、周期的に送信され、固定された物理リソースロケーションを占有し、前記第２のシステムメッセージは、前記少なくとも１つの第３のシステムメッセージのスケジューリング情報を備えるシステムメッセージ更新方法。
【請求項４９】
ワイヤレス通信システムであって、
セルにおいて前記ページングメッセージを送信するように構成されるネットワークデバイスであって、前記ページングメッセージは、システムメッセージ更新指示情報を備え、第１のシステムメッセージ、第２のシステムメッセージ、および少なくとも１つの第３のシステムメッセージにおける各システムメッセージについて、前記システムメッセージ更新指示情報は、前記セル内の端末デバイスが前記システムメッセージを更新する必要があるかどうかを示す、ネットワークデバイスと、
第１の端末デバイスであって、前記セルにおいて前記ネットワークデバイスによって送信された前記ページングメッセージを受信し、前記システムメッセージ更新指示情報に従ってシステムメッセージを更新するように構成される、第１の端末デバイスとを備え、
前記第１のシステムメッセージは、周期的に送信され、固定された物理リソースロケーションを占有し、前記第２のシステムメッセージは、前記少なくとも１つの第３のシステムメッセージのスケジューリング情報を備えるワイヤレス通信システム。
【請求項５０】
端末デバイスであって、
処理モジュールであって、前記端末デバイスが少なくとも１つのシステムメッセージを受信する必要があると決定し、前記少なくとも１つのシステムメッセージにおける各システムメッセージについて、ネットワークデバイスによって前記システムメッセージを送信するために使用される開始位置、送信周期、および繰り返しの量を決定するように構成される処理モジュールと、
受信モジュールであって、前記少なくとも１つのシステムメッセージにおける各システムメッセージについて、前記ネットワークデバイスによって前記システムメッセージを送信するために使用され、前記処理モジュールによって決定される前記開始位置、前記送信周期、および前記繰り返しの量に従って前記システムメッセージを受信するように構成される受信モジュールとを備え、
システムメッセージを２回送信する間の時間間隔において、１つまたは複数の他のシステムメッセージが前記ネットワークデバイスによって送信される端末デバイス。
【請求項５１】
ネットワークデバイスであって、
処理モジュールであって、前記ネットワークデバイスが少なくとも１つのシステムメッセージを送信する必要があると決定し、前記決定された少なくとも１つのシステムメッセージにおける各システムメッセージについて、前記システムメッセージを送信するために使用される開始位置、送信周期、および繰り返しの量を決定するように構成される処理モジュールと、
送信モジュールであって、前記処理モジュールによって決定された前記少なくとも１つのシステムメッセージにおける各システムメッセージについて、前記システムメッセージを送信するために使用される前記決定された開始位置、送信周期、および繰り返しの量に従って前記システムメッセージを送信するように構成される送信モジュールとを備え、
システムメッセージを２回送信する間の時間間隔において、１つまたは複数の他のシステムメッセージが送信されるネットワークデバイス。
【請求項５２】
システムメッセージ受信方法であって、
第１の端末デバイスによって、少なくとも１つのシステムメッセージが受信される必要があると決定するステップと、
前記少なくとも１つのシステムメッセージにおける各システムメッセージについて、前記第１の端末デバイスによって、ネットワークデバイスによって前記システムメッセージを送信するために使用される開始位置、送信周期、および繰り返しの量を決定するステップと、
前記少なくとも１つのシステムメッセージにおける各システムメッセージについて、前記第１の端末デバイスによって、前記ネットワークデバイスによって前記システムメッセージを送信するために使用される前記決定された開始位置、送信周期、および繰り返しの量に従って前記システムメッセージを受信するステップとを備え、
システムメッセージを２回送信する間の時間間隔において、１つまたは複数の他のシステムメッセージが前記ネットワークデバイスによって送信されるシステムメッセージ受信方法。
【請求項５３】
システムメッセージ送信方法であって、
ネットワークデバイスによって、少なくとも１つのシステムメッセージが送信される必要があると決定するステップと、
前記少なくとも１つのシステムメッセージにおける各システムメッセージについて、前記ネットワークデバイスによって、前記システムメッセージを送信するために使用される開始位置、送信周期、および繰り返しの量を決定するステップと、
前記少なくとも１つのシステムメッセージにおける各システムメッセージについて、前記ネットワークデバイスによって、前記システムメッセージを送信するために使用される前記決定された開始位置、送信周期、および繰り返しの量に従って前記システムメッセージを送信するステップとを備え、
システムメッセージを２回送信する間の時間間隔において、１つまたは複数の他のシステムメッセージが送信されるシステムメッセージ送信方法。
【請求項５４】
ワイヤレス通信システムであって、
ネットワークデバイスであって、少なくとも１つの送信されるシステムメッセージにおける各システムメッセージについて、前記システムメッセージを送信するために使用される開始位置、送信周期、および繰り返しの量を決定し、前記システムメッセージを送信するために使用される前記決定された開始位置、送信周期、および繰り返しの量に従って前記システムメッセージを送信するように構成されるネットワークデバイスと、
端末デバイスであって、前記ネットワークデバイスによって送信される少なくとも１つの受信されるシステムメッセージにおける各システムメッセージについて、前記ネットワークデバイスによって前記システムメッセージを送信するために使用される開始位置、送信周期、および繰り返しの量を決定し、前記ネットワークデバイスによって前記システムメッセージを送信するために使用される前記決定された開始位置、送信周期、および繰り返しの量に従って前記システムメッセージを受信するように構成される端末デバイスとを備え、
システムメッセージを２回送信する間の時間間隔において、１つまたは複数の他のシステムメッセージが前記ネットワークデバイスによって送信されるワイヤレス通信システム。
【発明の詳細な説明】
【技術分野】
【０００１】
本出願は、ワイヤレス通信技術の分野に関するものであり、特に、システムメッセージ伝送の装置、方法、およびシステムに関する。
【背景技術】
【０００２】
モノのインターネット（Ｉｎｔｅｒｎｅｔ  ｏｆ  ｔｈｉｎｇｓ、ＩＯＴ）は、物と物との間の通信を実装するものである。人と人との間の従来の通信と比較して、モノのインターネットは、端末デバイスのエネルギー消費に対してより高い要求を課す。端末デバイスのエネルギー消費は、デバイスの特に長いスタンバイ時間を確保し、電池を交換する労働コストを低減するために、できる限り低減される必要がある。
【０００３】
モノのインターネットの通信は、低いサービス率および長期を特徴とすることを考慮して、アイドル状態にある端末デバイスに対しては、比較的長い不連続受信（ｄｉｓｃｏｎｔｉｎｕｏｕｓ  ｒｅｃｅｐｔｉｏｎ、ＤＲＸ）サイクルが設定されて、端末デバイスの電力を抑え、スタンバイ時間を延ばすようにされる。
【０００４】
モノのインターネットは、セルラーネットワークに基づき実装され得る。たとえば、モノのインターネットの通信は、ロングタームエボリューション（Ｌｏｎｇ  Ｔｅｒｍ  Ｅｖｏｌｕｔｉｏｎ、ＬＴＥ）システムに基づき実装される。ＬＴＥシステムでは、ページングメッセージは、通常、端末デバイスにシステムメッセージ（Ｓｙｓｔｅｍ  Ｉｎｆｏｒｍａｔｉｏｎ）の変化を通知するために使用される、すなわち、システムメッセージ修正周期内に、ページングメッセージが、端末デバイスに、システムメッセージが次のシステムメッセージ修正周期内に変わることを通知するために送信され、端末デバイスは、次のシステムメッセージ修正周期内に変えられたシステムメッセージを読み出す。
【０００５】
一般的に、図１に示されるように、ＬＴＥシステムにおけるシステムメッセージ修正周期は、ページングメッセージ送信周期、すなわち、ページング周期の整数倍である。このケースでは、システムメッセージが変わったときに、無線リソース制御アイドル（Ｒａｄｉｏ  Ｒｅｓｏｕｒｃｅ  Ｃｏｎｔｒｏｌ  ＩＤＬＥ、ＲＲＣ＿ＩＤＬＥ）状態（短縮してアイドル状態）にある端末デバイスは、端末デバイスがシステムメッセージ修正周期内にページングメッセージを読み出し、次のシステムメッセージ修正周期にシステムメッセージを読み出し、システムメッセージの更新を完了する場合にシステムメッセージが変わることを知り得る。システムメッセージ修正周期内にシステムメッセージ更新を正常に完了した後、端末デバイスは、その周期内にその後送信されるシステムメッセージを読み出す必要はない。
【０００６】
一般的に、ページング周期は、ＬＴＥシステムにおけるＤＲＸサイクルに等しい。モノのインターネットの通信がＬＴＥシステムに基づき実装されるときに、ページング周期は、長いＤＲＸサイクルのためシステムメッセージ修正周期よりも長くなり得る。このケースでは、図２に示されるように、アイドル状態にある端末デバイスは、システムメッセージの変化を示すために使用されるページングメッセージを受信することに失敗することがあり、したがって、システムメッセージを更新することができない。
【０００７】
したがって、モノのインターネットの通信などのワイヤレス通信処理において、端末デバイスのＤＲＸサイクルがシステムメッセージ修正周期よりも長いときに、端末デバイスは、システムメッセージを成功裡に更新することに失敗し得る。
【発明の概要】
【０００８】
上記に鑑みて、本出願は、端末デバイスのＤＲＸサイクルがシステムメッセージ修正周期よりも長いので端末デバイスがシステムメッセージを成功裡に更新することに失敗することがあるという問題を解決するための、システムメッセージ伝送の装置および方法、並びにシステムを提供する。
【０００９】
第１の態様によれば、本出願は、端末デバイスを提供し、
端末デバイスが配置されるセルの第１のシステムメッセージを受信するように構成される受信モジュールと、
処理モジュールであって、受信モジュールによって受信された第１のシステムメッセージから第１の指示情報を取得し、ここで第１の指示情報は、第１のシステムメッセージ以外のシステムメッセージを更新するために使用される情報を含むものであり、取得された第１の指示情報に従って第１のシステムメッセージ以外のシステムメッセージを更新するように構成される、処理モジュールとを含み、
第１のシステムメッセージは、周期的に送信され、固定された物理リソースロケーションを占有する。
【００１０】
第２の態様によれば、本出願は、ネットワークデバイスを提供し、このネットワークデバイスは、
第１のシステムメッセージを決定するように構成される、処理モジュールであって、第１のシステムメッセージは、第１の指示情報を含み、第１の指示情報は、第１のシステムメッセージ以外のシステムメッセージを更新するために使用される情報を含む、処理モジュールと、
セル内で、処理モジュールによって決定された第１のシステムメッセージを送信するように構成される、送信モジュールとを含み、
第１のシステムメッセージは、周期的に送信され、固定された物理リソースロケーションを占有する。
【００１１】
第３の態様によれば、本出願は、システムメッセージ更新方法を提供し、
第１の端末デバイスによって、第１の端末デバイスが配置されるセルの第１のシステムメッセージを受信するステップと、
第１の端末デバイスによって、第１のシステムメッセージから第１の指示情報を取得するステップであって、第１の指示情報は、第１のシステムメッセージ以外のシステムメッセージを更新するために使用される情報を含む、ステップと、
第１の端末デバイスによって、取得された第１の指示情報に従って第１のシステムメッセージ以外のシステムメッセージを更新するステップとを含み、
第１のシステムメッセージは、周期的に送信され、固定された物理リソースロケーションを占有する。
【００１２】
第４の態様によれば、本出願は、システムメッセージ更新方法を提供し、
ネットワークデバイスによって、第１のシステムメッセージを決定するステップであって、第１のシステムメッセージは、第１の指示情報を含み、第１の指示情報は、第１のシステムメッセージ以外のシステムメッセージを更新するために使用される情報を含む、ステップと、
ネットワークデバイスによって、セルにおいて決定された第１のシステムメッセージを送信するステップとを含み、
第１のシステムメッセージは、周期的に送信され、固定された物理リソースロケーションを占有する。
【００１３】
第５の態様によれば、本出願は、ワイヤレス通信システムを提供し、
セルにおいて第１のシステムメッセージを送信するように構成されるネットワークデバイスであって、第１のシステムメッセージは、第１の指示情報を含み、第１の指示情報は、第１のシステムメッセージ以外のシステムメッセージを更新するために使用される情報を含む、ネットワークデバイスと、
端末デバイスであって、ネットワークデバイスによって送信された第１のシステムメッセージを受信し、第１のシステムメッセージから第１の指示情報を取得し、取得された第１の指示情報に従って第１のシステムメッセージ以外のシステムメッセージを更新するように構成される、端末デバイスとを含み、
第１のシステムメッセージは、周期的に送信され、固定された物理リソースロケーションを占有する。
【００１４】
前述の態様のうちのいずれか１つにおいて、第１の指示情報は、ページングメッセージの代わりに第１のシステムメッセージで送信される。第１のシステムメッセージは、周期的に送信され、固定された物理リソースロケーションを占有するので、端末デバイスは、指示情報に従って第１のシステムメッセージ以外のシステムメッセージを更新してもよく、それによってすべてのシステムメッセージを更新する。システムメッセージの変化がページングメッセージを使用することによって知られる現在のソリューションと比較して、端末デバイスがシステムメッセージの変化を示すために使用されるページングメッセージを受信することに失敗することがあり、さらに、端末デバイスのＤＲＸサイクルがシステムメッセージ修正周期よりも長いためにシステムメッセージを更新することができないということが回避される。
【００１５】
前述の態様のいずれか１つに関連し、第１の可能な実装において、第１のシステムメッセージ以外のシステムメッセージは、第２のシステムメッセージ、少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含み、
第２のシステムメッセージは、少なくとも２つの第３のシステムメッセージのスケジューリング情報を含み、
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【００１６】
第３のシステムメッセージは、アクティベーション関係の第３のシステムメッセージおよび通常の第３のシステムメッセージにさらに分類される。したがって、これらのシステムメッセージは、より柔軟な指示方式で更新されてよく、端末デバイスによってシステムメッセージを更新する方法は、柔軟性がより高い。
【００１７】
前述の態様のうちのいずれか１つの第１の可能な実装に関連し、第２の可能な実装において、
第１の指示情報が第２の指示情報を含み、第２の指示情報は、セル内で現在使用される第２のシステムメッセージと少なくとも１つの通常の第３のシステムメッセージとの組合せの構成バージョンを示すために使用され、１つのシステムメッセージ更新周期において、第２のシステムメッセージおよび少なくとも１つの通常の第３のシステムメッセージにおけるいずれか１つまたは複数のシステムメッセージについての更新について、構成バージョンが１回変わるときに、
第２の指示情報によって示される構成バージョンが、端末デバイスによって記録された構成バージョンと異なる場合に、端末デバイスは、第２のシステムメッセージを更新し、または
第２の指示情報によって示される構成バージョンが、端末デバイスによって記録された構成バージョンと同じである場合に、端末デバイスは、第２のシステムメッセージが更新される必要はないと決定する。
【００１８】
端末デバイスは、第２の指示情報に従って、システムメッセージが読み出される必要があるかどうかを決定してもよく、それによって、エネルギー消費を低減し、処理負荷を軽減する。
【００１９】
前述の態様のうちのいずれか１つの第２の可能な実装に関連し、第３の可能な実装において、第２のシステムメッセージが少なくとも１つの第３の指示情報を含み、１つの第３の指示情報が１つの通常の第３のシステムメッセージに対応し、対応する通常の第３のシステムメッセージが構成バージョンの最新の変化に関して更新されるかどうかを示すために使用されるときに、少なくとも１つの第３の指示情報は、第２のシステムメッセージが更新された後に第２のシステムメッセージから取得され、
第２の指示情報によって示される構成バージョンが、端末デバイスによって記録された構成バージョンと異なり、２つの構成バージョンの間に他の異なる構成バージョンがない場合に、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいずれのシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って、通常の第３のシステムメッセージを読み出すように受信モジュールを制御するオペレーションが実行される。
【００２０】
各通常の第３のシステムメッセージについて、メッセージが更新されるかどうかが示される。一方で、端末デバイスは、更新された通常の第３のシステムメッセージのみについてシステムメッセージを更新してもよく、それによって、エネルギー消費を低減し、処理負荷を軽減する。他方では、各第３の指示情報に従って、通常の第３のシステムメッセージのいずれも更新されないと決定したときに、端末デバイスは、通常の第３システムメッセージは更新される必要がないことを決定してもよく、それによって、エネルギー消費を低減し、処理負荷を軽減する。
【００２１】
前述の態様のうちのいずれか１つの第３の可能な実装に関連し、第４の可能な実装において、第２の指示情報によって示される構成バージョンと端末デバイスによって記録された構成バージョンとの間に他の異なる構成バージョンがある場合に、
各通常の第３のシステムメッセージについて、受信モジュールは、通常の第３のシステムメッセージのものであり、更新された第２のシステムメッセージ内にあるスケジューリング情報に従って、通常の第３のシステムメッセージを読み出すように制御される。
【００２２】
第２の指示情報によって示される構成バージョンと端末デバイスによって記録された構成バージョンとの間に他の異なる構成バージョンがある場合、第３の指示情報だけに従って、対応する通常の第３のシステムメッセージが更新されるかどうかは正しく決定されることができない。このケースでは、端末デバイスは、すべての通常の第３のシステムメッセージを更新する必要がある。
【００２３】
前述の態様のうちのいずれか１つの第１から第４の可能な実装のうちのいずれか１つに関連し、第５の可能な実装において、第１の指示情報が少なくとも１つの第４の指示情報をさらに含み、１つの第４の指示情報が１つのアクティベーション関係の第３のシステムメッセージに対応して、セル内の端末デバイスが対応するアクティベーション関係の第３のシステムメッセージを更新する必要があるかどうかを示すために使用されるときに、
第４の指示情報が、セル内の端末デバイスが対応するアクティベーション関係の第３のシステムメッセージを更新する必要があることを示す場合に、端末デバイスは、対応するアクティベーション関係の第３のシステムメッセージを更新し、または
第４の指示情報が、セル内の端末デバイスが対応するアクティベーション関係の第３のシステムメッセージを更新する必要がないことを示す場合に、端末デバイスは、対応するアクティベーション関係の第３のシステムメッセージが更新される必要がないと決定する。
【００２４】
各アクティベーション関係の第３のシステムメッセージについて、システムメッセージが更新される必要があるかどうかが示される。加えて、アクティベーション関係の第３のシステムメッセージは、セルの特定の機能がアクティベートされたときにセル内の端末デバイスによって取得される必要があるシステムメッセージである。したがって、アクティベーション関係の第３のシステムメッセージが更新される必要があるかどうかが示されるときに、端末デバイスは、セルの特定の機能がアクティベートされることを通知される。通常の第３のシステムメッセージと異なり、端末デバイスは、他の指示情報を参照して、システムメッセージが更新される必要があるかどうかを決定する必要はない。第４の指示情報が、対応するアクティベーション関係の第３のシステムメッセージが更新される必要があることを示すときに、端末デバイスは、アクティベーション関係の第３のシステムメッセージが更新される必要があると決定し、または第４の指示情報が、対応するアクティベーション関係の第３のシステムメッセージが更新される必要がないことを示すときに、端末デバイスは、アクティベーション関係の第３のシステムメッセージが更新される必要がないと決定する。これは、通常の第３のシステムメッセージを更新する前述のメカニズムと異なる。
【００２５】
第６の態様によれば、本出願は、端末デバイスを提供し、
端末デバイスが配置されるセルの第１のシステムメッセージを受信するように構成される受信モジュールであって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信モジュールと、
処理モジュールであって、受信モジュールによって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合、記録されたページング関係のシステムメッセージに従ってページングメッセージを受信するように受信モジュールを制御し、受信モジュールによって受信されたページングメッセージ内のシステムメッセージ更新に関係する第２の指示情報に従ってシステムメッセージを更新するように構成される、処理モジュールとを含む。
【００２６】
第７の態様によれば、本出願は、ネットワークデバイスを提供し、
第１のシステムメッセージを決定するように構成される、処理モジュールであって、第１のシステムメッセージは、第１の指示情報を含み、第１の指示情報は、ページング関係のシステムメッセージが更新されるかどうかを示すために使用される、処理モジュールと、
セル内で、処理モジュールによって決定された第１のシステムメッセージを送信するように構成される、送信モジュールとを含み、
処理モジュールは、ページングメッセージを決定するようにさらに構成され、ページングメッセージは、システムメッセージ更新に関係する第２の指示情報を含み、
送信モジュールが、セル内で、処理モジュールによって決定されたページングメッセージを送信するようにさらに構成され、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００２７】
第８の態様によれば、本出願は、システムメッセージ更新方法を提供し、
第１の端末デバイスによって、第１の端末デバイスが配置されるセルの第１のシステムメッセージを受信するステップであって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、ステップと、
第１の端末デバイスによって、第１のシステムメッセージから第１の指示情報を取得するステップであって、第１の指示情報は、ページング関係のシステムメッセージが更新されるかどうかを示すために使用される、ステップと、
第１の指示情報が、ページング関係のシステムメッセージが更新されないことを示す場合に、
第１の端末デバイスによって、記録されたページング関係のシステムメッセージに従ってページングメッセージを受信するステップと、
第１の端末デバイスによって、受信されたページングメッセージにおけるシステムメッセージ更新に関係する第２の指示情報に従ってシステムメッセージを更新するステップとを含む。
【００２８】
第９の態様によれば、本出願は、システムメッセージ更新方法を提供し、
ネットワークデバイスによって、第１のシステムメッセージを決定するステップであって、第１のシステムメッセージは、第１の指示情報を含み、第１の指示情報は、ページング関係のシステムメッセージが更新されるかどうかを示すために使用される、ステップと、
ネットワークデバイスによって、セルにおいて決定された第１のシステムメッセージを送信するステップと、
ネットワークデバイスによって、ページングメッセージを決定するステップであって、ページングメッセージは、システムメッセージ更新に関係する第２の指示情報を含む、ステップと、
ネットワークデバイスによって、セルにおいて決定されたページングメッセージを送信するステップとを含み、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００２９】
第１０の態様によれば、本出願は、ワイヤレス通信システムを提供し、
ネットワークデバイスであって、セルにおいて第１のシステムメッセージを送信し、第１のシステムメッセージは、第１の指示情報を含み、第１の指示情報は、ページング関係のシステムメッセージが更新されるかどうかを示すために使用され、セルにおいてページングメッセージを送信し、ページングメッセージは、システムメッセージ更新に関係する第２の指示情報を含む、ように構成されるネットワークデバイスと、
端末デバイスであって、セルにおいてネットワークデバイスによって送信された第１のシステムメッセージを受信し、第１のシステムメッセージから第１の指示情報を取得し、第１の指示情報が、ページング関係のシステムメッセージが更新されないことを示す場合に、記録されたページング関係のシステムメッセージに従ってページングメッセージを受信し、受信されたページングメッセージにおけるシステムメッセージ更新に関係する第２の指示情報に従ってシステムメッセージを更新するように構成される端末デバイスとを含み、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００３０】
第６の態様から第１０の態様のいずれか１つにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常通り、記録されたページング関係のシステムメッセージに従ってページングメッセージを受信してもよく、ページングメッセージからシステムメッセージ更新に関係する指示情報をさらに取得し、ページングメッセージから取得された指示情報に従ってシステムメッセージを更新するようになる。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信でき、ページングメッセージからシステムメッセージ更新に関係する指示情報を成功裡に取得し、システムメッセージを成功裡に更新するようになる。
【００３１】
第６の態様から第１０の態様のいずれか１つに関連し、第２の指示情報は、第３の指示情報、第４の指示情報、および少なくとも１つの第５の指示情報を含み、
第３の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
第４の指示情報は、第２のシステムメッセージが構成バージョンの最新の変化に関して更新されるかどうかを示すために使用され、
１つの第５の指示情報は、１つの第３のシステムメッセージに対応しており、対応する第３のシステムメッセージが構成バージョンの最新の変化に関して更新されるかどうかを示すために使用される。
【００３２】
第３の指示情報を使用することによって、ネットワークデバイスは端末デバイスに、複数のシステムメッセージ更新周期において第２のシステムメッセージおよび第３のシステムメッセージの変化ステータスを通知し得る。端末デバイスは、第３の指示情報および第５の指示情報に関して、第３のシステムメッセージが更新される必要があるかどうかを決定し、第３の指示情報を更新する方式を決定し得る。
【００３３】
第４の指示情報を使用することによって、ネットワークデバイスは端末デバイスに、第３のシステムメッセージのスケジューリング情報を含む第２のシステムメッセージが更新されるかどうかを通知し得る。このようにして、端末デバイスは、第３の指示情報および第４の指示情報に関して、第２のシステムメッセージが更新される必要があるかどうかを決定し、記録された第２のシステムメッセージまたは更新された第２のシステムメッセージに従って第３のシステムメッセージを更新し得る。
【００３４】
第６の態様から第１０の態様のいずれか１つの第１の可能な実装に関連し、第２の可能な実装において、第３の指示情報によって示される構成バージョンが端末デバイスによって記録された構成バージョンと同じである場合、システムメッセージは更新される必要がなく、または
第３の指示情報によって示される構成バージョンが、端末デバイスによって記録された構成バージョンと異なり、２つの構成バージョンの間に他の異なる構成バージョンがない場合に、第４の指示情報が、第２のシステムメッセージが構成バージョンの最新の変化に関して更新されることを示すときに、第２のシステムメッセージは更新され、または第４の指示情報が、第２のシステムメッセージが構成バージョンの最新の変化に関して更新されないことを示すときに、第２のシステムメッセージは更新される必要はない。
【００３５】
第６の態様から第１０の態様のいずれか１つの第２の可能な実装に関連し、第３の可能な実装において、
第３の指示情報によって示される構成バージョンが、端末デバイスによって記録された構成バージョンと異なり、２つの構成バージョンの間に他の異なる構成バージョンがない場合に、
少なくとも１つの第５の指示情報における各第３の指示情報が、対応する第３のシステムメッセージが構成バージョンの最新の変化に関して更新されないことを示すときに、端末デバイスは、少なくとも１つの第３のシステムメッセージにおけるいずれのシステムメッセージも更新される必要がないと決定し、または
少なくとも１つの第５の指示情報における１つまたは複数の第５の指示情報が、対応する第３のシステムメッセージが構成バージョンの最新の変化に関して更新されることを示すときに、端末デバイスは、各更新された第３のシステムメッセージを更新する。
【００３６】
第６の態様から第１０の態様のいずれか１つの第１の可能な実装に関連し、第４の可能な実装において、
第３の指示情報によって示される構成バージョンが、端末デバイスによって記録された構成バージョンと異なり、２つの構成バージョンの間に他の異なる構成バージョンがない場合に、
端末デバイスは第２のシステムメッセージを更新し、少なくとも１つの第３のシステムメッセージのものであり、更新された第２のシステムメッセージ内にあるスケジューリング情報に従って各第３のシステムメッセージを更新する。
【００３７】
第６の態様から第１０の態様のいずれか１つに関連し、第５の可能な実装において、第１の指示情報が、ページング関係のシステムメッセージが更新されることを示す場合、第２のシステムメッセージは更新され、
第６の指示情報、および少なくとも１つの第７の指示情報は、第２のシステムメッセージから取得され、第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、１つの第７の指示情報は、１つの第３のシステムメッセージに対応しており、対応する第３のシステムメッセージが構成バージョンの最新の変化に関して更新されるかどうかを示すために使用され、
システムメッセージは、第６の指示情報、および少なくとも１つの第７の指示情報に従って更新される。
【００３８】
第６の態様から第１０の態様のいずれか１つの第５の可能な実装に関連し、第６の可能な実装において、
第６の指示情報によって示される構成バージョンが、端末デバイスによって記録された構成バージョンと異なり、２つの構成バージョンの間に他の異なる構成バージョンがない場合に、少なくとも１つの第７の指示情報によって示される各更新された第３のシステムメッセージについて、第３のシステムメッセージは、更新され、または
第６の指示情報によって示される構成バージョンが、端末デバイスによって記録された構成バージョンと異なり、２つの構成バージョンの間に他の異なる構成バージョンがある場合に、少なくとも１つの第３のシステムメッセージにおける各システムメッセージは、更新される。
【００３９】
ページング関係のシステムメッセージが変わったときに、端末デバイスは、最初に、第２のシステムメッセージを更新し、第２のシステムメッセージ内の第６の指示情報および第７の指示情報に従って第３のシステムメッセージを更新する。
【００４０】
第１１の態様によれば、本出願は、端末デバイスを提供し、
端末デバイスが配置されるセルのページングメッセージを受信するように構成される受信モジュールであって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信モジュールと、
受信モジュールによって受信されるシステムメッセージ更新指示情報に従ってシステムメッセージを更新するように構成される処理モジュールとを含み、
第１のシステムメッセージは、周期的に送信され、固定された物理リソースロケーションを占有し、
第２のシステムメッセージは、少なくとも１つの第３のシステムメッセージのスケジューリング情報を含む。
【００４１】
第１２の態様によれば、本出願は、ネットワークデバイスを提供し、
ページングメッセージを決定するように構成される、処理モジュールであって、ページングメッセージは、システムメッセージ更新指示情報を含む、処理モジュールと、
セル内で、処理モジュールによって決定されたページングメッセージを送信するように構成される、送信モジュールとを含み、
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを指示し、
第１のシステムメッセージは、周期的に送信され、固定された物理リソースロケーションを占有し、第２のシステムメッセージは、少なくとも１つの第３のシステムメッセージのスケジューリング情報を含む。
【００４２】
第１３の態様によれば、本出願は、システムメッセージ更新方法を提供し、
第１の端末デバイスによって、第１の端末デバイスが配置されるセルのページングメッセージを受信するステップであって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、第１の端末デバイスが配置されるセル内の端末デバイスがシステムメッセージを更新する必要があるかどうかを示す、ステップと、
第１の端末デバイスによって、システムメッセージ更新指示情報に従ってシステムメッセージを更新するステップとを含み、
第１のシステムメッセージは、周期的に送信され、固定された物理リソースロケーションを占有し、
第２のシステムメッセージは、少なくとも１つの第３のシステムメッセージのスケジューリング情報を含む。
【００４３】
第１４の態様によれば、本出願は、システムメッセージ更新方法を提供し、
ネットワークデバイスによって、ページングメッセージを決定するステップであって、ページングメッセージは、システムメッセージ更新指示情報を含む、ステップと、
ネットワークデバイスによって、セルにおけるページングメッセージを送信するステップとを含み、
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを指示し、
第１のシステムメッセージは、周期的に送信され、固定された物理リソースロケーションを占有し、第２のシステムメッセージは、少なくとも１つの第３のシステムメッセージのスケジューリング情報を含む。
【００４４】
第１５の態様によれば、本出願は、ワイヤレス通信システムを提供し、
セルにおいてページングメッセージを送信するように構成されるネットワークデバイスであって、ページングメッセージは、システムメッセージ更新指示情報を含み、第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す、ネットワークデバイスと、
第１の端末デバイスであって、セルにおいてネットワークデバイスによって送信されたページングメッセージを受信し、システムメッセージ更新指示情報に従ってシステムメッセージを更新するように構成される、第１の端末デバイスとを含み、
第１のシステムメッセージは、周期的に送信され、固定された物理リソースロケーションを占有し、第２のシステムメッセージは、少なくとも１つの第３のシステムメッセージのスケジューリング情報を含む。
【００４５】
第１１の態様から第１５の態様のいずれか１つにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく、記録された第２のシステムメッセージだけに従って更新を実行し、それによって、端末デバイスのシステムメッセージ更新効率を改善する。
【００４６】
第１６の態様によれば、本出願は、端末デバイスを提供し、
処理モジュールであって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成される処理モジュールと、
受信モジュールであって、少なくとも１つのシステムメッセージにおける各システムメッセージについて、ネットワークデバイスによってシステムメッセージを送信するために使用され、処理モジュールによって決定される開始位置、送信周期、および繰り返しの量に従ってシステムメッセージを受信するように構成される受信モジュールとを含み、
システムメッセージを２回送信する間の時間間隔において、１つまたは複数の他のシステムメッセージがネットワークデバイスによって送信される。
【００４７】
第１７の態様によれば、本出願は、ネットワークデバイスを提供し、
処理モジュールであって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成される処理モジュールと、
送信モジュールであって、処理モジュールによって決定された少なくとも１つのシステムメッセージにおける各システムメッセージについて、システムメッセージを送信するために使用される決定された開始位置、送信周期、および繰り返しの量に従ってシステムメッセージを送信するように構成される送信モジュールとを含み、
システムメッセージを２回送信する間の時間間隔において、１つまたは複数の他のシステムメッセージが送信される。
【００４８】
第１８の態様によれば、本出願は、システムメッセージ受信方法を提供し、
第１の端末デバイスによって、少なくとも１つのシステムメッセージが受信される必要があると決定するステップと、
少なくとも１つのシステムメッセージにおける各システムメッセージについて、第１の端末デバイスによって、ネットワークデバイスによってシステムメッセージを送信するために使用される開始位置、送信周期、および繰り返しの量を決定するステップと、
少なくとも１つのシステムメッセージにおける各システムメッセージについて、第１の端末デバイスによって、ネットワークデバイスによってシステムメッセージを送信するために使用される決定された開始位置、送信周期、および繰り返しの量に従ってシステムメッセージを受信するステップとを含み、
システムメッセージを２回送信する間の時間間隔において、１つまたは複数の他のシステムメッセージがネットワークデバイスによって送信される。
【００４９】
第１９の態様によれば、本出願は、システムメッセージ送信方法を提供し、
ネットワークデバイスによって、少なくとも１つのシステムメッセージが送信される必要があると決定するステップと、
少なくとも１つのシステムメッセージにおける各システムメッセージについて、ネットワークデバイスによって、システムメッセージを送信するために使用される開始位置、送信周期、および繰り返しの量を決定するステップと、
少なくとも１つのシステムメッセージにおける各システムメッセージについて、ネットワークデバイスによって、システムメッセージを送信するために使用される決定された開始位置、送信周期、および繰り返しの量に従ってシステムメッセージを送信するステップとを含み、
システムメッセージを２回送信する間の時間間隔において、１つまたは複数の他のシステムメッセージが送信される。
【００５０】
第２０の態様によれば、本出願は、ワイヤレス通信システムを提供し、
ネットワークデバイスであって、少なくとも１つの送信されるシステムメッセージにおける各システムメッセージについて、システムメッセージを送信するために使用される開始位置、送信周期、および繰り返しの量を決定し、システムメッセージを送信するために使用される決定された開始位置、送信周期、および繰り返しの量に従ってシステムメッセージを送信するように構成されるネットワークデバイスと、
端末デバイスであって、ネットワークデバイスによって送信される少なくとも１つの受信されるシステムメッセージにおける各システムメッセージについて、ネットワークデバイスによってシステムメッセージを送信するために使用される開始位置、送信周期、および繰り返しの量を決定し、ネットワークデバイスによってシステムメッセージを送信するために使用される決定された開始位置、送信周期、および繰り返しの量に従ってシステムメッセージを受信するように構成される端末デバイスとを含み、
システムメッセージを２回送信する間の時間間隔において、１つまたは複数の他のシステムメッセージがネットワークデバイスによって送信される。
【００５１】
第１６の態様から第２０の態様のいずれか１つにおいて、システムメッセージを２回繰り返し送信する処理において、ネットワークデバイスは、他のシステムメッセージをさらに送信する。したがって、より良好なカバレッジを有する端末デバイスは、システムメッセージの繰り返し送信の完了を待たずに次のシステムメッセージを受信してよく、更新される必要のあるすべてのシステムメッセージが更新されるときに、端末デバイスは、繰り返し送信されるその後のシステムメッセージを受信することなくスリープ状態に入り得る。このようにして、より良好なカバレッジを有する端末のシステムメッセージ更新効率は、改善されることができ、不必要な繰り返されるシステムメッセージの受信によって引き起こされるそのような端末デバイスのエネルギー消費は、低減されることができる。
【図面の簡単な説明】
【００５２】
【図１】ＬＴＥシステムにおけるページングメッセージに従って端末デバイスがシステムメッセージを更新する処理の概略図である。
【図２】長いＤＲＸサイクルを有する端末デバイスがシステムメッセージを成功裡に更新することに失敗する概略図である。
【図３】本出願の実施形態１によるワイヤレス通信システムの概略構造図である。
【図４】本出願の実施形態１によるワイヤレス通信システムにおける適用可能なＣＩｏＴシステムの概略構造図である。
【図５】本出願の実施形態２による第１のシステムメッセージ更新ソリューションのフローチャートである。
【図６Ａ】本出願の実施形態２による任意選択のソリューション３のフローチャートである。
【図６Ｂ】本出願の実施形態２による任意選択のソリューション３のフローチャートである。
【図７】本出願の実施形態３による第２のシステムメッセージ更新ソリューションのフローチャートである。
【図８】本出願の実施形態４による第３のシステムメッセージ更新ソリューションのフローチャートである。
【図９Ａ】本出願の実施形態５によるシステムメッセージ伝送ソリューションのフローチャートである。
【図９Ｂ】本出願の実施形態５によるシステムメッセージ伝送方式の概略図である。
【図９Ｃ】本出願の実施形態５による他のシステムメッセージ伝送方式の概略図である。
【図１０】本出願の実施形態６による第１のタイプの端末デバイスの概略構造図である。
【図１１】本出願の実施形態７による第２のタイプの端末デバイスの概略構造図である。
【図１２】本出願の実施形態８による第１のタイプのネットワークデバイスの概略構造図である。
【図１３】本出願の実施形態９による第２のタイプのネットワークデバイスの概略構造図である。
【図１４】本出願の実施形態１０による第１のシステムメッセージ更新方法のフローチャートである。
【図１５】本出願の実施形態１１による第２のシステムメッセージ更新方法のフローチャートである。
【図１６】本出願の実施形態１２による第３のタイプの端末デバイスの概略構造図である。
【図１７】本出願の実施形態１３による第４のタイプの端末デバイスの概略構造図である。
【図１８】本出願の実施形態１４による第３のタイプのネットワークデバイスの概略構造図である。
【図１９】本出願の実施形態１５による第４のタイプのネットワークデバイスの概略構造図である。
【図２０】本出願の実施形態１６による第３のシステムメッセージ更新方法のフローチャートである。
【図２１】本出願の実施形態１７による第４のシステムメッセージ更新方法のフローチャートである。
【図２２】本出願の実施形態１８による第５のタイプの端末デバイスの概略構造図である。
【図２３】本出願の実施形態１９による第６のタイプの端末デバイスの概略構造図である。
【図２４】本出願の実施形態２０による第５のタイプのネットワークデバイスの概略構造図である。
【図２５】本出願の実施形態２１による第６のタイプのネットワークデバイスの概略構造図である。
【図２６】本出願の実施形態２２による第５のシステムメッセージ更新方法のフローチャートである。
【図２７】本出願の実施形態２３による第６のシステムメッセージ更新方法のフローチャートである。
【図２８】本出願の実施形態２４による第７のタイプの端末デバイスの概略構造図である。
【図２９】本出願の実施形態２５による第８のタイプの端末デバイスの概略構造図である。
【図３０】本出願の実施形態２６による第７のタイプのネットワークデバイスの概略構造図である。
【図３１】本出願の実施形態２７による第８のタイプのネットワークデバイスの概略構造図である。
【図３２】本出願の実施形態２８による第７のシステムメッセージ伝送方法のフローチャートである。
【図３３】本出願の実施形態２９による第８のシステムメッセージ伝送方法のフローチャートである。
【発明を実施するための形態】
【００５３】
本出願の上記の目的、ソリューション、および利点をよりよく理解するために、詳細な説明が以下に提供される。詳細な説明は、ブロック図およびフローチャートおよび／または例などの添付図面を使用することによって装置および／または方法の様々な実装を例証する。これらのブロック図、フローチャート、および／または例に、１つまたは複数の機能および／またはオペレーションが含まれる。当業者は、これらのブロック図、フローチャート、または例における各機能および／またはオペレーションは、様々なハードウェア、ソフトウェア、およびファームウェアによって別々にもしくは一緒に実装されるか、またはハードウェア、ソフトウェア、およびファームウェアの任意の組合せによって実装されることができることを認識するだろう。
【００５４】
一態様によれば、本出願は、システムメッセージ更新ソリューションを提供する。このソリューションにおいて、ネットワークデバイスは、指示情報を、送信される第１のシステムメッセージに追加し、第１のシステムメッセージを受信した後に、端末デバイスは、指示情報に従って第１のシステムメッセージ以外のシステムメッセージを更新する。第１のシステムメッセージは、周期的に送信され、固定された物理リソースロケーションを占有する。
【００５５】
このソリューションにおいて、指示情報は、ページングメッセージの代わりに第１のシステムメッセージで送信される。端末デバイスは、指示情報に従って第１のシステムメッセージ以外のシステムメッセージを更新してもよく、それによって、すべてのシステムメッセージを更新する。システムメッセージの変化がページングメッセージを使用することによって知られる現在のソリューションと比較して、端末デバイスがシステムメッセージの変化を示すために使用されるページングメッセージを受信することに失敗することがあり、さらに、端末デバイスのＤＲＸサイクルがシステムメッセージ修正周期よりも長いためにシステムメッセージを更新することができないということが回避される。
【００５６】
他の態様によれば、本出願は、他のシステムメッセージ更新ソリューションを提供する。このソリューションにおいて、ネットワークデバイスによって送信されるシステムメッセージは、第１のシステムメッセージ、第２のシステムメッセージ、および少なくとも１つの第３のシステムメッセージを含む。第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。第１のシステムメッセージを送信するときに、ネットワークデバイスは指示情報を第１のシステムメッセージに追加し、指示情報は、第３のシステムメッセージにおけるページング関係のシステムメッセージが更新されるかどうかを示すために使用される。指示情報が、ページング関係のシステムメッセージが更新されないことを示す場合、端末デバイスは、記録されたページング関係のシステムメッセージに従ってページングメッセージを受信し、受信されたページングメッセージ内のシステムメッセージ更新に関係する指示情報に従ってシステムメッセージを更新する。
【００５７】
このソリューションにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常通り、記録されたページング関係のシステムメッセージに従ってページングメッセージを受信してもよく、ページングメッセージからシステムメッセージ更新に関係する指示情報をさらに取得し、ページングメッセージから取得された指示情報に従ってシステムメッセージを更新するようになる。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信でき、ページングメッセージからシステムメッセージ更新に関係する指示情報を成功裡に取得し、システムメッセージを成功裡に更新するようになる。
【００５８】
なおも他の態様によれば、本出願は、なおも他のシステムメッセージ更新ソリューションを提供する。このソリューションは、ページングメッセージが正常に受信されることができるシナリオに適用される。たとえば、システムメッセージ更新周期は、ＤＲＸサイクルの整数倍である。このソリューションでは、ネットワークデバイスがページングメッセージを送信するときに、第１のシステムメッセージ、第２のシステムメッセージ、および少なくとも１つの第３のシステムメッセージについて、ページングメッセージで運ばれるシステムメッセージ更新指示情報は、第１の端末デバイスがシステムメッセージを更新する必要があるかどうかを指示し、端末デバイスは、システムメッセージ更新指示情報に従ってシステムメッセージを更新する。第１のシステムメッセージは、周期的に送信され、固定された物理リソースロケーションを占有し、第２のシステムメッセージは、少なくとも１つの第３のシステムメッセージのスケジューリング情報を含む。
【００５９】
このソリューションにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく、記録された第２のシステムメッセージだけに従って更新を実行し、それによって、端末デバイスのシステムメッセージ更新効率を改善する。
【００６０】
さらに他の態様によれば、本出願は、システムメッセージ送信ソリューションを提供する。システムメッセージを送信するときに、ネットワークデバイスは、システムメッセージを２回送信する間の全時間間隔において１つまたは複数の他のシステムメッセージを送信する。
【００６１】
現在、各システムメッセージは、１つのＳＩウィンドウ（ＳＩ−ｗｉｎｄｏｗ）だけで送信されることができ、システムメッセージウィンドウ内で複数回送信されてよい。システムメッセージのＳＩウィンドウは、他のシステムメッセージのＳＩウィンドウに隣接している。しかしながら、１つのシステムメッセージだけが、１つのＳＩウィンドウで送信されることができる。ＳＩウィンドウでシステムメッセージを受信した後、端末デバイスは、次のＳＩウィンドウを、次のシステムメッセージを受信するために待つ必要がある。本出願で提供されるソリューションにおいて、ネットワークデバイスは、システムメッセージを２回繰り返し送信する処理において他のシステムメッセージをさらに送信する。このケースでは、システムメッセージを受信した後、端末デバイスは、システムメッセージウィンドウを待つことなく他のシステムメッセージを受信してもよく、それによってシステムメッセージ更新効率を改善する。
【００６２】
理解を容易にするため、次に、本出願に含まれる基本概念を説明する。
【００６３】
１．ＣＩｏＴ
セルラーモノのインターネット（Ｃｅｌｌｕｌａｒ  Ｉｎｔｅｒｎｅｔ  ｏｆ  Ｔｈｉｎｇｓ、ＣＩｏＴ）は、セルラーネットワークに基づき実装されるモノのインターネットである。
【００６４】
爆発的なモバイルデータトラフィックの増加、膨大な量のデバイス接続、様々な新しいサービスの途切れない出現および将来におけるアプリケーションシナリオに対処するために、第５世代（５ｔｈ  Ｇｅｎｅｒａｔｉｏｎ、５Ｇ）モバイル通信システムが出現している。５Ｇシステムの一部として、モノのインターネットは、急速に増大する市場要求を有している。予測は、２０２２年までに、５Ｇシステムに基づき実装されるモノのインターネットにおける接続量は１８０億に達するだろうことを示している。
【００６５】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、セルラーネットワークに基づくモノのインターネットに取り組み、モノのインターネットのサービスを伝えるために新しい無線インターフェース（「無線インターフェース」または「ワイヤレスインターフェース」とも称される）技術を設計している。
【００６６】
本出願で提供されるシステムメッセージ伝送ソリューションは、端末デバイスのＤＲＸサイクルがシステムメッセージ修正周期よりも長いときに、端末デバイスがシステムメッセージを成功裡に更新することに失敗することがあるというモノのインターネットの問題を解決するために、ＩｏＴに適用され得るか、またはＣＩｏＴに適用され得る。しかしながら、それはシステムメッセージ伝送ソリューションがＩｏＴにのみ適用されることができることを意味しない。実際、端末デバイスは、端末デバイスのＤＲＸサイクルがシステムメッセージ修正周期よりも長いならば、システムメッセージを成功裡に更新することに失敗することがある。本出願で提供されるソリューションは、端末デバイスのＤＲＸサイクルがシステムメッセージ修正周期よりも長いために端末デバイスがシステムメッセージを成功裡に更新することができないという問題を解決するために使用される。ソリューションが適用されるシステムまたはネットワークは制限されない。
【００６７】
２．システム情報
システム情報は、基地局などのネットワークデバイスによってワイヤレス通信システムにおけるセル内の端末デバイスに送信されるメッセージである。メッセージは、セルのセルレベル情報を含み、セルレベル情報は、セルにアクセスするすべての端末デバイスに対して有効である。一般的に、ネットワークデバイスは、ブロードキャスト方式でシステム情報を送信する。
【００６８】
システム情報は、システム情報の内容、重要度、および同様のものに従ってさらに分割され得る。次に、現在のＬＴＥシステムにおけるシステムメッセージを使用することによってシステム情報の構成を一例として説明する。分割方式は、現在のＬＴＥシステムと他のシステムとの間でわずかに異なるが、原理は基本的に同じであり、詳細は本明細書では説明されない。
【００６９】
ＬＴＥシステムにおいて、システム情報はマスター情報ブロック（ＭａｓｔｅｒＩｎｆｏｒｍａｔｉｏｎＢｌｏｃｋ、ＭＩＢ）および複数のシステム情報ブロック（ＳｙｓｔｅｍＩｎｆｏｒｍａｔｉｏｎＢｌｏｃｋ、ＳＩＢ）に分割されてよく、ＳＩＢはＳＩＢ１と他のＳＩＢとを含む。各システム情報は、機能に関係する一連のパラメータのセットを含む。
【００７０】
ＬＴＥシステムには、システム情報を伝送するために使用される３タイプのＲＲＣメッセージがあり、３タイプのＲＲＣメッセージは、それぞれ、
（１）ＭＩＢを伝送するために使用されるＭＩＢメッセージ、
（２）ＳＩＢ１を伝送するために使用されるＳＩＢ１メッセージ、および
（３）ＳＩＢ１以外のＳＩＢを伝送するために使用される１つまたは複数のＳＩメッセージ
である。
【００７１】
ＭＩＢメッセージは、物理ブロードキャストチャネル（Ｐｈｙｓｉｃａｌ  Ｂｒｏａｄｃａｓｔ  ＣＨａｎｎｅｌ、ＰＢＣＨ）上で伝送され、時間周波数リソースは固定される。ＳＩＢ１が存在する場合、ＳＩＢ１メッセージを伝送するために使用される周波数領域リソースは、物理ダウンリンク制御チャネル（Ｐｈｙｓｉｃａｌ  Ｄｏｗｎｌｉｎｋ  Ｃｏｎｔｒｏｌ  ＣＨａｎｎｅｌ、ＰＤＣＣＨ）シグナリングを使用することによってスケジューリングされ、ＳＩＢ１メッセージを伝送するために使用される時間領域リソースは、固定される。
【００７２】
ＭＩＢメッセージの固定された時間周波数ロケーションとは異なり、ＳＩＢ１メッセージおよびＳＩメッセージは両方とも、物理ダウンリンク共有チャネル（Ｐｈｙｓｉｃａｌ  Ｄｏｗｎｌｉｎｋ  Ｓｈａｒｅｄ  ＣＨａｎｎｅｌ、ＰＤＳＣＨ）上で伝送され、ＳＩＢ１メッセージおよびＳＩメッセージによって占有されるリソースブロック（Ｒｅｓｏｕｒｃｅ  Ｂｌｏｃｋ、ＲＢ）（周波数領域ロケーション）、ＳＩＢ１メッセージおよびＳＩメッセージの伝送フォーマット、ならびに同様のものは、動的にスケジューリングされ、ＰＤＣＣＨシグナリングを使用することによって示される。ＵＥは、ＳＩメッセージがサブフレーム内に存在するかどうかを決定するためにサブフレーム内のＰＤＣＣＨ上でブラインド検出を実行する（ＳＩＢ１の時間領域ロケーションが固定される）。
【００７３】
発展型ノードＢ（ｅｖｌｏｖｅｄ  ＮｏｄｅＢ、ｅＮＢ）は、特定のケースに従ってＳＩＢ１メッセージおよびＳＩメッセージの占有帯域幅、使用されるＲＢセット、伝送フォーマット、および同様のものを柔軟に変え得る。各ＳＩメッセージは、ＳＩＢ１以外の１つまたは複数のＳＩＢを含み、これらのＳＩＢは、同じスケジューリング要件（たとえば、同じ伝送周期）を有する。
【００７４】
ＳＩＢ１メッセージは、ＳＩメッセージに含まれるＳＩＢ、ならびにＳＩメッセージの周期、スケジューリング情報、および同様のものを指定する。
【００７５】
本出願では、システムメッセージは、次のように分類される。
【００７６】
（１）第１のシステムメッセージ：第１のシステムメッセージは、物理ブロードキャストチャネル（たとえば、ＬＴＥシステムにおけるＰＢＣＨ）上で周期的に送信され、固定された物理リソースロケーションを占有する（たとえば、占有される時間領域リソースロケーション、および占有される周波数領域リソースロケーションはＬＴＥシステムでは固定される）。一般的に、第１のシステムメッセージの送信周期は、システムメッセージ更新周期に比べて短い。
【００７７】
ＬＴＥシステムについて、第１のシステムメッセージはＭＩＢメッセージであってよく、送信周期は４０ｍｓである。
【００７８】
（２）第２のシステムメッセージ：第２のシステムメッセージは、サービスチャネル（たとえば、ＬＴＥシステムにおけるＰＤＳＣＨ）上で送信され、非固定の物理リソースロケーションを占有し（または時間領域ロケーションのみが固定され、周波数領域ロケーションはスケジューリングシグナリングを使用することによって指示され）、第２のシステムメッセージは、少なくとも１つの第３のシステムメッセージのスケジューリング情報を含む。第２のシステムメッセージは、周期的に送信され得る。第２のシステムメッセージが、周期的に送信される場合、第２のシステムメッセージの送信周期は、普通、システムメッセージ更新周期よりも短く、第１のシステムメッセージの送信周期よりも長い。
【００７９】
ＬＴＥシステムについて、第２のシステムメッセージは、ＳＩＢ１メッセージであってよく、ＳＩＢ１を伝送するために使用される。ＳＩＢ１メッセージは周期的に送信され、送信周期は８０ｍｓである。
【００８０】
（３）少なくとも１つの第３のシステムメッセージ：少なくとも１つの第３のシステムメッセージは、サービスチャネル（たとえば、ＬＴＥシステムにおけるＰＤＳＣＨ）上で送信され、非固定の物理リソースロケーションを占有する。
【００８１】
たとえば、ＬＴＥシステムについて、第３のシステムメッセージはＳＩメッセージである。
【００８２】
実施形態１において、システムメッセージは少なくとも２つの第３のシステムメッセージを含み、少なくとも２つのシステムメッセージは、少なくとも１つの通常の第３のシステムメッセージおよび少なくとも１つのアクティベーション関係の第３のシステムメッセージを含む。
【００８３】
アクティベーション関係の第３のシステムメッセージは、セルの特定の機能がアクティベートされたときにセル内の端末デバイスによって取得される必要があるシステムメッセージであり、通常の第３のシステムメッセージは、アクティベーション関係の第３のシステムメッセージ以外の少なくとも２つのシステムメッセージにおけるシステムメッセージである。
【００８４】
ＬＴＥシステムの一例において、すべてのＳＩメッセージの中にあり、ＳＩＢ１０、ＳＩＢ１１、ＳＩＢ１２、およびＳＩＢ１４を伝送するために使用されるＳＩメッセージは、アクティベーション関係の第３のシステムメッセージであってよく、ＳＩメッセージにおける他のシステムメッセージは、通常の第３のシステムメッセージである。
【００８５】
任意選択で、１つの通常の第３のシステムメッセージは、少なくとも１つのシステム情報を伝送するために使用されてよく、１つまたは複数のシステム情報が変わるときに、システム情報を伝送するための通常の第３のシステムメッセージは、更新される必要があると考えられる。１つのアクティベーション関係の第３のシステムメッセージが、また、少なくとも１つのシステム情報を伝送するために使用されてもよく、１つまたは複数のシステム情報が変わるときに、システム情報を伝送するためのアクティベーション関係の第３のシステムメッセージは、更新される必要があると考えられる。このケースでは、第３のシステムメッセージとシステム情報との間の関係は、一対多関係と称され得る。
【００８６】
代替として、任意選択で、１つの通常の第３のシステムメッセージは、少なくとも１つのシステム情報を伝送するために使用されてよく、１つまたは複数のシステム情報が変わるときに、システム情報を伝送するための通常の第３のシステムメッセージは、更新される必要があると考えられる。１つのアクティベーション関係の第３のシステムメッセージが、１つのシステム情報のみを伝送するために使用されてよく、システム情報が変わるときに、システム情報を伝送するためのアクティベーション関係の第３のシステムメッセージは、更新される必要があると考えられる。このケースでは、通常の第３のシステムメッセージとシステム情報との間の対応関係は、一対多関係と称されてもよく、アクティベーション関係の第３のシステムメッセージとシステム情報との間の対応関係は、一対一関係と称され得る。
【００８７】
なおも代替として、任意選択で、１つの通常の第３のシステムメッセージが、１つのシステム情報のみを伝送するために使用されてよく、システム情報が変わるときに、システム情報を伝送するための通常の第３のシステムメッセージは、更新される必要があると考えられる。１つのアクティベーション関係の第３のシステムメッセージが、少なくとも１つのシステム情報を伝送するために使用されてよく、１つまたは複数のシステム情報が変わるときに、システム情報を伝送するためのアクティベーション関係の第３のシステムメッセージは、更新される必要があると考えられる。このケースでは、通常の第３のシステムメッセージとシステム情報との間の対応関係は、一対一関係と称されてもよく、アクティベーション関係の第３のシステムメッセージとシステム情報との間の対応関係は、一対多関係と称され得る。
【００８８】
なおも代替として、任意選択で、１つの通常の第３のシステムメッセージが、１つのシステム情報のみを伝送するために使用されてよく、システム情報が変わるときに、システム情報を伝送するための通常の第３のシステムメッセージは、更新される必要があると考えられる。１つのアクティベーション関係の第３のシステムメッセージが、１つのシステム情報のみを伝送するために使用されてよく、システム情報が変わるときに、システム情報を伝送するためのアクティベーション関係の第３のシステムメッセージは、更新される必要があると考えられる。このケースでは、第３のシステムメッセージとシステム情報との間の対応関係は、一対一関係と称され得る。
【００８９】
現在のＬＴＥシステムにおいて、ページングメッセージを読み込んでシステム情報が更新される必要があることを知るときに、端末デバイスは、すべてのシステムメッセージを読み出す必要がある。しかしながら、本出願では、異なるシステムメッセージについて、システムメッセージが更新される必要があるかどうかが指示され、したがって端末デバイスは、更新される必要のないシステムメッセージを読み出す必要はなく、それによって、エネルギー消費を低減し、処理負荷を軽減する。特に、システムメッセージがシステム情報と一対一関係にあるときに、システム情報の変化は、各システム情報について知られ得る。端末デバイスは、１つのシステム情報が変わったときのみ対応するシステムメッセージを読み出す必要がある。システムメッセージとシステム情報との間の一対多関係と比較して、分割はより精緻化され、それによって、端末デバイスのエネルギー消費および処理負荷をさらに低減する。しかしながら、ネットワークデバイスがシステム情報の変化を通知するときにより多くの情報ビットが要求され、それによって情報制御オーバーヘッドを増加させる。
【００９０】
第１のシステムメッセージおよび第２のシステムメッセージについて、システムメッセージは１つのシステム情報のみ含むので、システムメッセージはシステム情報と一対一対応関係にあると考えられ得る。
【００９１】
したがって、本出願では、理解を容易にするため、システムメッセージがシステム情報と一対一対応関係にあるときに、システム情報が変わった場合に、対応するシステムメッセージは更新される必要があると考えられるか、またはシステムメッセージがシステム情報と一対多対応関係にあるときに、任意の１つまたは複数のシステム情報が変わった場合に、対応するシステムメッセージは更新される必要があると考えられる。次の説明では、システム情報更新がシステムメッセージ更新から明確には区別されない。
【００９２】
３．  ＬＴＥシステムにおけるシステムメッセージ変化通知に対する現在のソリューション
現在のＬＴＥシステムでは、端末デバイスはページング方式で、ＶａｌｕｅＴａｇを使用することによって、将来のシステムメッセージ変化を通知され、ページング方式は主方式である。セルがいくつかのシステム情報を修正することになるときに、基地局は、最初に、現在のシステムメッセージ修正周期におけるすべてのページングメッセージ内のｓｙｓｔｅｍＩｎｆｏＭｏｄｉｆｉｃａｔｉｏｎフィールドを１に設定し、システムメッセージが変わる（が、更新された内容を送信しない）ことを指示し、次いで、セルは次の後続のシステムメッセージ修正周期において更新されたシステム情報を送信する。ページングメッセージを受信し、ｓｙｓｔｅｍＩｎｆｏＭｏｄｉｆｉｃａｔｉｏｎフィールドを検出することによって、端末は、あらかじめ、システムメッセージが変わることを知り、次いで、次のシステムメッセージ修正周期が開始するときに再びすべてのシステムメッセージを受信し得る。
【００９３】
アイドル状態にある端末について、端末のエネルギー消費を低減するために、端末はほとんどの時間においてスリープ状態にある。しかしながら、端末は、ある周期（ＤＲＸサイクル）でウェイクアップし、システムによって周期的に送信されるページングメッセージを受信し、次いで、再びスリープ状態に入る。ＤＲＸサイクルは、ページング周期に等しい。ＬＴＥシステムでは、システムメッセージ修正周期は、ページング周期の整数倍である。すなわち、システム情報が変わる前に、端末は、ページングメッセージを受信し、ページングメッセージからｓｙｓｔｅｍＩｎｆｏＭｏｄｉｆｉｃａｔｉｏｎフィールドを読み出す複数の機会を有し、システム情報が変わったかどうかを示す情報を取得するようにする。ｓｙｓｔｅｍＩｎｆｏＭｏｄｉｆｉｃａｔｉｏｎ＝１である場合、端末は、次のシステムメッセージ修正周期が開始するときに以下の順序でシステム情報を読み出す。
【００９４】
（１）ＭＩＢを読み出す。  
（２）物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し、システムメッセージ無線ネットワーク一時識別子（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｔｙ、ＳＩ−ＲＮＴＩ）を使用することによってスクランブルされたＰＤＣＣＨ情報に従ってＳＩＢ１の周波数領域スケジューリング情報を取得し、固定された時間領域スケジューリング情報に従ってＳＩＢ１の時間周波数ロケーションを決定し、ＳＩＢ１を読み出す。  
（３）周期などの情報および各ＳＩのスケジューリング情報ならびにＳＩとＳＩＢ１に含まれる他のＳＩＢとの間のマッピング関係に従って各システムメッセージのリソースロケーションを決定する。  
（４）すべてのＳＩメッセージを読み出す。
【００９５】
アイドル状態にある端末について、システムメッセージ修正周期は、ページング周期の整数倍である。すなわち、システムメッセージ修正周期内に、端末は、ページングメッセージを受信する複数の機会を有する。したがって、システムメッセージの変化が現在のＬＴＥシステムにおいてページングメッセージを使用することによって示されることは信頼できる。
【００９６】
しかしながら、上で説明されるように、長いＤＲＸサイクルが使用される場合、たとえば、長いＤＲＸサイクルがＣＩｏＴにおいて使用される場合、ページング周期は、システムメッセージ修正周期よりも長くなり得る。端末がウェイクアップし、ページングメッセージを受信するようになったときに、システム情報（特にページング関係のシステム情報）が変わってしまっていることがある。このケースでは、端末がシステムメッセージを正常に受信できることは保証されることができない。
【００９７】
したがって、ＣＩｏＴなどの長いＤＲＸサイクルシステムでは、システムメッセージの変化がページング方式で通知される現在の方式は、信頼できない。
【００９８】
加えて、ＳＩＢは、各修正周期において同時に変わることはなく、いくつかのＳＩＢのみが変わり得る。別個のｓｙｓｔｅｍＩｎｆｏＭｏｄｉｆｉｃａｔｉｏｎ指示子は、変化があるかどうかのみを示すことができるが、特定の変化を示すことはできない。したがって、端末は、現在のＬＴＥシステムではすべてのシステムメッセージを再び受信する必要があり、これは電力の無駄である。
【００９９】
４．  ＳＩウィンドウ（ＳＩ−ｗｉｎｄｏｗ）およびＳＩメッセージのスケジューリング
現在のＬＴＥシステムでは、各ＳＩメッセージは、１つのＳＩウィンドウのみで伝送される。
【０１００】
（１）１つのＳＩメッセージが１つのＳＩウィンドウに関連付けられ、ＳＩメッセージのみがＳＩウィンドウで送信されることができ、複数回繰り返し送信されることがあるが（送信回数、送信のための特定のサブフレーム、および同様のものは基地局の実装に依存する）、他のＳＩメッセージは送信されることができない。  
（２）ＳＩウィンドウは、隣り同士になっており（ＳＩウィンドウが隣接する場合）、ＳＩウィンドウの間に重なりまたは空きはない。  
（３）すべてのＳＩメッセージのＳＩウィンドウの長さは同じである。  
（４）異なるＳＩメッセージの周期は、互いに独立している。
【０１０１】
現在のＬＴＥシステムでは、ＭＩＢおよびＳＩＢ１の時間領域スケジューリングは固定され、ＳＩメッセージの時間領域スケジューリング処理は次のとおりである。
【０１０２】
（１）端末が、各ＳＩメッセージに対応するＳＩウィンドウの開始位置およびＳＩウィンドウの長さを決定する。
【０１０３】
ＳＩウィンドウの長さは、ＳＩＢ１のＳＩ−ＷｉｎｄｏｗＬｅｎｇｔｈフィールドによって特定され、単位はｍｓである。
【０１０４】
ＳＩＢ１のｓｃｈｅｄｕｌｉｎｇＩｎｆｏＬｉｓｔフィールドはＳＩメッセージリストを特定し、リスト内の各ＳＩメッセージのシーケンス番号はｎ（１から始まる）によって表される。
【０１０５】
このケースでは、各ＳＩメッセージについて、ｘ＝（ｎ−１）＊ｗであり、ｗはＳＩ−ＷｉｎｄｏｗＬｅｎｇｔｈである。ｘはｍｓを単位とすることが知られ得る。
【０１０６】
ＳＩウィンドウの開始フレームは、ＳＦＮ％Ｔ＝ＦＬＯＯＲ（ｘ／１０）を満たし、Ｔは対応するＳＩメッセージの周期であり、ＳＩ−ｐｅｒｉｏｄｉｃｉｔｙ（システムフレームを単位とする、すなわち、１０ｍｓを単位とする）によって特定される。ＳＦＮ％Ｔの演算に従って、異なるＳＩウィンドウが隣同士になることが保証され、ＦＬＯＯＲ（ｘ／１０）は、周期内のＳＩウィンドウの開始システムフレームを決定し（システムフレームは１０ｍｓであり、したがって、ｘ／１０個のシステムフレームがある）、％はｍｏｄ演算を表し、ＦＬＯＯＲは式以下の最大整数を返すことを表し、／は除算演算を表す。
【０１０７】
ＳＩウィンドウの開始サブフレームは＃ａであり、ａ＝ｘ％１０である。
【０１０８】
前述の式から、ｘがＳＩ周期におけるＳＩウィンドウの開始フレームおよび開始サブフレームを決定することが知られてもよく、ＳＦＮ％Ｔは、ＳＩウィンドウがＳＩ周期において１回のみ出現することを保証し、ｘ＝（ｎ−１）＊ｗは、ＳＩウィンドウが隣り同士であり（ＳＩウィンドウが隣接する場合）、ＳＩウィンドウの間に重なりまたは空きがないことを保証する。
【０１０９】
ＳＩウィンドウが決定された後、基地局は、ＳＩウィンドウ内の同じＳＩをスケジューリングする回数を決定し、実装は異なる製造業者に対して異なることがある。しかしながら、いくつかのサブフレームは、ＳＩメッセージをスケジューリングするのに使用されることができず、これらのサブフレームは、
（１）ＳＦＮ％２＝０のシステムフレーム内のサブフレーム５であり、ＳＩＢ１を伝送するために使用されるもの、
（２）マルチキャストブロードキャスト単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、ＭＢＳＦＮ）サブフレーム、および
（３）時分割複信（Ｔｉｍｅ  Ｄｉｖｉｓｉｏｎ  Ｄｕｐｌｅｘｉｎｇ、ＴＤＤ）ＬＴＥシステムにおけるアップリンクサブフレーム
を含む。
【０１１０】
５．  他の説明
本発明の実施形態における「システム」および「ネットワーク」という用語は、本明細書では入れ替えて使用されてよい。本明細書における「および／または」という用語は、関連付けられている対象を説明するための関連付け関係のみを説明し、３つの関係が存在し得ることを表す。たとえば、Ａおよび／またはＢは、次の３つのケースを表し得る。Ａのみが存在する、ＡとＢが両方とも存在する、およびＢのみが存在する。加えて、この明細書における文字「／」は、一般的に、関連付けられている対象の間の「または」の関係を示す。
【０１１１】
本出願に含まれる基本概念は、上で説明される。理解を容易にするため、本出願の実施形態における主要な内容および含まれる添付図面は、以下の表１に示される。
【０１１２】
【表１】
2019500770.tif 000003
【０１１３】
実施形態１
図３は、本出願によるワイヤレス通信システムを示しており、ワイヤレス通信システムのアーキテクチャは、本出願のすべての実施形態に適用可能である。
【０１１４】
図３に示されるように、ワイヤレス通信システムは、ネットワークデバイス３０１および少なくとも１つの端末デバイス３０２を含む。
【０１１５】
ネットワークデバイス３０１は、セルにおいてシステムメッセージを送信し、少なくとも１つの端末デバイス３０２は、ネットワークデバイス３０１によって送信されたシステムメッセージを受信する。
【０１１６】
実施形態１で提供されるワイヤレス通信システムの通信標準は、限定はしないが、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多元接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、時分割複信ロングタームエボリューション（Ｔｉｍｅ  Ｄｉｖｉｓｉｏｎ  Ｄｕｐｌｅｘ−Ｌｏｎｇ  Ｔｅｒｍ  Ｅｖｏｌｕｔｉｏｎ、ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘｉｎｇ−Ｌｏｎｇ  Ｔｅｒｍ  Ｅｖｏｌｕｔｉｏｎ、ＦＤＤ  ＬＴＥ）、ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−ａｄｖａｎｃｅｄ）、パーソナルハンディフォンシステム（Ｐｅｒｓｏｎａｌ  Ｈａｎｄｙ−ｐｈｏｎｅ  Ｓｙｓｔｅｍ、ＰＨＳ）、８０２．１１シリーズプロトコルで仕様が定められているワイヤレスフィディリティー（Ｗｉｒｅｌｅｓｓ  Ｆｉｄｅｌｉｔｙ、ＷｉＦｉ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）、および将来の様々な発展したワイヤレス通信システムを含む。
【０１１７】
端末デバイス３０２は、ワイヤレス端末であってよい。ワイヤレス端末は、ユーザのために音声および／またはデータ接続性を提供するデバイス、ワイヤレス接続機能を有するハンドヘルドデバイス、またはワイヤレスモデムに接続される他の処理デバイスを指すものとしてよい。ワイヤレス端末は、無線アクセスネットワーク（ＲＡＮ、Ｒａｄｉｏ  Ａｃｃｅｓｓ  Ｎｅｔｗｏｒｋなど）を使用することによって１つまたは複数のコアネットワークと通信し得る。ワイヤレス端末は、携帯電話（または「セルラー」フォンと称される）などの携帯端末または携帯端末を備えるコンピュータであってよい。たとえば、ワイヤレス端末は、ポータブル、ポケットサイズ、ハンドヘルド、コンピュータ内蔵、または車載型モバイル装置であってよく、無線アクセスネットワークと音声および／またはデータを交換する。たとえば、ワイヤレス端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）などのデバイスであってよい。ワイヤレス端末はまた、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、携帯端末（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称され得る。
【０１１８】
ネットワークデバイス３０１は、基地局、もしくは基地局を制御するための無線リソース管理デバイスを含み得るか、または基地局と基地局を制御するための無線リソース管理部を含み得る。基地局は、マクロ基地局、またはスモールセル（ｓｍａｌｌ  ｃｅｌｌ）またはピコセル（ｐｉｃｏ  ｃｅｌｌ）などのスモールセル基地局であってよい。基地局は、ホームＮｏｄｅＢ（Ｈｏｍｅ  ＮｏｄｅＢ、ＨＮＢ）またはホーム発展型ＮｏｄｅＢ（Ｈｏｍｅ  ｅＮｏｄｅＢ、ＨｅＮＢ）などのホーム基地局であってよい。基地局は、中継ノード（ｒｅｌａｙ）および同様のものを含み得る。
【０１１９】
たとえば、ＴＤＤ  ＬＴＥ、ＦＤＤ  ＬＴＥ、またはＬＴＥ−ＡなどのＬＴＥシステムについては、本発明のこの実施形態において提供されるワイヤレス通信システム内のネットワークデバイス３０１は発展型ＮｏｄｅＢ（ｅｖｏｌｖｅｄ  ＮｏｄｅＢ、ｅＮｏｄｅＢ）であってよく、端末デバイス３０２はＵＥであってよい。ＴＤ−ＳＣＤＭＡシステムまたはＷＣＤＭＡシステムについて、本発明のこの実施形態において提供されるワイヤレス通信システム内のネットワークデバイス３０１はＮｏｄｅＢ（ＮｏｄｅＢ）および／または無線ネットワークコントローラ（Ｒａｄｉｏ  Ｎｅｔｗｏｒｋ  Ｃｏｎｔｒｏｌｌｅｒ、ＲＮＣ）を含んでいてよく、端末デバイス３０２はＵＥであってよい。ＧＳＭシステムについては、本発明のこの実施形態において提供されるネットワークデバイス３０１は、ベーストランシーバ局（Ｂａｓｅ  Ｔｒａｎｓｃｅｉｖｅｒ  Ｓｔａｔｉｏｎ、ＢＴＳ）および／または基地局コントローラ（Ｂａｓｅ  Ｓｔａｔｉｏｎ  Ｃｏｎｔｒｏｌｌｅｒ、ＢＳＣ）を含んでいてよく、端末デバイス３０２は移動局（Ｍｏｂｉｌｅ  Ｓｔａｔｉｏｎ、ＭＳ）である。ＷｉＦｉシステムについては、ネットワークデバイス３０１は、アクセスポイント（Ａｃｃｅｓｓ  Ｐｏｉｎｔ、ＡＰ）および／またはアクセスコントローラ（Ａｃｃｅｓｓ  Ｃｏｎｔｒｏｌｌｅｒ、ＡＣ）を含んでいてよく、端末デバイス３０２は端末局であってよい（ＳＴＡｔｉｏｎ、ＳＴＡ）。
【０１２０】
実施形態１で提供されるワイヤレス通信システムの特定の例は、ＣＩｏＴシステムであってよい。ＣＩｏＴシステムは、高度交通システム、建物制御システム、家庭インテリジェント型制御システム、ビデオ監視システム、および工業用監視などの複数の分野に広く適用される。図４に示されるように、冷蔵庫、電力量計、自動車、または同様のものが、ＣＩｏＴシステムにおける端末デバイス３０２として使用され、基地局、伝送ネットワーク、または同様のものを使用することによって他の端末デバイスと通信することができ、たとえば、電力量計は自動車と通信する。
【０１２１】
実施形態２
図５に示されるように、実施形態２で提供されるシステムメッセージ更新手順は以下のステップを含む。
【０１２２】
Ｓ５０１：ネットワークデバイス３０１がセルにおいて第１のシステムメッセージを送信し、第１のシステムメッセージは第１の指示情報を搬送し、第１の指示情報はシステムメッセージ更新に関係する。
【０１２３】
Ｓ５０２：第１のシステムメッセージを受信した後、端末デバイス３０２が第１のシステムメッセージから第１の指示情報を取得し、第１の指示情報に従って第１のシステムメッセージ以外のシステムメッセージを更新する。
【０１２４】
第１のシステムメッセージは、周期的に送信され、固定された物理リソースロケーションを占有する。端末デバイス３０２は、アイドル状態にあってよく、あらかじめ第１のシステムメッセージのものである送信周期、送信の瞬間、および物理リソースロケーションを知る。端末デバイス３０２は、端末デバイス３０２がウェイクアップしたときに各ＤＲＸサイクルで第１のシステムメッセージを読み出し得る。任意選択で、端末デバイス３０２がウェイクアップした後、端末デバイス３０２は、ページングメッセージを読み出す前に第１のシステムメッセージを読み出し得る。
【０１２５】
第１のシステムメッセージの送信周期は、製品実装に従って、たとえば、４０ｍｓに設定されてよい。
【０１２６】
任意選択で、第１の指示情報が、第１のシステムメッセージ以外のシステムメッセージが更新される必要があることを示す場合に、端末デバイス３０２は、システムメッセージが更新される必要があると決定し、システムメッセージを更新する。第１の指示情報が、第１のシステムメッセージ以外のシステムメッセージが更新される必要がないことを示す場合に、端末デバイス３０２は、システムメッセージが更新される必要がないと決定する。このようにして、他のシステムメッセージを読み出すことなく第１のシステムメッセージから第１の指示情報を読み出すことによって、第１のシステムメッセージ以外のシステムメッセージが読み出される必要があるかどうかが決定されることができ、それによって、節電し、処理負荷を軽減する。
【０１２７】
次に、第１の指示情報のいくつかの任意選択の実装ソリューションを例とともに説明する。
【０１２８】
任意選択のソリューション１
第１の指示情報は、ＶａｌｕｅＴａｇを使用することによって、すべてのシステムメッセージが更新される必要があるかどうかを指示し得る。たとえば、ＶａｌｕｅＴａｇの値の範囲は０〜３１であり、ＶａｌｕｅＴａｇの値は、システムメッセージが更新される毎に１だけ増加する。本明細書において、システムメッセージが更新される毎にということは、システムメッセージ更新周期内に、第１のシステムメッセージ以外のシステムメッセージのうちのいくつかが更新されるならば、システムメッセージが１回更新されることを意味する。ＶａｌｕｅＴａｇの値は、変えられたシステムメッセージの量に関係なく１だけ増加するのみである。このようにして、第１の指示情報内のＶａｌｕｅＴａｇの値が変わったときに、端末デバイス３０２は、システムメッセージが更新される必要があると決定するか、またはＶａｌｕｅＴａｇの値が変わらない場合、端末デバイス３０２は、システムメッセージが更新される必要がないと決定する。
【０１２９】
任意選択のソリューション２
第１の指示情報は、（１＋Ｍ）個のＶａｌｕｅＴａｇフィールドを含む。（１＋Ｍ）個のＶａｌｕｅＴａｇフィールドにおいて、第２のシステムメッセージが更新される必要があるかどうかを示すために１つのＶａｌｕｅＴａｇフィールドが使用される。Ｍ個のＶａｌｕｅＴａｇフィールドは、Ｍ個の通常の第３のシステムメッセージにそれぞれ対応しており、Ｍ個のＶａｌｕｅＴａｇフィールドの各々は、対応する通常の第３のシステムメッセージが更新される必要があるかどうかを示すために使用される。（１＋Ｍ）個のＶａｌｕｅＴａｇフィールドの設定は、任意選択のソリューション１におけるＶａｌｕｅＴａｇのそれらと同じであってよく、Ｍは、正整数である。
【０１３０】
加えて、第１の指示情報は、Ｎ個のアクティベーション指示情報をさらに含んでいてよく、Ｎ個のアクティベーション指示情報は、Ｎ個のアクティベーション関係の第３のシステムメッセージにおける各システムメッセージが更新される必要があるかどうかを示すためにそれぞれ使用される。アクティベーション指示情報の値が「１」である場合、それは、システムメッセージが更新される必要があることを指示し、アクティベーション指示情報の値が「０」である場合、それは、システムメッセージが更新される必要がなく、Ｎは正整数であることを示す。
【０１３１】
任意選択のソリューション３
任意選択で、第１の指示情報は第２の指示情報を含む。
【０１３２】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、バージョンは１回変わる。
【０１３３】
ステップＳ５０２において、端末デバイス３０２が第１の指示情報を取得した後、第２の指示情報によって示される構成バージョンが、端末デバイス３０２によって記録された構成バージョンと異なる場合に、端末デバイス３０２は、第２のシステムメッセージを更新するか、または第２の指示情報によって示される構成バージョンが、端末デバイス３０２によって記録された構成バージョンと同じである場合に、端末デバイス３０２は、第２のシステムメッセージが更新される必要はないと決定する。任意選択で、第２の指示情報も、ＶａｌｕｅＴａｇを使用することによって実装され得る。
【０１３４】
任意選択で、第２のシステムメッセージは、Ｍ個の通常の第３のシステムメッセージにそれぞれ対応しているＭ個の第３の指示情報を含む。第３の指示情報は、対応する通常の第３のシステムメッセージが構成バージョンの最新の変化に関して更新されるかどうかを示すために使用される。第２のシステムメッセージを更新した後に、端末デバイス３０２は、第２のシステムメッセージから少なくとも１つの第３の指示情報を取得する。
【０１３５】
本明細書において、第２の指示情報によって示される構成バージョンが区別される次の複数のケースがあり得る。
【０１３６】
ケース１：
第２の指示情報によって示される構成バージョンは、端末デバイス３０２によって記録された構成バージョンと異なるが、２つの構成バージョンの間に他の異なる構成バージョンはない。
【０１３７】
ケース１において、少なくとも１つの第３の指示情報における各第３の指示情報が、対応する通常の第３のシステムメッセージが構成バージョンの最新の変化に関して更新されないことを示す場合に、端末デバイス３０２は、少なくとも１つの通常の第３のシステムメッセージにおけるいかなるシステムメッセージも更新される必要がないと決定する。
【０１３８】
ケース１において、少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、端末デバイス３０２は、通常の第３のシステムメッセージのものであり、更新された第２のシステムメッセージ内にあるスケジューリング情報に従って通常の第３のシステムメッセージを読み出す。
【０１３９】
ケース２：
第２の指示情報によって示される構成バージョンと端末デバイス３０２によって記録された構成バージョンとの間に他の異なる構成バージョンがある。
【０１４０】
ケース２において、各通常の第３のシステムメッセージについて、端末デバイス３０２は、通常の第３のシステムメッセージのものであり、更新された第２のシステムメッセージ内にあるスケジューリング情報に従って、通常の第３のシステムメッセージを読み出す。
【０１４１】
ケース２において、端末デバイス３０２が各通常の第３のシステムメッセージを更新する必要がある理由は、第２の指示情報によって示される構成バージョンと端末デバイス３０２によって記録された構成バージョンとの間に他の異なる構成バージョンがあり、第２の指示情報は、セル内で現在使用される第２のシステムメッセージと少なくとも１つの通常の第３のシステムメッセージとの組合せの構成バージョンを示すために使用されることにある。これは、端末デバイス３０２が、システムメッセージ更新処理の少なくとも１つの枝をし損なっていることがあり得ることを示している。たとえば、通常の第３のシステムメッセージが以前の構成バージョンに関して変わらないが、以前の構成バージョンよりも前の構成バージョンに関して変わっている場合、対応する第３の指示情報の値は「０」のままである。このケースでは、第３のシステムメッセージに従って、通常の第３のシステムメッセージが更新される必要があるかどうかを決定することは正確でない。したがって、記憶されるシステムメッセージの有効性を確認するために、端末デバイス３０２は、ケース２における各通常の第３のシステムメッセージを更新する必要がある。
【０１４２】
任意選択で、任意選択のソリューション３において、第１の指示情報は、Ｎ個の第４の指示情報をさらに含んでいてよく、Ｎ個の第４の指示情報は、Ｎ個のアクティベーション関係の第３のシステムメッセージにそれぞれ対応しており、セル内の端末デバイスが対応するアクティベーション関係の第３のシステムメッセージを更新する必要があるかどうかを示すために使用される。
【０１４３】
このケースでは、第４の指示情報が、セル内の端末デバイスが対応するアクティベーション関係の第３のシステムメッセージを更新する必要があることを示す場合に、端末デバイス３０２は、対応するアクティベーション関係の第３のシステムメッセージを更新するか、または第４の指示情報が、セル内の端末デバイスが対応するアクティベーション関係の第３のシステムメッセージを更新する必要がないことを示す場合に、端末デバイス３０２は、対応するアクティベーション関係の第３のシステムメッセージが更新される必要がないと決定する。
【０１４４】
前述のいくつかの任意選択のソリューションは、説明のための単なる例であることに留意されたい。実施形態１において、長いＤＲＸサイクルを有する端末デバイス３０２が、システムメッセージを更新するときに、第１のシステムメッセージは、端末デバイス３０２がシステムメッセージを更新する必要があるかどうかを指示し、したがって、端末デバイス３０２がシステムメッセージを更新する必要があるかどうかは、ページングメッセージを使用することによって指示されず、第１のシステムメッセージはネットワークデバイス３０１によって周期的に送信され、固定された物理リソースロケーションを占有する。このようにして、端末デバイス３０２がタイミングよくページングメッセージを読み出すことができない場合であっても、システムメッセージは、タイミングよく更新されることができる。
【０１４５】
次に、ＬＴＥシステムを一例として使用することによって、および図６Ａおよび図６Ｂに示される手順を使用することによって、任意選択のソリューション３を説明している。
【０１４６】
図６Ａおよび図６Ｂに示される手順において、第１のシステムメッセージはＭＩＢメッセージであり、第２のシステムメッセージはＳＩＢ１メッセージであり、少なくとも１つの第３のシステムメッセージはＳＩメッセージであり、少なくとも１つの第３のシステムメッセージは、ＳＩＢ１以外のＳＩＢを伝送するために使用される。少なくとも１つの第３のシステムメッセージは、通常の第３のシステムメッセージであるＳＩ＿ＮＯＲＭおよびアクティベーション関係の第３のシステムメッセージであるＳＩ＿ＡＣＴを含む。たとえば、ＬＴＥシステムにおけるＳＩＢ１４は、拡張型アクセスバーリング（Ｅｘｔｅｎｄｅｄ  Ａｃｃｅｓｓ  Ｂａｒｒｉｎｇ、ＥＡＢ）機能を実装するために主に使用される。端末デバイス３０２は、機能が有効化されるときのみ関係するＳＩＢを読み出す必要がある。
【０１４７】
ＭＩＢおよびＳＩＢ１のリソースロケーションおよび繰り返しの量は固定される。
【０１４８】
ＳＩＢ１以外のＳＩＢは、ＳＩメッセージに含まれる。ＳＩメッセージは１つのＳＩＢを含み得るか、または複数のＳＩＢを含み得る。ＳＩメッセージが複数のＳＩＢを含む場合、複数のＳＩＢは、同じ周期および同じタイプのＳＩＢである必要がある。任意選択で、通常のＳＩＢによって形成されるＳＩメッセージは、通常のＳＩメッセージと称され、アクティベートされたＳＩＢによって形成されるＳＩメッセージは、アクティベートされたＳＩメッセージと称される。
【０１４９】
第２の指示情報は、ＭＩＢにおけるＶａｌｕｅＴａｇであり、ＶａｌｕｅＴａｇの値は、ＳＩＢ１および通常のＳＩメッセージが変わる毎に（修正周期内の変えられたメッセージの量に関係なく）１だけ増加する。
【０１５０】
ＳＩＢ１は、ＳＩメッセージのスケジューリング情報および周期、ならびにＳＩメッセージに含まれる特定のＳＩＢを含む。Ｍ個の第３の指示情報は、ＳＩＢ１におけるＭ個のＳＩ＿ＡＣＴ＿ＩＮＤフィールドである。ＳＩ＿ＮＯＲＭ＿ＩＮＤの値が０である場合、それは、対応する通常の第３のシステムメッセージが更新されないことを指示し、ＳＩ＿ＮＯＲＭ＿ＩＮＤの値が１である場合、それは、対応する通常の第３のシステムメッセージが更新されることを示す。Ｍ個のＳＩ＿ＮＯＲＭ＿ＩＮＤフィールドは、ビットマップを使用することによって実装され得る。ビットマップは、少なくともＭ個のビットを含み、各ビットは、１つの通常の第３のシステムメッセージに対応している。
【０１５１】
Ｎ個の第４の指示情報は、ＭＩＢにおけるＮ個のＳＩ＿ＡＣＴ＿ＩＮＤフィールドである。ＳＩ＿ＡＣＴ＿ＩＮＤの値が０である場合、それは、対応するアクティベーション関係の第３のシステムメッセージが更新される必要のないことを指示し、ＳＩ＿ＡＣＴ＿ＩＮＤの値が１である場合、それは、対応するアクティベーション関係の第３のシステムメッセージが更新される必要のあることを示す。Ｎ個のＳＩ＿ＡＣＴ＿ＩＮＤフィールドも、ビットマップを使用することによって実装され得る。ビットマップは、少なくともＮ個のビットを含み、各ビットは、１つのアクティベーション関係の第３のシステムメッセージに対応している。
【０１５２】
端末デバイス３０２は、ＶａｌｕｅＴａｇＭＳを保持し、ＶａｌｕｅＴａｇＭＳの値は、最後のシステム情報更新においてＭＩＢから読み出された記録されたＶａｌｕｅＴａｇの値である。
【０１５３】
ＶａｌｕｅＴａｇがシステムメッセージが更新される必要があるかどうかを示すために使用される理由は、端末デバイス３０２がスリープ状態にあるときに、システムメッセージが複数回変わり得ることにある。システムメッセージが偶数回変わった場合、１ビット情報のみでは、システムメッセージが変わったことを示すことができない。ＶａｌｕｅＴａｇは、第２のシステムメッセージおよび通常の第３のシステムメッセージの変化ステータスまたはそれらの組合せの変化ステータスを示すために使用される。
【０１５４】
アクティベーション関係の第３のシステムメッセージについて、端末デバイス３０２は、変化または変化の量に関係なく、対応するアクティベーション指示情報が「１」に設定されるならば、アクティベーション関係の第３のシステムメッセージを読み出す。
【０１５５】
図６Ａおよび図６Ｂに示されるように、この手順は以下のステップを含む。
【０１５６】
Ｓ６０１：アイドル状態にある端末デバイス３０２が、端末デバイス３０２がスリープ状態からウェイクアップした後にＭＩＢを受信し、任意選択で、端末デバイス３０２のＤＲＸサイクルは、システム情報修正周期よりも長い。
【０１５７】
Ｓ６０２：端末デバイス３０２が、すべてのＳＩ＿ＡＣＴ＿ＩＮＤの値が０であるかどうかを決定し、すべてのＳＩ＿ＡＣＴ＿ＩＮＤの値が０である場合、ステップＳ６０３を実行するか、またはいくつかのＳＩ＿ＡＣＴ＿ＩＮＤの値が１である場合、ステップＳ６０４を実行する。
【０１５８】
Ｓ６０３：端末デバイス３０２が、いかなるＳＩ＿ＡＣＴも読み出される必要はないと決定する。
【０１５９】
Ｓ６０４：端末デバイス３０２は、ＭＩＢにおけるＶａｌｕｅＴａｇの値が変わったかどうかを決定し（すなわち、比較を用いて、読み出されたＭＩＢにおけるＶａｌｕｅＴａｇが端末デバイス３０２によって記録されたＶａｌｕｅＴａｇＭＳの値に等しいかどうかを決定し）、ＶａｌｕｅＴａｇの値が変わった場合に、ステップＳ６０６を実行するか、またはＶａｌｕｅＴａｇの値が変わらない場合に、ステップＳ６０５を実行する。
【０１６０】
Ｓ６０５：端末デバイス３０２が、記録された元のＳＩＢ１におけるスケジューリング情報に従ってＳＩ＿ＡＣＴ＿ＩＮＤ値が１であるＳＩ＿ＡＣＴを読み出す。
【０１６１】
Ｓ６０６：端末デバイス３０２がＳＩＢ１を読み出す。
【０１６２】
Ｓ６０７：端末デバイス３０２が、ステップＳ６０６で読み出されたＳＩＢ１におけるスケジューリング情報に従ってＳＩ＿ＡＣＴ＿ＩＮＤ値が１であるＳＩ＿ＡＣＴを読み出す。
【０１６３】
Ｓ６０８：端末デバイス３０２が、ＭＩＢにおけるＶａｌｕｅＴａｇの値が変わったかどうかを決定し、ＶａｌｕｅＴａｇの値が変わらない場合に、ステップＳ６０９を実行するか、またはＶａｌｕｅＴａｇの値が変わった場合に、ステップＳ６１０を実行する。
【０１６４】
Ｓ６０９：端末デバイス３０２が、ＳＩＢ１が読み出される必要がないか、またはいかなるＳＩ＿ＮＯＲＭも読み出される必要がないと決定する。
【０１６５】
Ｓ６１０：端末デバイス３０２が、ＭＩＢにおけるＶａｌｕｅＴａｇの値が端末デバイス３０２によって記録された元のＶａｌｕｅＴａｇの値よりも１つ大きいかどうかを決定し（すなわち、ＭＩＢから読み出されたＶａｌｕｅＴａｇ＝ＶａｌｕｅＴａｇＭＳ＋１かどうかを決定し）、ＶａｌｕｅＴａｇがＶａｌｕｅＴａｇＭＳよりも１つ大きい場合に、ステップＳ６１１を実行するか、またはそうでなければ（すなわち、ＭＩＢから読み出されたＶａｌｕｅＴａｇ＜ＶａｌｕｅＴａｇＭＳ、またはＭＩＢから読み出されたＶａｌｕｅＴａｇ＞ＶａｌｕｅＴａｇＭＳ＋１）、ステップＳ６１２を実行する。
【０１６６】
Ｓ６１１：端末デバイス３０２が、ＳＩＢ１を読み出し、ＳＩＢ１におけるＳＩ＿ＮＯＲＭのスケジューリング情報に従ってすべてのＳＩ＿ＮＯＲＭを読み出す。
【０１６７】
Ｓ６１２：ＳＩＢ１を読み出す。
【０１６８】
Ｓ６１３：端末デバイス３０２が、ＳＩＢ１におけるすべてのＳＩ＿ＮＯＲＭ＿ＩＮＤの値が０であるかどうかを決定し、すべてのＳＩ＿ＮＯＲＭ＿ＩＮＤの値が０である場合、ステップＳ６１４を実行するか、またはそうでなければ、ステップＳ６１５を実行する。
【０１６９】
Ｓ６１４：端末デバイス３０２が、いかなるＳＩ＿ＮＯＲＭも読み出される必要はないと決定する。
【０１７０】
Ｓ６１５：端末デバイス３０２が、読み出されたＳＩＢ１におけるＳＩ＿ＮＯＲＭ＿ＩＮＤ値が１であるＳＩ＿ＮＯＲＭのスケジューリング情報に従ってＳＩ＿ＮＯＲＭ＿ＩＮＤ値が１であるＳＩ＿ＮＯＲＭを読み出す。
【０１７１】
実施形態２において、システムメッセージが更新される必要があると決定したときに、端末デバイス３０２は、システムメッセージを即座に読み出すか、または次のシステムメッセージ更新周期においてシステムメッセージを読み出し得る。
【０１７２】
実施形態２において、システムメッセージ更新ソリューションは、長いＤＲＸサイクルを有する端末デバイスに対して提供される（すなわち、ＤＲＸサイクルはシステムメッセージ更新周期よりも長い）。このソリューションにおいて、端末デバイスは、第１のシステムメッセージにおける第１の指示情報に従ってシステムメッセージを更新し、それにより、アイドル状態にある長いＤＲＸサイクルを有する端末デバイスは、タイミングよくシステムメッセージの変化を正確に取得することができる。
【０１７３】
加えて、任意選択の実装ソリューションにおいて、ネットワークデバイスは、第２の指示情報および第４の指示情報を第１のシステムメッセージに追加し、第３の指示情報を第２のシステムメッセージに追加して、それにより、端末は可能なときに必要なシステムメッセージのみを読み出し、それによって端末デバイスのエネルギー消費を低減する。
【０１７４】
いくつかの任意選択のソリューションにおいて、第３のシステムメッセージは、通常の第３のシステムメッセージおよびアクティベーション関係の第３のシステムメッセージに分類される。第２の指示情報は、第２のシステムメッセージおよび通常の第３のシステムメッセージのみの変化を指示し、別個の第４の指示情報は、アクティベーション関係の第３のシステムメッセージのメッセージの変化を示すために使用される。このようにして、端末デバイスは、可能なときに必要なシステムメッセージのみを読み出し、それによって、端末のエネルギー消費を低減する。
【０１７５】
長いＤＲＸサイクルを有する端末デバイスがタイミングよくページングメッセージを読み出すことができないときに引き起こされるシステムメッセージ更新の失敗という問題は、実施形態２において解決されることができることに留意されたい。しかしながら、実施形態２は、共通のＤＲＸサイクルを有する端末デバイスに適用されてもよく、他のシステムメッセージ更新メカニズムが提供され、メカニズムにおける任意選択のソリューションが使用される。たとえば、ネットワークデバイスは第２の指示情報、第３の指示情報、および第４の指示情報を送信し、それにより端末デバイスは、すべてのシステムメッセージを読み出す代わりに、更新される必要のあるシステムメッセージのみを読み出す。これは、端末デバイスのエネルギー消費を低減することができる。
【０１７６】
実施形態３
実施形態３における何らかの指示情報は、実施形態２のそれと同様の名前を付けられるが、それらは異なる意味を指示し得ることに留意されたい。特定の意味は、実施形態における説明に左右される。
【０１７７】
図７に示されるように、実施形態３で提供されるシステムメッセージ更新手順は以下のステップを含む。
【０１７８】
Ｓ７０１：ネットワークデバイス３０１がセルにおいて第１のシステムメッセージを送信する。
【０１７９】
Ｓ７０２：端末デバイス３０２が、第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合に、ステップＳ７０３およびステップＳ７０４を実行する。
【０１８０】
Ｓ７０３：端末デバイス３０２が、記録されたページング関係のシステムメッセージに従って、ネットワークデバイス３０１によって送信されるページングメッセージを受信する。
【０１８１】
Ｓ７０４：端末デバイス３０２は、受信されたページングメッセージにおけるシステムメッセージ更新に関係する第２の指示情報に従ってシステムメッセージを更新する。
【０１８２】
第１のシステムメッセージ、第２のシステムメッセージ、および第３のシステムメッセージについては、前述の基本概念の部分の説明を参照されたい。
【０１８３】
実施形態３で提供されるシステムメッセージ更新ソリューションにおいて、長いＤＲＸサイクルを有する端末デバイスがタイミングよくページングメッセージを読み出すことができないので引き起こされるシステムメッセージ更新の失敗という問題は解決されることができる。第１に、端末デバイス３０２は、周期的に送信され、固定されたリソースを占有する第１のシステムメッセージから第１の指示情報を読み出し、第１の指示情報に従って、ページング関係のシステムメッセージが変わるかどうかを決定する。このようにして、ページング関係のシステムメッセージが変わらないと決定したときに、端末デバイス３０２は、ページングメッセージを成功裡に受信し、ページングメッセージ内の第２の指示情報に従ってシステムメッセージをさらに更新することができる。
【０１８４】
任意選択で、第２の指示情報は、第３の指示情報、第４の指示情報、および少なくとも１つの第５の指示情報を含む。
【０１８５】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０１８６】
第４の指示情報は、第２のシステムメッセージが構成バージョンの最新の変化に関して更新されるかどうかを示すために使用される。
【０１８７】
１つの第５の指示情報は、１つの第３のシステムメッセージに対応しており、対応する第３のシステムメッセージが構成バージョンの最新の変化に関して更新されるかどうかを示すために使用される。
【０１８８】
任意選択で、第３の指示情報によって示される構成バージョンが、端末デバイス３０２によって記録された構成バージョンと同じである場合に、システムメッセージは更新される必要はないか、または
第３の指示情報によって示される構成バージョンが、端末デバイス３０２によって記録された構成バージョンと異なるが、２つの構成バージョンの間に他の異なる構成バージョンがない場合に、
第４の指示情報が、第２のシステムメッセージが構成バージョンの最新の変化に関して更新されることを示すときに、端末デバイス３０２は、第２のシステムメッセージを更新するか、または
第４の指示情報が、第２のシステムメッセージが構成バージョンの最新の変化に関して更新されないことを示すときに、端末デバイス３０２は、第２のシステムメッセージが更新される必要はないと決定する。
【０１８９】
任意選択で、第３の指示情報によって示される構成バージョンが、端末デバイス３０２によって記録された構成バージョンと異なるが、２つの構成バージョンの間に他の異なる構成バージョンがない場合に、
少なくとも１つの第５の指示情報における各第３の指示情報が、対応する第３のシステムメッセージが構成バージョンの最新の変化に関して更新されないことを示すときに、端末デバイス３０２は、少なくとも１つの第３のシステムメッセージにおけるいかなるシステムメッセージも更新される必要がないと決定するか、または
少なくとも１つの第５の指示情報における１つまたは複数の第５の指示情報が、対応する第３のシステムメッセージが構成バージョンの最新の変化に関して更新されることを示すときに、端末デバイス３０２は、各更新された第３のシステムメッセージを更新する。
【０１９０】
任意選択で、第３の指示情報によって示される構成バージョンが、端末デバイス３０２によって記録された構成バージョンと異なるが、２つの構成バージョンの間に他の異なる構成バージョンがない場合に、
端末デバイス３０２は第２のシステムメッセージを更新し、
端末デバイス３０２は、少なくとも１つの第３のシステムメッセージのものであり、更新された第２のシステムメッセージ内にあるスケジューリング情報に従って各第３のシステムメッセージを更新する。
【０１９１】
任意選択で、第１の指示情報が、ページング関係のシステムメッセージが更新されることを示す場合に、端末デバイス３０２は、第２のシステムメッセージを更新し、
第６の指示情報、および少なくとも１つの第７の指示情報を、第２のシステムメッセージから取得し、
第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
１つの第７の指示情報は、１つの第３のシステムメッセージに対応しており、対応する第３のシステムメッセージが構成バージョンの最新の変化に関して更新されるかどうかを示すために使用され、
端末デバイス３０２は、第６の指示情報、および少なくとも１つの第７の指示情報に従ってシステムメッセージを更新する。
【０１９２】
任意選択で、第６の指示情報によって示される構成バージョンが、端末デバイス３０２によって記録された構成バージョンと異なるが、２つの構成バージョンの間に他の異なる構成バージョンがない場合に、少なくとも１つの第７の指示情報によって示される各更新された第３のシステムメッセージについて、端末デバイス３０２は、第３のシステムメッセージを更新するか、または
第６の指示情報によって示される構成バージョンが、端末デバイス３０２によって記録された構成バージョンと異なり、２つの構成バージョンの間に他の異なる構成バージョンがある場合に、端末デバイス３０２は、少なくとも１つの第３のシステムメッセージにおける各システムメッセージを更新する。
【０１９３】
次に、ＬＴＥシステムを一例として使用することによって実施形態３で提供されるシステムメッセージ更新ソリューションを説明する。
【０１９４】
第１のシステムメッセージはＭＩＢメッセージであり、第２のシステムメッセージはＳＩＢ１メッセージであり、少なくとも１つの第３のシステムメッセージはＳＩメッセージであり、少なくとも１つの第３のシステムメッセージは、ＳＩＢ１以外のＳＩＢを伝送するために使用される。
【０１９５】
ＭＩＢおよびＳＩＢ１のリソースロケーションおよび繰り返しの量は固定される。
【０１９６】
ＳＩＢ１以外のＳＩＢは、ＳＩメッセージに含まれる。ＳＩメッセージは１つのＳＩＢを含み得るか、または複数のＳＩＢを含み得る。ＳＩメッセージが複数のＳＩＢを含む場合、複数のＳＩＢは、同じ周期および同じタイプのＳＩＢである必要がある。
【０１９７】
第１の指示情報は、ＭＩＢにおけるＶａｌｕｅＴａｇＰａｇｉｎｇであり、ＶａｌｕｅＴａｇＰａｇｉｎｇの値は、ページング関係のシステムメッセージが変わる毎に１だけ増加する。
【０１９８】
第２の指示情報は、ページングメッセージ内に第３の指示情報、第４の指示情報、および少なくとも１つの第５の指示情報を含む。
【０１９９】
第３の指示情報はＶａｌｕｅＴａｇであり、セル内で現在使用されるＳＩＢ１メッセージと少なくとも１つのＳＩメッセージとの組合せの構成バージョンを示すために使用される。１つのシステムメッセージ更新周期において、ＳＩＢ１メッセージおよび少なくとも１つのＳＩメッセージにおけるいずれか１つまたは複数のシステムメッセージについての更新について、構成バージョンは１回変わる。
【０２００】
第４の指示情報は、１ビットＳＩＢ１変化指示情報であり、ＳＩＩＢ１が構成バージョンの最新の変化に関して更新されるかどうかを示すために使用される。
【０２０１】
少なくとも１つの第５の指示情報は、Ｋ個のＳＩ＿ＩＮＤフィールドである。ＳＩ＿ＩＮＤの値が０である場合、それは、対応するＳＩメッセージが更新されないことを指示し、ＳＩ＿ＩＮＤの値が１である場合、それは対応するＳＩメッセージが更新されることを示す。Ｋ個のＳＩ＿ＩＮＤフィールドは、ビットマップを使用することによって実装され得る。ビットマップは、少なくともＫ個のビットを含み、各ビットは、１つのＳＩメッセージに対応している。
【０２０２】
ＳＩＢ１は、第６の指示情報、および少なくとも１つの第７の指示情報を含む。
【０２０３】
第６の指示情報は、ＳＩＢ１におけるＶａｌｕｅＴａｇであり、ＳＩＢ１におけるＶａｌｕｅＴａｇの意味は、ページングメッセージ内のＶａｌｕｅＴａｇのそれと同じである。
【０２０４】
少なくとも１つの第７の指示情報は、ＳＩＢ１におけるＫ個のＳＩ＿ＩＮＤフィールドであり、Ｋ個のＳＩ＿ＩＮＤフィールドの意味は、ページングメッセージ内のＫ個のＳＩ＿ＩＮＤフィールドのそれと同じである。
【０２０５】
端末デバイス３０２は、ＶａｌｕｅＴａｇＭＳおよびＶａｌｕｅＴａｇＰａｇｉｎｇＭＳを保持する。ＶａｌｕｅＴａｇＰａｇｉｎｇＭＳの値は、最後のシステムメッセージ更新においてＭＩＢから読み出された記録されたＶａｌｕｅＴａｇＰａｇｉｎｇの値であり、ＶａｌｕｅＴａｇＭＳの値は、最後のシステムメッセージ更新においてページングメッセージまたは第２のシステムメッセージから読み出される、記録されたＶａｌｕｅＴａｇの値である。
【０２０６】
ＶａｌｕｅＴａｇがシステムメッセージが更新される必要があるかどうかを示すために使用される理由は、端末デバイス３０２がスリープ状態にあるときに、システムメッセージが複数回変わり得ることにある。システムメッセージが偶数回変わった場合、１ビット情報のみでは、システムメッセージが変わったことを示すことができない。
【０２０７】
次に、アイドル状態にある端末デバイス３０２を一例として使用することによってシステムメッセージ更新処理を説明する。
【０２０８】
アイドル状態にある端末がスリープ状態からウェイクアップした後、端末はＭＩＢを読み出す。
【０２０９】
次に、ＭＩＢから読み出されたＶａｌｕｅＴａｇＰａｇｉｎｇの異なる値に従って異なるケースを説明する。
【０２１０】
ケース１：ＶａｌｕｅＴａｇＰａｇｉｎｇＭＳ＝ＭＩＢから読み出されたＶａｌｕｅＴａｇＰａｇｉｎｇ
端末デバイス３０２は、ページングメッセージを受信する。次に、ページングメッセージから読み出されたＶａｌｕｅＴａｇの異なる値を説明する。
【０２１１】
サブケース１：ページングメッセージから読み出されたＶａｌｕｅＴａｇ＝ＶａｌｕｅＴａｇＭＳ＋１
ケース１におけるサブケース１において、ページングメッセージから読み出されたＳＩＢ１変化指示情報が、ＳＩＢ１が変わることを示す場合に、端末デバイス３０２はＳＩＢ１を読み出す。ページングメッセージから読み出されたＫ個のＳＩ＿ＩＮＤフィールドが、ＳＩメッセージが変わることを示す場合、端末デバイス３０２は、ＳＩＢ１におけるＳＩスケジューリング情報に従って変えられたＳＩメッセージを読み出し、ＶａｌｕｅＴａｇＭＳ＝ＶａｌｕｅＴａｇと設定する。
【０２１２】
サブケース２：ページングメッセージから読み出されたＶａｌｕｅＴａｇ＜ＶａｌｕｅＴａｇＭＳ、またはページングメッセージから読み出されたＶａｌｕｅＴａｇ＞ＶａｌｕｅＴａｇＭＳ＋１
ケース１におけるサブケース２において、端末デバイス３０２はＳＩＢ１を読み出し、ＳＩＢ１におけるＳＩメッセージスケジューリング情報に従って再びすべてのＳＩメッセージを読み出し、ＶａｌｕｅＴａｇＭＳ＝ＶａｌｕｅＴａｇと設定する。
【０２１３】
ケース２：ＶａｌｕｅＴａｇＰａｇｉｎｇＭＳ≠ＭＩＢから読み出されたＶａｌｕｅＴａｇＰａｇｉｎｇ
ケース２において、端末デバイス３０２はＳＩＢ１を読み出し、ＳＩＢ１から読み出されたＶａｌｕｅＴａｇの値に従って次の２つのサブケースがある。
【０２１４】
サブケース１：ＳＩＢ１から読み出されたＶａｌｕｅＴａｇ＝ＶａｌｕｅＴａｇＭＳ＋１
ケース２におけるサブケース１において、端末デバイス３０２は、ＳＩＢ１におけるＫ個のＳＩ＿ＩＮＤフィールドおよびＳＩスケジューリング情報に従って変えられたＳＩメッセージを読み出し、ＶａｌｕｅＴａｇＭＳ＝ＳＩＢから読み出されたＶａｌｕｅＴａｇと設定する。
【０２１５】
サブケース２：ＳＩＢ１から読み出されたＶａｌｕｅＴａｇ＜ＶａｌｕｅＴａｇＭＳ、またはＳＩＢ１から読み出されたＶａｌｕｅＴａｇ＞ＶａｌｕｅＴａｇＭＳ＋１
ケース２におけるサブケース２において、端末デバイス３０２はすべてのＳＩメッセージを再び読み出し、ＳＩＢ１から読み出されたＶａｌｕｅＴａｇ＝ＶａｌｕｅＴａｇＭＳと設定する。
【０２１６】
加えて、ケース２において、端末デバイス３０２は、ＭＩＢから読み出されたＶａｌｕｅＴａｇＰａｇｉｎｇ＝ＶａｌｕｅＴａｇＰａｇｉｎｇＭＳと設定する。
【０２１７】
実施形態３において、システムメッセージ更新ソリューションは、長いＤＲＸサイクルを有する端末デバイスに対して提供される（すなわち、ＤＲＸサイクルはシステムメッセージ更新周期よりも長い）。このソリューションにおいて、ページング関係のシステムメッセージが変わらない場合、アイドル状態にある端末デバイスは、ページングメッセージを使用することによってシステムメッセージ変化情報を取得し得る。
【０２１８】
加えて、端末デバイスによるシステムメッセージを読み出すためのメカニズムは、実施形態３におけるいくつかのソリューションで最適化される。複数の指示情報が、ページングメッセージで運ばれ、複数の指示情報は、ＳＩＢ１メッセージで運ばれ、それにより端末は可能なときに必要なシステムメッセージのみを読み出し、端末のエネルギー消費を低減する。
【０２１９】
長いＤＲＸサイクルを有する端末デバイスは、通常、システムメッセージを更新することができないという問題は、実施形態３において解決されることができるが、短いＤＲＸサイクルを有する端末デバイスに対して新しいシステムメッセージ更新ソリューションがさらに提供され、それによって、システムメッセージを更新する成功率を改善することに留意されたい。
【０２２０】
実施形態４
図８に示されるように、実施形態４で提供されるシステムメッセージ更新手順は以下のステップを含む。
【０２２１】
Ｓ８０１：ネットワークデバイス３０１がセルにおいてページングメッセージを送信する。
【０２２２】
Ｓ８０２：端末デバイス３０２が、ネットワークデバイス３０１によって送信されたページングメッセージを受信し、ページングメッセージからシステムメッセージ更新指示情報を取得する。
【０２２３】
第１のシステムメッセージ、第２のシステムメッセージ、および少なくとも１つの第３のシステムメッセージにおける各システムメッセージについて、システムメッセージ更新指示情報は、端末デバイス３０２がシステムメッセージを更新する必要があるかどうかを示す。
【０２２４】
Ｓ８０３：端末デバイス３０２が、取得されたシステムメッセージ更新指示情報に従ってシステムメッセージを更新する。
【０２２５】
第１のシステムメッセージ、第２のシステムメッセージ、および第３のシステムメッセージについては、前述の基本概念の部分の説明を参照されたい。
【０２２６】
実施形態２および実施形態３の両方において、長いＤＲＸサイクルを有する端末デバイス３０２のシステムメッセージ更新問題が解決されることができる。実施形態４において、新しいシステムメッセージ更新ソリューションは、短いＤＲＸサイクルを有する端末デバイス３０２に対して提供される（ＤＲＸサイクルはシステムメッセージ更新周期よりも長くなく、さらに、システムメッセージ更新周期は、ＤＲＸサイクルの整数倍であってよい）。ページングメッセージ内のシステムメッセージ更新指示情報が、各システムメッセージについて設定される、すなわち、システムメッセージ更新指示情報は、第１のシステムメッセージ、第２のシステムメッセージ、および少なくとも１つの第３のシステムメッセージにおける各システムメッセージについて設定される。したがって、各システムメッセージの変化ステータスは、正確に示されることができる。このケースでは、端末デバイス３０２がシステムメッセージを更新するときに、端末デバイス３０２は、変えられたシステムメッセージについてのみ更新を行う必要があり、それによって、デバイスエネルギー消費を低減する。
【０２２７】
任意選択で、各システムメッセージのシステムメッセージ更新指示情報は、ビットマップを使用することによって実装されてよく、各ビットは、１つのシステムメッセージに対応している。ビットが０であるときに、それは、対応するシステムメッセージが変わらないことを指示し、ビットが１であるときに、それは、対応するシステムメッセージが変わることを示す。
【０２２８】
任意選択で、少なくとも１つの第３のシステムメッセージは、アクティベーション関係の第３のシステムメッセージおよび通常の第３のシステムメッセージを含み得る。任意選択で、第１のシステムメッセージ、第２のシステムメッセージ、および通常の第３のシステムメッセージについて、対応するシステムメッセージ更新指示情報が１であるときに、端末デバイス３０２は、次のシステムメッセージ更新周期内に対応するシステムメッセージを読み出し得る。アクティベーション関係の第３のシステムメッセージについて、対応するシステムメッセージ更新指示情報が１であるときに、端末デバイス３０２は、アクティベーション関係の第３のシステムメッセージを即座に読み出し得る。
【０２２９】
実施形態５
図９Ａに示されるように、実施形態５で提供されるシステムメッセージ伝送手順は以下のステップを含む。
【０２３０】
Ｓ９０１：各送信されるシステムメッセージについて、ネットワークデバイス３０１が、システムメッセージを送信するために使用される開始位置、送信周期、および繰り返しの量を決定する。
【０２３１】
Ｓ９０２：端末デバイス３０２が、各受信されるシステムメッセージを送信するために使用される開始位置、送信周期、および繰り返しの量を決定する。
【０２３２】
Ｓ９０３：各送信されるシステムメッセージについて、ネットワークデバイス３０１が、システムメッセージを送信するために使用される決定された開始位置、送信周期、および繰り返しの量に従ってシステムメッセージを送信し、端末デバイス３０２が、各システムメッセージを送信するために使用される決定された開始位置、送信周期、および繰り返しの量に従ってシステムメッセージを受信する。
【０２３３】
システムメッセージを２回送信する間の時間間隔において、１つまたは複数の他のシステムメッセージが含まれる。
【０２３４】
実施形態５で提供されるソリューションは、前述の実施形態のうちのいずれか１つに適用可能である。ネットワークデバイス３０１は、繰り返される送信の２回のステップの処理で他のシステムメッセージを送信する。このケースでは、システムメッセージを受信した後、端末デバイス３０２は、システムメッセージウィンドウを待つことなく他のシステムメッセージを受信し、それによってシステムメッセージ更新効率を改善し得る。
【０２３５】
以下では、任意選択のソリューション１および任意選択のソリューション２を別々に説明する。実施形態４の特定の実装および効果を例示するため２つの任意選択のソリューションが比較される。
【０２３６】
任意選択のソリューション１：ネットワークデバイス３０１がＳＩウィンドウにおいて同じシステムメッセージを繰り返し送信する。
【０２３７】
任意選択のソリューション２：ネットワークデバイス３０１がシステムメッセージを２回送信する間の時間間隔で他のシステムメッセージを送信する。
【０２３８】
次に、図９Ｂを参照しつつ任意選択のソリューション１を説明する。
【０２３９】
任意選択のソリューション１
任意選択のソリューション１の適用シナリオは、ＣＩｏＴにおけるカバレッジ拡張要件を実装するために、ネットワークデバイス３０１は、ＳＩウィンドウで同じＳＩメッセージを繰り返し送信する必要がある。
【０２４０】
任意選択のソリューション１において、ＳＩメッセージ伝送に対する周波数領域リソースは固定され、変調符号化方式および同様のものも固定され、時間領域スケジューリングのみが実行される必要があると仮定される。
【０２４１】
ＳＩＢ１で運ばれるスケジューリング情報は、ＳＩｎ、ｎ＝１，２，．．．，Ｎのサイズのみ（システムメッセージＳＩｎのサイズＳnに従って、カバレッジ拡張を保証するために必要な繰り返しの量Ｍnが知られ得る）ならびにＳＩメッセージをスケジューリングするための開始フレーム番号Ｔ0および開始サブフレーム番号ｔ0を含み、Ｎは正整数である。
【０２４２】
任意選択のソリューション１において、ＳＩウィンドウは、順次配置され、ＳＩウィンドウの間に重なりまたは空きはない。
【０２４３】
対応するウィンドウ内でＭn回、ＳＩｎ、ｎ＝１，２，．．．，Ｎを伝送するために必要なサブフレームの量は、
【０２４４】
【数１】
2019500770.tif 000004
【０２４５】
であり、ｒは、固定された周波数領域リソースおよび固定された変調符号化方式を使用することによって１つのサブフレームで伝送されることができるビットの量である。
【０２４６】
ＳＩｎ、ｎ＝１，２，．．．，Ｎについて、開始フレーム番号は
【０２４７】
【数２】
2019500770.tif 000005
【０２４８】
であり、開始サブフレーム番号は
【０２４９】
【数３】
2019500770.tif 000006
【０２５０】
であり、終了フレーム番号は
【０２５１】
【数４】
2019500770.tif 000007
【０２５２】
であり、終了サブフレーム番号は
【０２５３】
【数５】
2019500770.tif 000008
【０２５４】
である。
【０２５５】
端末は、前述の時間領域空間内でＳＩｎを受信するものとしてよく、ｏｆｆｓｅｔiは、オフセットされたサブフレームの量である。システム内のいくつかの使用されるサブフレーム、たとえば、ＭＩＢおよびＳＩＢ１を伝送するためのサブフレームが固定され、したがって、これらのサブフレームは、選り分けられる必要がある。この規則は、端末デバイス３０２およびネットワークデバイス３０１の両方について固定され、特定のオフセットされたサブフレームの量は、システム設計に従って計算を用いて取得され得る。
【０２５６】
図９Ｂを参照すると、任意選択のソリューション１において、ＳＩメッセージが時間に関して順次スケジューリングされることが前述の説明から知られ得る。より良好なカバレッジを有する端末デバイスについては、ＳＩは、受信を数回だけ実行することによって、または繰り返される伝送を１回実行するだけでも取得され得る。しかしながら、システムメッセージは、すべての以前のシステムメッセージの繰り返される伝送が完了したときのみ受信される。これは、端末デバイス（特に、より良好なカバレッジを有する端末デバイス）の節電に有利なことではない。したがって、図９Ｃに示されるように、任意選択のソリューション２は、重なり合うＳＩウィンドウを使用するシステムメッセージ送信ソリューションを提供する。
【０２５７】
任意選択のソリューション２
任意選択のソリューション２において、システムメッセージＳＩｎ、ｎ＝１，２，．．．，Ｎは、サブフレームを単位として順次配置され、Ｎは正整数である。
【０２５８】
端末デバイス３０２はデータフレーム内の（ｔ0＋ｎ＋ｉ＊Ｎ−１＋ｏｆｆｓｅｔn,i）ｍｏｄ１０番目のサブフレーム内のＳＩｎを受信するものとしてよく、そのデータフレームのフレーム番号は
【０２５９】
【数６】
2019500770.tif 000009
【０２６０】
であり、ここで
【０２６１】
【数７】
2019500770.tif 000010
【０２６２】
であり、ｏｆｆｓｅｔn,iはＳＩｎを繰り返し送信するｉ番目の回数のオフセットされたサブフレームの量である。
【０２６３】
任意選択のソリューション２において、より良好なカバレッジを有する端末について、システムメッセージを受信するためにいくつかのサブフレームのみが必要であってよい。そのような端末について、任意選択のソリューション２におけるスケジューリングソリューションは、カバレッジ拡張のために実行されるリソース位置決定および十分な繰り返される伝送を実装することができ、比較的高いカバレッジレベルを有する端末の節電にさらに有利である。
【０２６４】
実施形態６
図１０は、本出願の実施形態６による第１のタイプの端末デバイスの概略構造図である。図に示されるように、デバイスは、
端末デバイスが配置されるセルの第１のシステムメッセージを受信するように構成される受信モジュール１００１と、
処理モジュール１００２であって、受信モジュール１００１によって受信された第１のシステムメッセージから第１の指示情報を取得し、第１の指示情報は、第１のシステムメッセージ以外のシステムメッセージを更新するために使用される情報を含み、取得された第１の指示情報に従って第１のシステムメッセージ以外のシステムメッセージを更新するように構成される、処理モジュール１００２とを含む。
【０２６５】
第１のシステムメッセージは、周期的に送信され、固定された物理リソースロケーションを占有する。
【０２６６】
任意選択で、処理モジュール１００２によって更新される第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０２６７】
第２のシステムメッセージは、少なくとも２つの第３のシステムメッセージのスケジューリング情報を含む。
【０２６８】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０２６９】
任意選択で、第１の指示情報が第２の指示情報を含み、第２の指示情報は、セル内で現在使用される第２のシステムメッセージと少なくとも１つの通常の第３のシステムメッセージとの組合せの構成バージョンを示すために使用され、１つのシステムメッセージ更新周期において、第２のシステムメッセージおよび少なくとも１つの通常の第３のシステムメッセージにおけるいずれか１つまたは複数のシステムメッセージについての更新について、構成バージョンが１回変わるときに、処理モジュール１００２は、
第２の指示情報によって示される構成バージョンが、端末デバイスによって記録された構成バージョンと異なる場合に、第２のシステムメッセージを更新するか、または
第２の指示情報によって示される構成バージョンが、端末デバイスによって記録された構成バージョンと同じである場合に、第２のシステムメッセージが更新される必要はないと決定する、ように特に構成される。
【０２７０】
任意選択で、処理モジュール１００２は、
第２のシステムメッセージが、少なくとも１つの第３の指示情報を含み、１つの第３の指示情報が、１つの通常の第３のシステムメッセージに対応しており、対応する通常の第３のシステムメッセージが構成バージョンの最新の変化に関して更新されるかどうかを示すために使用されるときに、第２のシステムメッセージが更新された後に第２のシステムメッセージから少なくとも１つの第３の指示情報を取得し、
第２の指示情報によって示される構成バージョンが、端末デバイスによって記録された構成バージョンと異なるが、２つの構成バージョンの間に他の異なる構成バージョンがない場合に、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいかなるシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って、通常の第３のシステムメッセージを読み出すように受信モジュール１００１を制御するオペレーションを実行する、ように特に構成される。
【０２７１】
任意選択で、処理モジュール１００２は、
第２の指示情報によって示される構成バージョンと端末デバイスによって記録された構成バージョンとの間に他の異なる構成バージョンがある場合に、
各通常の第３のシステムメッセージについて、通常の第３のシステムメッセージのものであり、更新された第２のシステムメッセージ内にあるスケジューリング情報に従って、受信モジュール１００１を、通常の第３のシステムメッセージを読み出すように制御するように特に構成される。
【０２７２】
任意選択で、処理モジュール１００２は、
第１の指示情報が、少なくとも１つの第４の指示情報をさらに含み、１つの第４の指示情報が、１つのアクティベーション関係の第３のシステムメッセージに対応しており、セル内の端末デバイスが対応するアクティベーション関係の第３のシステムメッセージを更新する必要があるかどうかを示すために使用されるときに、
第４の指示情報が、セル内の端末デバイスが対応するアクティベーション関係の第３のシステムメッセージを更新する必要があることを示す場合に、対応するアクティベーション関係の第３のシステムメッセージを更新するか、または
第４の指示情報が、セル内の端末デバイスが対応するアクティベーション関係の第３のシステムメッセージを更新する必要がないことを示す場合に、対応するアクティベーション関係の第３のシステムメッセージが更新される必要がないと決定するように特に構成される。
【０２７３】
端末デバイスの様々な任意選択の実装については、実施形態２における端末デバイス３０２のオペレーションを参照されたい。受信モジュール１００１は、端末デバイス３０２の受信オペレーションを実行するように構成され、処理モジュール１００２は、端末デバイス３０２の処理オペレーションを実行するように構成される。
【０２７４】
受信モジュール１００１は、受信機によって実装されてよく、処理モジュール１００２は、プロセッサによって実装されてよい。
【０２７５】
端末デバイスは、実施形態１０で提供される方法を実行するように構成され得る。
【０２７６】
実施形態７
図１１は、本出願の実施形態７による第２のタイプの端末デバイスの概略構造図である。図に示されるように、デバイスは、
端末デバイスが配置されるセルの第１のシステムメッセージを受信するように構成される受信機１１０１と、
プロセッサ１１０２であって、受信機１１０１によって受信された第１のシステムメッセージから第１の指示情報を取得し、第１の指示情報は、第１のシステムメッセージ以外のシステムメッセージを更新するために使用される情報を含み、取得された第１の指示情報に従って第１のシステムメッセージ以外のシステムメッセージを更新するように構成される、プロセッサ１１０２とを含む。
【０２７７】
第１のシステムメッセージは、周期的に送信され、固定された物理リソースロケーションを占有する。
【０２７８】
受信機１１０１の様々な任意選択の実装については、受信モジュール１００１を参照し、プロセッサ１１０２の様々な任意選択の実装については、処理モジュール１００２を参照されたい。
【０２７９】
端末デバイスは、実施形態１０で提供される方法を実行するように構成され得る。
【０２８０】
実施形態８
図１２は、本出願の実施形態８による第１のタイプのネットワークデバイスの概略構造図である。図に示されるように、デバイスは、
第１のシステムメッセージを決定するように構成される処理モジュール１２０１であって、第１のシステムメッセージは、第１の指示情報を含み、第１の指示情報は、第１のシステムメッセージ以外のシステムメッセージを更新するために使用される情報を含む、処理モジュール１２０１と、
セル内で、処理モジュール１２０１によって決定された第１のシステムメッセージを送信するように構成される送信モジュール１２０２とを含む。
【０２８１】
第１のシステムメッセージは、周期的に送信され、固定された物理リソースロケーションを占有する。
【０２８２】
任意選択で、送信モジュール１２０２は、
セルにおける第１のシステムメッセージ以外のシステムメッセージを送信するようにさらに構成される。
【０２８３】
第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０２８４】
第２のシステムメッセージは、少なくとも２つの第３のシステムメッセージのスケジューリング情報を含む。
【０２８５】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０２８６】
任意選択で、送信モジュール１２０２によって送信される第１の指示情報は第２の指示情報を含む。
【０２８７】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０２８８】
任意選択で、送信モジュール１２０２によって送信される第２のシステムメッセージは少なくとも１つの第３の指示情報を含む。
【０２８９】
１つの第３の指示情報は、１つの通常の第３のシステムメッセージに対応しており、対応する通常の第３のシステムメッセージが構成バージョンの最新の変化に関して更新されるかどうかを示すために使用される。
【０２９０】
任意選択で、送信モジュール１２０２によって送信される第１の指示情報は少なくとも１つの第４の指示情報を含む。
【０２９１】
１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０２９２】
ネットワークデバイスの他の任意選択の実装については、実施形態２におけるネットワークデバイス３０１のオペレーションを参照されたい。処理モジュール１２０１は、ネットワークデバイス３０１の処理オペレーションを実行するように構成され、送信モジュール１２０２は、ネットワークデバイス３０１の送信オペレーションを実行するように構成される。
【０２９３】
処理モジュール１２０１は、プロセッサによって実装されてよく、送信モジュール１２０２は、送信機によって実装されてよい。
【０２９４】
ネットワークデバイスは、実施形態１１で提供される方法を実行するように構成され得る。
【０２９５】
実施形態９
図１３は、本出願の実施形態９による第２のタイプのネットワークデバイスの概略構造図である。図に示されるように、デバイスは、
第１のシステムメッセージを決定するように構成されるプロセッサ１３０１であって、第１のシステムメッセージは、第１の指示情報を含み、第１の指示情報は、第１のシステムメッセージ以外のシステムメッセージを更新するために使用される情報を含む、プロセッサ１３０１と、
セル内で、プロセッサ１３０１によって決定された第１のシステムメッセージを送信するように構成される送信機１３０２とを含む。
【０２９６】
第１のシステムメッセージは、周期的に送信され、固定された物理リソースロケーションを占有する。
【０２９７】
プロセッサ１３０１の他の任意選択の実装については、処理モジュール１２０１を参照し、送信機１３０２の他の任意選択の実装については、送信モジュール１２０２を参照されたい。
【０２９８】
ネットワークデバイスは、実施形態１１で提供される方法を実行するように構成され得る。
【０２９９】
実施形態１０
図１４は、本出願の実施形態１０による第１のシステムメッセージ更新方法のフローチャートである。図に示されるように、手順は、次のステップを含む。
【０３００】
Ｓ１４０１：第１の端末デバイスが、第１の端末デバイスが配置されるセルの第１のシステムメッセージを受信する。
【０３０１】
Ｓ１４０２：第１の端末デバイスが、第１のシステムメッセージから第１の指示情報を取得し、第１の指示情報は、第１のシステムメッセージ以外のシステムメッセージを更新するために使用される情報を含む。
【０３０２】
Ｓ１４０３：第１の端末デバイスは、取得された第１の指示情報に従って第１のシステムメッセージ以外のシステムメッセージを更新する。
【０３０３】
第１のシステムメッセージは、周期的に送信され、固定された物理リソースロケーションを占有する。
【０３０４】
任意選択で、第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０３０５】
第２のシステムメッセージは、少なくとも２つの第３のシステムメッセージのスケジューリング情報を含む。
【０３０６】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０３０７】
任意選択で、第１の指示情報は第２の指示情報を含む。
【０３０８】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０３０９】
第１の端末デバイスが取得された第１の指示情報に従って第１のシステムメッセージ以外のシステムメッセージを更新することは、
第２の指示情報によって示される構成バージョンが、第１の端末デバイスによって記録された構成バージョンと異なる場合に、第１の端末デバイスが第２のシステムメッセージを更新するか、または
第２の指示情報によって示される構成バージョンが、第１の端末デバイスによって記録された構成バージョンと同じである場合に、第１の端末デバイスが第２のシステムメッセージが更新される必要はないと決定することを含む。
【０３１０】
任意選択で、第２のシステムメッセージは、少なくとも１つの第３の指示情報を含み、１つの第３の指示情報は、１つの通常の第３のシステムメッセージに対応しており、対応する通常の第３のシステムメッセージが構成バージョンの最新の変化に関して更新されるかどうかを示すために使用される。
【０３１１】
第１の端末デバイスは第２のシステムメッセージを更新した後に、手順は、第１の端末デバイスが第２のシステムメッセージから少なくとも１つの第３の指示情報を取得することをさらに含む。
【０３１２】
第１の端末デバイスが取得された第１の指示情報に従って第１のシステムメッセージ以外のシステムメッセージを更新することは、
第２の指示情報によって示される構成バージョンが、第１の端末デバイスによって記録された構成バージョンと異なるが、２つの構成バージョンの間に他の異なる構成バージョンがない場合に、第１の端末デバイスが、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいかなるシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って通常の第３のシステムメッセージを読み出すオペレーションを実行することをさらに含む。
【０３１３】
任意選択で、第１の端末デバイスが取得された第１の指示情報に従って第１のシステムメッセージ以外のシステムメッセージを更新することは、
第２の指示情報によって示される構成バージョンと第１の端末デバイスによって記録された構成バージョンとの間に他の異なる構成バージョンがある場合に、各通常の第３のシステムメッセージについて、第１の端末デバイスが、通常の第３のシステムメッセージのものであり、更新された第２のシステムメッセージ内にあるスケジューリング情報に従って、通常の第３のシステムメッセージを読み出すことをさらに含む。
【０３１４】
任意選択で、第１の指示情報は、少なくとも１つの第４の指示情報をさらに含み、１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０３１５】
第１の端末デバイスが取得された第１の指示情報に従って第１のシステムメッセージ以外のシステムメッセージを更新することは、
第４の指示情報が、セル内の端末デバイスが対応するアクティベーション関係の第３のシステムメッセージを更新する必要があることを示す場合に、第１の端末デバイスが、対応するアクティベーション関係の第３のシステムメッセージを更新するか、または
第４の指示情報が、セル内の端末デバイスが対応するアクティベーション関係の第３のシステムメッセージを更新する必要がないことを示す場合に、第１の端末デバイスが、対応するアクティベーション関係の第３のシステムメッセージが更新される必要がないと決定することをさらに含む。
【０３１６】
方法の他の任意選択の実装については、実施形態２における端末デバイス３０２の処理を参照されたい。
【０３１７】
実施形態１１
図１５は、本出願の実施形態１１による第２のシステムメッセージ更新方法のフローチャートである。図に示されるように、手順は、次のステップを含む。
【０３１８】
Ｓ１５０１：ネットワークデバイスが第１のシステムメッセージを決定し、第１のシステムメッセージは、第１の指示情報を含み、第１の指示情報は、第１のシステムメッセージ以外のシステムメッセージを更新するために使用される情報を含む。
【０３１９】
Ｓ１５０２：ネットワークデバイスがセルにおいて決定された第１のシステムメッセージを送信する。
【０３２０】
第１のシステムメッセージは、周期的に送信され、固定された物理リソースロケーションを占有する。
【０３２１】
任意選択で、手順は、
ネットワークデバイスが、セルにおける第１のシステムメッセージ以外のシステムメッセージを送信することをさらに含む。
【０３２２】
第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０３２３】
第２のシステムメッセージは、少なくとも２つの第３のシステムメッセージのスケジューリング情報を含む。
【０３２４】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０３２５】
任意選択で、第１の指示情報は第２の指示情報を含む。
【０３２６】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０３２７】
任意選択で、第２のシステムメッセージは、少なくとも１つの第３の指示情報を含む。
【０３２８】
１つの第３の指示情報は、１つの通常の第３のシステムメッセージに対応しており、対応する通常の第３のシステムメッセージが構成バージョンの最新の変化に関して更新されるかどうかを示すために使用される。
【０３２９】
任意選択で、第１の指示情報は、少なくとも１つの第４の指示情報をさらに含む。
【０３３０】
１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０３３１】
方法の他の任意選択の実装については、実施形態２におけるネットワークデバイス３０１の処理を参照されたい。
【０３３２】
実施形態１２
図１６は、本出願の実施形態１２による第３のタイプの端末デバイスの概略構造図である。図に示されるように、デバイスは、
端末デバイスが配置されるセルの第１のシステムメッセージを受信するように構成される受信モジュール１６０１であって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信モジュール１６０１と、
受信モジュール１６０１によって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合、記録されたページング関係のシステムメッセージに従ってページングメッセージを受信するように受信モジュール１６０１を制御し、受信モジュール１６０１によって受信されたページングメッセージ内のシステムメッセージ更新に関係する第２の指示情報に従ってシステムメッセージを更新するように構成される、処理モジュール１６０２とを含む。
【０３３３】
任意選択で、受信モジュール１６０１によって受信される第２の指示情報は、第３の指示情報、第４の指示情報、および少なくとも１つの第５の指示情報を含む。
【０３３４】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３３５】
第４の指示情報は、第２のシステムメッセージが構成バージョンの最新の変化に関して更新されるかどうかを示すために使用される。
【０３３６】
１つの第５の指示情報は、１つの第３のシステムメッセージに対応しており、対応する第３のシステムメッセージが構成バージョンの最新の変化に関して更新されるかどうかを示すために使用される。
【０３３７】
任意選択で、処理モジュール１６０２は、
第３の指示情報によって示される構成バージョンが、端末デバイスによって記録された構成バージョンと同じである場合に、システムメッセージが更新される必要はないと決定するか、または
第３の指示情報によって示される構成バージョンが、端末デバイスによって記録された構成バージョンと異なるが、２つの構成バージョンの間に他の異なる構成バージョンがない場合に、第４の指示情報が、第２のシステムメッセージが構成バージョンの最新の変化に関して更新されることを示すときに、第２のシステムメッセージを更新するか、または第４の指示情報が、第２のシステムメッセージが構成バージョンの最新の変化に関して更新されないことを示すときに、第２のシステムメッセージが更新される必要はないと決定するように特に構成される。
【０３３８】
任意選択で、処理モジュール１６０２は、
第３の指示情報によって示される構成バージョンが、端末デバイスによって記録された構成バージョンと異なるが、２つの構成バージョンの間に他の異なる構成バージョンがない場合に、
少なくとも１つの第５の指示情報における各第３の指示情報が、対応する第３のシステムメッセージが構成バージョンの最新の変化に関して更新されないことを示すときに、少なくとも１つの第３のシステムメッセージにおけるいかなるシステムメッセージも更新される必要がないと決定するか、または
少なくとも１つの第５の指示情報における１つまたは複数の第５の指示情報が、対応する第３のシステムメッセージが構成バージョンの最新の変化に関して更新されることを示すときに、各更新された第３のシステムメッセージを更新するように特に構成される。
【０３３９】
任意選択で、処理モジュール１６０２は、
第３の指示情報によって示される構成バージョンが、端末デバイスによって記録された構成バージョンと異なるが、２つの構成バージョンの間に他の異なる構成バージョンがない場合に、
第２のシステムメッセージを更新し、
少なくとも１つの第３のシステムメッセージのものであり、更新された第２のシステムメッセージ内にあるスケジューリング情報に従って各第３のシステムメッセージを更新するように特に構成される。
【０３４０】
任意選択として、処理モジュール１６０２は、
第１の指示情報が、ページング関係のシステムメッセージが更新されることを示す場合に、第２のシステムメッセージを更新し、
第６の指示情報、および少なくとも１つの第７の指示情報を、第２のシステムメッセージから取得し、第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、１つの第７の指示情報は、１つの第３のシステムメッセージに対応しており、対応する第３のシステムメッセージが構成バージョンの最新の変化に関して更新されるかどうかを示すために使用され、
第６の指示情報、および少なくとも１つの第７の指示情報に従ってシステムメッセージを更新するようにさらに構成される。
【０３４１】
任意選択で、処理モジュール１６０２は、
第６の指示情報によって示される構成バージョンが、端末デバイスによって記録された構成バージョンと異なるが、２つの構成バージョンの間に他の異なる構成バージョンがない場合に、少なくとも１つの第７の指示情報によって示される各更新された第３のシステムメッセージについて、第３のシステムメッセージを更新するか、または
第６の指示情報によって示される構成バージョンが、端末デバイスによって記録された構成バージョンと異なり、２つの構成バージョンの間に他の異なる構成バージョンがある場合に、少なくとも１つの第３のシステムメッセージにおける各システムメッセージを更新するように特に構成される。
【０３４２】
端末デバイスの様々な任意選択の実装については、実施形態３における端末デバイス３０２のオペレーションを参照されたい。受信モジュール１６０１は、端末デバイス３０２の受信オペレーションを実行するように構成され、処理モジュール１６０２は、端末デバイス３０２の処理オペレーションを実行するように構成される。
【０３４３】
受信モジュール１６０１は、受信機によって実装されてよく、処理モジュール１６０２は、プロセッサによって実装されてよい。
【０３４４】
端末デバイスは、実施形態１６で提供される方法を実行するように構成され得る。
【０３４５】
実施形態１３
図１７は、本出願の実施形態１３による第４のタイプの端末デバイスの概略構造図である。図に示されるように、デバイスは、
端末デバイスが配置されるセルの第１のシステムメッセージを受信するように構成される受信機１７０１であって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信機１７０１と、
プロセッサ１７０２であって、受信機１７０１によって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合に、記録されたページング関係のシステムメッセージに従ってページングメッセージを受信するように受信機１７０１を制御し、受信機１７０１によって受信されたページングメッセージ内のシステムメッセージ更新に関係する第２の指示情報に従ってシステムメッセージを更新するように構成されるプロセッサ１７０２とを含む。
【０３４６】
受信機１７０１の他の任意選択の実装については、受信モジュール１６０１を参照し、プロセッサ１７０２の他の任意選択の実装については、処理モジュール１６０２を参照されたい。
【０３４７】
端末デバイスは、実施形態１６で提供される方法を実行するように構成され得る。
【０３４８】
実施形態１４
図１８は、本出願の実施形態１４による第３のタイプのネットワークデバイスの概略構造図である。図に示されるように、デバイスは、
第１のシステムメッセージを決定するように構成される処理モジュール１８０１であって、第１のシステムメッセージは、第１の指示情報を含み、第１の指示情報は、ページング関係のシステムメッセージが更新されるかどうかを示すために使用される、処理モジュール１８０１と、
セル内で、処理モジュール１８０１によって決定された第１のシステムメッセージを送信するように構成される送信モジュール１８０２とを含む。
【０３４９】
処理モジュール１８０１は、ページングメッセージを決定するようにさらに構成され、ページングメッセージは、システムメッセージ更新に関係する第２の指示情報を含む。
【０３５０】
送信モジュール１８０２が、セル内で、処理モジュール１８０１によって決定されたページングメッセージを送信するようにさらに構成される。
【０３５１】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３５２】
任意選択で、送信モジュール１８０２によって送信されるページングメッセージ内の第２の指示情報は、第３の指示情報、第４の指示情報、および少なくとも１つの第５の指示情報を含む。
【０３５３】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３５４】
第４の指示情報は、第２のシステムメッセージが構成バージョンの最新の変化に関して更新されるかどうかを示すために使用される。
【０３５５】
１つの第５の指示情報は、１つの第３のシステムメッセージに対応しており、対応する第３のシステムメッセージが構成バージョンの最新の変化に関して更新されるかどうかを示すために使用される。
【０３５６】
任意選択で、送信モジュール１８０２によって送信される第２のシステムメッセージは、第６の指示情報、および少なくとも１つの第７の指示情報を含む。
【０３５７】
第６の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３５８】
１つの第７の指示情報は、１つの第３のシステムメッセージに対応しており、対応する第３のシステムメッセージが構成バージョンの最新の変化に関して更新されるかどうかを示すために使用される。
【０３５９】
ネットワークデバイスの他の任意選択の実装については、実施形態３におけるネットワークデバイス３０１のオペレーションを参照されたい。処理モジュール１８０１は、ネットワークデバイス３０１の処理オペレーションを実行するように構成され、送信モジュール１８０２は、ネットワークデバイス３０１の送信オペレーションを実行するように構成される。
【０３６０】
処理モジュール１８０１は、プロセッサによって実装されてよく、送信モジュール１８０２は、送信機によって実装されてよい。
【０３６１】
ネットワークデバイスは、実施形態１７で提供される方法を実行するように構成され得る。
【０３６２】
実施形態１５
図１９は、本出願の実施形態１５による第４のタイプのネットワークデバイスの概略構造図である。図に示されるように、デバイスは、
第１のシステムメッセージを決定するように構成される、プロセッサ１９０１であって、第１のシステムメッセージは、第１の指示情報を含み、第１の指示情報は、ページング関係のシステムメッセージが更新されるかどうかを示すために使用される、プロセッサ１９０１と、
セル内で、プロセッサ１９０１によって決定された第１のシステムメッセージを送信するように構成される、送信機１９０２とを含む。
【０３６３】
プロセッサ１９０１は、ページングメッセージを決定するようにさらに構成され、ページングメッセージは、システムメッセージ更新に関係する第２の指示情報を含む。
【０３６４】
送信機１９０２は、セル内で、プロセッサ１９０１によって決定されたページングメッセージを送信するようにさらに構成される。
【０３６５】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３６６】
プロセッサ１９０１の他の任意選択の実装については、処理モジュール１８０１を参照し、送信機１９０２の他の任意選択の実装については、送信モジュール１８０２を参照されたい。
【０３６７】
ネットワークデバイスは、実施形態１７で提供される方法を実行するように構成され得る。
【０３６８】
実施形態１６
図２０は、本出願の実施形態１６による第３のシステムメッセージ更新方法のフローチャートである。図に示されるように、手順は、次のステップを含む。
【０３６９】
Ｓ２００１：第１の端末デバイスが、第１の端末デバイスが配置されるセルの第１のシステムメッセージを受信し、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３７０】
Ｓ２００２：第１の端末デバイスが、第１のシステムメッセージから第１の指示情報を取得し、第１の指示情報は、ページング関係のシステムメッセージが更新されるかどうかを示すために使用される。
【０３７１】
Ｓ２００３：第１の指示情報が、ページング関係のシステムメッセージが更新されないことを示す場合に、第１の端末デバイスが記録されたページング関係のシステムメッセージに従ってページングメッセージを受信し、第１の端末デバイスは、受信されたページングメッセージにおけるシステムメッセージ更新に関係する第２の指示情報に従ってシステムメッセージを更新する。
【０３７２】
任意選択で、第２の指示情報は、第３の指示情報、第４の指示情報、および少なくとも１つの第５の指示情報を含む。
【０３７３】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３７４】
第４の指示情報は、第２のシステムメッセージが構成バージョンの最新の変化に関して更新されるかどうかを示すために使用される。
【０３７５】
１つの第５の指示情報は、１つの第３のシステムメッセージに対応しており、対応する第３のシステムメッセージが構成バージョンの最新の変化に関して更新されるかどうかを示すために使用される。
【０３７６】
任意選択で、第１の端末デバイスが、受信されたページングメッセージにおけるシステムメッセージ更新に関係する第１の指示情報に従ってシステムメッセージを更新することは、
第３の指示情報によって示される構成バージョンが、第１の端末デバイスによって記録された構成バージョンと同じである場合に、第１の端末デバイスがシステムメッセージが更新される必要はないと決定すること、または
第３の指示情報によって示される構成バージョンが、第１の端末デバイスによって記録された構成バージョンと異なるが、２つの構成バージョンの間に他の異なる構成バージョンがない場合に、
第４の指示情報が、第２のシステムメッセージが構成バージョンの最新の変化に関して更新されることを示すときに、第１の端末デバイスが第２のシステムメッセージを更新すること、または
第４の指示情報が、第２のシステムメッセージが構成バージョンの最新の変化に関して更新されないことを示すときに、第１の端末デバイスが、第２のシステムメッセージが更新される必要はないと決定することを含む。
【０３７７】
任意選択で、第１の端末デバイスが、受信されたページングメッセージにおけるシステムメッセージ更新に関係する第１の指示情報に従ってシステムメッセージを更新することは、
第３の指示情報によって示される構成バージョンが、第１の端末デバイスによって記録された構成バージョンと異なるが、２つの構成バージョンの間に他の異なる構成バージョンがない場合に、
少なくとも１つの第５の指示情報における各第３の指示情報が、対応する第３のシステムメッセージが構成バージョンの最新の変化に関して更新されないことを示すときに、第１の端末デバイスが、少なくとも１つの第３のシステムメッセージにおけるいかなるシステムメッセージも更新される必要がないと決定すること、または
少なくとも１つの第５の指示情報における１つまたは複数の第５の指示情報が、対応する第３のシステムメッセージが構成バージョンの最新の変化に関して更新されることを示すときに、第１の端末デバイスが、各更新された第３のシステムメッセージを更新することをさらに含む。
【０３７８】
任意選択で、第１の端末デバイスが、受信されたページングメッセージにおけるシステムメッセージ更新に関係する第１の指示情報に従ってシステムメッセージを更新することは、
第３の指示情報によって示される構成バージョンが、第１の端末デバイスによって記録された構成バージョンと異なるが、２つの構成バージョンの間に他の異なる構成バージョンがない場合に、
第１の端末デバイスが第２のシステムメッセージを更新し、
第１の端末デバイスが、少なくとも１つの第３のシステムメッセージのものであり、更新された第２のシステムメッセージ内にあるスケジューリング情報に従って各第３のシステムメッセージを更新することを含む。
【０３７９】
任意選択で、手順は、
第１の指示情報が、ページング関係のシステムメッセージが更新されることを示す場合に、第１の端末デバイスが、第２のシステムメッセージを更新し、
第６の指示情報、および少なくとも１つの第７の指示情報を、第２のシステムメッセージから取得し、
第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
１つの第７の指示情報は、１つの第３のシステムメッセージに対応しており、対応する第３のシステムメッセージが構成バージョンの最新の変化に関して更新されるかどうかを示すために使用されること、および
第１の端末デバイスが、第６の指示情報、および少なくとも１つの第７の指示情報に従ってシステムメッセージを更新することをさらに含む。
【０３８０】
任意選択で、第１の端末デバイスが、第６の指示情報、および少なくとも１つの第７の指示情報に従ってシステムメッセージを更新することは、
第６の指示情報によって示される構成バージョンが、第１の端末デバイスによって記録された構成バージョンと異なるが、２つの構成バージョンの間に他の異なる構成バージョンがない場合に、少なくとも１つの第７の指示情報によって示される各更新された第３のシステムメッセージについて、第１の端末デバイスが、第３のシステムメッセージを更新すること、または
第６の指示情報によって示される構成バージョンが、第１の端末デバイスによって記録された構成バージョンと異なり、２つの構成バージョンの間に他の異なる構成バージョンがある場合に、第１の端末デバイスが、少なくとも１つの第３のシステムメッセージにおける各システムメッセージを更新することを含む。
【０３８１】
方法の他の任意選択の実装については、実施形態３における端末デバイス３０２のオペレーションを参照されたい。
【０３８２】
実施形態１７
図２１は、本出願の実施形態１７による第４のシステムメッセージ更新方法のフローチャートである。図に示されるように、手順は、次のステップを含む。
【０３８３】
Ｓ２１０１：ネットワークデバイスが第１のシステムメッセージを決定し、第１のシステムメッセージは、第１の指示情報を含み、第１の指示情報は、ページング関係のシステムメッセージが更新されるかどうかを示すために使用される。
【０３８４】
Ｓ２１０２：ネットワークデバイスがセルにおいて決定された第１のシステムメッセージを送信する。
【０３８５】
Ｓ２１０３：ネットワークデバイスがページングメッセージを決定し、ページングメッセージは、システムメッセージ更新に関係する第２の指示情報を含む。
【０３８６】
Ｓ２１０４：ネットワークデバイスがセルにおいて決定されたページングメッセージを送信する。
【０３８７】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３８８】
２つのステップＳ２１０１およびＳ２１０２と２つのステップＳ２１０３およびＳ２１０４との間のシーケンスは制限されない。ステップＳ２１０１およびＳ２１０２がステップＳ２１０３およびＳ２１０４の前に実行され得るか、またはステップＳ２１０３およびＳ２１０４がステップＳ２１０１およびＳ２１０２の前に実行され得る。
【０３８９】
任意選択で、第２の指示情報は、第３の指示情報、第４の指示情報、および少なくとも１つの第５の指示情報を含む。
【０３９０】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３９１】
第４の指示情報は、第２のシステムメッセージが構成バージョンの最新の変化に関して更新されるかどうかを示すために使用される。
【０３９２】
１つの第５の指示情報は、１つの第３のシステムメッセージに対応しており、対応する第３のシステムメッセージが構成バージョンの最新の変化に関して更新されるかどうかを示すために使用される。
【０３９３】
任意選択で、第２のシステムメッセージは、第６の指示情報、および少なくとも１つの第７の指示情報を含む。
【０３９４】
第６の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３９５】
１つの第７の指示情報は、１つの第３のシステムメッセージに対応しており、対応する第３のシステムメッセージが構成バージョンの最新の変化に関して更新されるかどうかを示すために使用される。
【０３９６】
方法の他の任意選択の実装については、実施形態３におけるネットワークデバイス３０１のオペレーションを参照されたい。
【０３９７】
実施形態１８
図２２は、本出願の実施形態１８による第５のタイプの端末デバイスの概略構造図である。図に示されるように、デバイスは、
端末デバイスが配置されるセルのページングメッセージを受信するように構成される受信モジュール２２０１であって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信モジュール２２０１と、
受信モジュール２２０１によって受信されるシステムメッセージ更新指示情報に従ってシステムメッセージを更新するように構成される処理モジュール２２０２とを含む。
【０３９８】
第１のシステムメッセージは、周期的に送信され、固定された物理リソースロケーションを占有する。
【０３９９】
第２のシステムメッセージは、少なくとも１つの第３のシステムメッセージのスケジューリング情報を含む。
【０４００】
端末デバイスの他の任意選択の実装については、実施形態４における端末デバイス３０２のオペレーションを参照されたい。受信モジュール２２０１は、端末デバイス３０２の受信オペレーションを実行するように構成され、処理モジュール２２０２は、端末デバイス３０２の処理オペレーションを実行するように構成される。
【０４０１】
受信モジュール２２０１は、受信機によって実装されてよく、処理モジュール２２０２は、プロセッサによって実装されてよい。
【０４０２】
端末デバイスは、実施形態２２で提供される方法を実行するように構成され得る。
【０４０３】
実施形態１９
図２３は、本出願の実施形態１９による第６のタイプの端末デバイスの概略構造図である。図に示されるように、デバイスは、
端末デバイスが配置されるセルのページングメッセージを受信するように構成される受信機２３０１であって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信機２３０１と、
受信機２３０１によって受信されるシステムメッセージ更新指示情報に従ってシステムメッセージを更新するように構成されるプロセッサ２３０２とを含む。
【０４０４】
第１のシステムメッセージは、周期的に送信され、固定された物理リソースロケーションを占有する。
【０４０５】
第２のシステムメッセージは、少なくとも１つの第３のシステムメッセージのスケジューリング情報を含む。
【０４０６】
受信機２３０１の他の任意選択の実装については、受信モジュール２２０１を参照し、プロセッサ２３０２の他の任意選択の実装については、処理モジュール２２０２を参照されたい。
【０４０７】
端末デバイスは、実施形態２２で提供される方法を実行するように構成され得る。
【０４０８】
実施形態２０
図２４は、本出願の実施形態２０による第５のタイプのネットワークデバイスの概略構造図である。図に示されるように、デバイスは、
ページングメッセージを決定するように構成される、処理モジュール２４０１であって、ページングメッセージは、システムメッセージ更新指示情報を含む、処理モジュール２４０１と、
セル内で、処理モジュール２４０１によって決定されたページングメッセージを送信するように構成される、送信モジュール２４０２とを含む。
【０４０９】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４１０】
第１のシステムメッセージは、周期的に送信され、固定された物理リソースロケーションを占有する。第２のシステムメッセージは、少なくとも１つの第３のシステムメッセージのスケジューリング情報を含む。
【０４１１】
ネットワークデバイスの他の任意選択の実装については、実施形態４におけるネットワークデバイス３０１のオペレーションを参照されたい。処理モジュール２４０１は、ネットワークデバイス３０１の処理オペレーションを実行するように構成され、送信モジュール２４０２は、ネットワークデバイス３０１の送信オペレーションを実行するように構成される。
【０４１２】
ネットワークデバイスは、実施形態２３で提供される方法を実行するように構成され得る。
【０４１３】
実施形態２１
図２５は、本出願の実施形態２１による第６のタイプのネットワークデバイスの概略構造図である。図に示されるように、デバイスは、
ページングメッセージを決定するように構成される、プロセッサ２５０１であって、ページングメッセージは、システムメッセージ更新指示情報を含む、プロセッサ２５０１と、
セル内で、プロセッサ２５０１によって決定されたページングメッセージを送信するように構成される、送信機２５０２とを含む。
【０４１４】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４１５】
第１のシステムメッセージは、周期的に送信され、固定された物理リソースロケーションを占有する。第２のシステムメッセージは、少なくとも１つの第３のシステムメッセージのスケジューリング情報を含む。
【０４１６】
プロセッサ２５０１の他の任意選択の実装については、処理モジュール２４０１を参照し、送信機２５０２の他の任意選択の実装については、送信モジュール２４０２を参照されたい。
【０４１７】
ネットワークデバイスは、実施形態２３で提供される方法を実行するように構成され得る。
【０４１８】
実施形態２２
図２６は、本出願の実施形態２２による第５のシステムメッセージ更新方法のフローチャートである。図に示されるように、手順は、次のステップを含む。
【０４１９】
Ｓ２６０１：第１の端末デバイスが、第１の端末デバイスが配置されるセルのページングメッセージを受信し、ページングメッセージは、システムメッセージ更新指示情報を含む。
【０４２０】
第１のシステムメッセージ、第２のシステムメッセージ、および少なくとも１つの第３のシステムメッセージにおける各システムメッセージについて、システムメッセージ更新指示情報は、第１の端末デバイスが配置されるセル内の端末デバイスがシステムメッセージを更新する必要があるかどうかを示す。
【０４２１】
Ｓ２６０２：第１の端末デバイスは、システムメッセージ更新指示情報に従ってシステムメッセージを更新する。
【０４２２】
第１のシステムメッセージは、周期的に送信され、固定された物理リソースロケーションを占有する。
【０４２３】
第２のシステムメッセージは、少なくとも１つの第３のシステムメッセージのスケジューリング情報を含む。
【０４２４】
方法の他の任意選択の実装については、実施形態４における端末デバイス３０２の処理を参照されたい。
【０４２５】
実施形態２３
図２７は、本出願の実施形態２３による第６のシステムメッセージ更新方法のフローチャートである。図に示されるように、手順は、次のステップを含む。
【０４２６】
Ｓ２７０１：ネットワークデバイスがページングメッセージを決定し、ページングメッセージは、システムメッセージ更新指示情報を含む。
【０４２７】
Ｓ２７０２：ネットワークデバイスがセルにおいてページングメッセージを送信する。
【０４２８】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４２９】
第１のシステムメッセージは、周期的に送信され、固定された物理リソースロケーションを占有する。第２のシステムメッセージは、少なくとも１つの第３のシステムメッセージのスケジューリング情報を含む。
【０４３０】
方法の他の任意選択の実装については、実施形態４におけるネットワークデバイス３０１の処理を参照されたい。
【０４３１】
実施形態２４
図２８は、本出願の実施形態２４による第７のタイプの端末デバイスの概略構造図である。図に示されるように、デバイスは、
処理モジュール２８０１であって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成される処理モジュール２８０１と、
受信モジュール２８０２であって、少なくとも１つのシステムメッセージにおける各システムメッセージについて、ネットワークデバイスによってシステムメッセージを送信するために使用され、かつ処理モジュール２８０１によって決定される開始位置、送信周期、および繰り返しの量に従ってシステムメッセージを受信するように構成される受信モジュール２８０２とを含む。
【０４３２】
システムメッセージを２回送信する間の時間間隔において、１つまたは複数の他のシステムメッセージがネットワークデバイスによって送信される。
【０４３３】
端末デバイスの他の任意選択の実装については、実施形態５における端末デバイス３０２のオペレーションを参照されたい。処理モジュール２８０１は、端末デバイス３０２の処理オペレーションを実行するように構成され、受信モジュール２８０２は、端末デバイス３０２の受信オペレーションを実行するように構成される。
【０４３４】
処理モジュール２８０１は、プロセッサによって実装されてよく、受信モジュール２８０２は、受信機によって実装されてよい。
【０４３５】
端末デバイスは、実施形態２８で提供される方法を実行するように構成され得る。
【０４３６】
実施形態２５
図２９は、本出願の実施形態２５による第８のタイプの端末デバイスの概略構造図である。図に示されるように、デバイスは、
プロセッサ２９０１であって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成されるプロセッサ２９０１と、
受信機２９０２であって、少なくとも１つのシステムメッセージにおける各システムメッセージについて、ネットワークデバイスによってシステムメッセージを送信するために使用され、プロセッサ２９０１によって決定される開始位置、送信周期、および繰り返しの量に従ってシステムメッセージを受信するように構成される受信機２９０２とを含む。
【０４３７】
システムメッセージを２回送信する間の時間間隔において、１つまたは複数の他のシステムメッセージがネットワークデバイスによって送信される。
【０４３８】
プロセッサ２９０１の他の任意選択の実装については、処理モジュール２８０１を参照し、受信機２９０２の他の任意選択の実装については、受信モジュール２８０２を参照されたい。
【０４３９】
端末デバイスは、実施形態２８で提供される方法を実行するように構成され得る。
【０４４０】
実施形態２６
図３０は、本出願の実施形態２６による第７のタイプのネットワークデバイスの概略構造図である。図に示されるように、デバイスは、
処理モジュール３００１であって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成される処理モジュール３００１と、
送信モジュール３００２であって、処理モジュール３００１によって決定された少なくとも１つのシステムメッセージにおける各システムメッセージについて、システムメッセージを送信するために使用される決定された開始位置、送信周期、および繰り返しの量に従ってシステムメッセージを送信するように構成される送信モジュール３００２とを含む。
【０４４１】
システムメッセージを２回送信する間の時間間隔において、１つまたは複数の他のシステムメッセージが送信される。
【０４４２】
ネットワークデバイスの他の任意選択の実装については、実施形態５におけるネットワークデバイス３０１を参照されたい。処理モジュール３００１は、ネットワークデバイス３０１の処理オペレーションを実行するように構成され、送信モジュール３００２は、ネットワークデバイス３０１の送信オペレーションを実行するように構成される。
【０４４３】
処理モジュール３００１は、プロセッサによって実装されてよく、送信モジュール３００２は、送信機によって実装されてよい。
【０４４４】
ネットワークデバイスは、実施形態２９で提供される方法を実行するように構成され得る。
【０４４５】
実施形態２７
図３１は、本出願の実施形態２７による第８のタイプのネットワークデバイスの概略構造図である。図に示されるように、デバイスは、
プロセッサ３１０１であって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成されるプロセッサ３１０１と、
送信機３１０２であって、プロセッサ３１０１によって決定された少なくとも１つのシステムメッセージにおける各システムメッセージについて、システムメッセージを送信するために使用される決定された開始位置、送信周期、および繰り返しの量に従ってシステムメッセージを送信するように構成される送信機３１０２とを含む。
【０４４６】
システムメッセージを２回送信する間の時間間隔において、１つまたは複数の他のシステムメッセージが送信される。
【０４４７】
プロセッサ３００１の他の任意選択の実装については、処理モジュール３００１を参照し、送信機３００２の他の任意選択の実装については、送信モジュール３００２を参照されたい。
【０４４８】
ネットワークデバイスは、実施形態２９で提供される方法を実行するように構成され得る。
【０４４９】
実施形態２８
図３２は、本出願の実施形態２８による第７のシステムメッセージ伝送方法のフローチャートである。図に示されるように、手順は、次のステップを含む。
【０４５０】
Ｓ３２０１：第１の端末デバイスが、少なくとも１つのシステムメッセージが受信される必要があると決定する。
【０４５１】
Ｓ３２０２：少なくとも１つのシステムメッセージにおける各システムメッセージについて、第１の端末デバイスが、ネットワークデバイスによってシステムメッセージを送信するために使用される開始位置、送信周期、および繰り返しの量を決定する。
【０４５２】
Ｓ３２０３：少なくとも１つのシステムメッセージにおける各システムメッセージについて、第１の端末デバイスが、ネットワークデバイスによってシステムメッセージを送信するために使用される決定された開始位置、送信周期、および繰り返しの量に従ってシステムメッセージを受信する。
【０４５３】
システムメッセージを２回送信する間の時間間隔において、１つまたは複数の他のシステムメッセージがネットワークデバイスによって送信される。
【０４５４】
方法の他の任意選択の実装については、実施形態５における端末デバイス３０２のオペレーションを参照されたい。
【０４５５】
実施形態２９
図３３は、本出願の実施形態２９による第８のシステムメッセージ伝送方法のフローチャートである。図に示されるように、手順は、次のステップを含む。
【０４５６】
Ｓ３３０１：ネットワークデバイスが、少なくとも１つのシステムメッセージが送信される必要があると決定する。
【０４５７】
Ｓ３３０２：少なくとも１つのシステムメッセージにおける各システムメッセージについて、ネットワークデバイスが、システムメッセージを送信するために使用される開始位置、送信周期、および繰り返しの量を決定する。
【０４５８】
Ｓ３３０３：少なくとも１つのシステムメッセージにおける各システムメッセージについて、ネットワークデバイスが、システムメッセージを送信するために使用される決定された開始位置、送信周期、および繰り返しの量に従ってシステムメッセージを送信する。
【０４５９】
システムメッセージを２回送信する間の時間間隔において、１つまたは複数の他のシステムメッセージが送信される。
【０４６０】
方法の他の任意選択の実装については、実施形態５におけるネットワークデバイス３０１のオペレーションを参照されたい。
【０４６１】
結論として、一態様により、本出願は、システムメッセージ更新ソリューションを提供するということである。このソリューションにおいて、ネットワークデバイスは、指示情報を送信される第１のシステムメッセージに追加し、第１のシステムメッセージを受信した後に、端末デバイスは、指示情報に従って第１のシステムメッセージ以外のシステムメッセージを更新する。第１のシステムメッセージは、周期的に送信され、固定された物理リソースロケーションを占有する。
【０４６２】
このソリューションにおいて、指示情報は、ページングメッセージの代わりに第１のシステムメッセージで送信される。端末デバイスは、指示情報に従って第１のシステムメッセージ以外のシステムメッセージを更新し、それによって、すべてのシステムメッセージを更新し得る。システムメッセージの変化がページングメッセージを使用することによって知られる現在のソリューションと比較して、端末デバイスがシステムメッセージの変化を示すために使用されるページングメッセージを受信することに失敗することがあり、かつ端末デバイスのＤＲＸサイクルがシステムメッセージ修正周期よりも長いためにシステムメッセージを更新することがさらにできないということが回避される。
【０４６３】
他の態様によれば、本出願は、他のシステムメッセージ更新ソリューションを提供する。このソリューションにおいて、ネットワークデバイスによって送信されるシステムメッセージは、第１のシステムメッセージ、第２のシステムメッセージ、および少なくとも１つの第３のシステムメッセージを含む。第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。第１のシステムメッセージを送信するときに、ネットワークデバイスは指示情報を第１のシステムメッセージに追加し、指示情報は、第３のシステムメッセージにおけるページング関係のシステムメッセージが更新されるかどうかを示すために使用される。指示情報が、ページング関係のシステムメッセージが更新されないことを示す場合に、端末デバイスは、記録されたページング関係のシステムメッセージに従ってページングメッセージを受信し、受信されたページングメッセージ内のシステムメッセージ更新に関係する指示情報に従ってシステムメッセージを更新する。
【０４６４】
このソリューションにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常、記録されたページング関係のシステムメッセージに従ってページングメッセージを受信し、ページングメッセージからシステムメッセージ更新に関係する指示情報をさらに取得し、ページングメッセージから取得された指示情報に従ってシステムメッセージを更新し得る。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信し、ページングメッセージからシステムメッセージ更新に関係する指示情報を成功裡に取得し、システムメッセージを成功裡に更新することができる。
【０４６５】
なおも他の態様によれば、本出願は、なおも他のシステムメッセージ更新ソリューションを提供する。このソリューションは、ページングメッセージが正常に受信されることができるシナリオに適用される。たとえば、システムメッセージ更新周期は、ＤＲＸサイクルの整数倍である。このソリューションでは、ネットワークデバイスがページングメッセージを送信するときに、第１のシステムメッセージ、第２のシステムメッセージ、および少なくとも１つの第３のシステムメッセージについて、ページングメッセージで運ばれるシステムメッセージ更新指示情報は、第１の端末デバイスがシステムメッセージを更新する必要があるかどうかを指示し、端末デバイスは、システムメッセージ更新指示情報に従ってシステムメッセージを更新する。第１のシステムメッセージは、周期的に送信され、固定された物理リソースロケーションを占有し、第２のシステムメッセージは、少なくとも１つの第３のシステムメッセージのスケジューリング情報を含む。
【０４６６】
このソリューションにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく記録された第２のシステムメッセージに従ってのみ更新を実行し、それによって、端末デバイスのシステムメッセージ更新効率を改善する。
【０４６７】
さらに他の態様によれば、本出願は、システムメッセージ送信ソリューションを提供する。システムメッセージを送信するときに、ネットワークデバイスは、システムメッセージを２回送信する間の時間間隔全体において１つまたは複数の他のシステムメッセージを送信する。
【０４６８】
現在、各システムメッセージは、１つのＳＩウィンドウ（ＳＩ−ｗｉｎｄｏｗ）だけで送信されることができ、システムメッセージウィンドウ内で複数回送信されてよい。システムメッセージのＳＩウィンドウは、他のシステムメッセージのＳＩウィンドウに隣接している。しかしながら、１つのシステムメッセージしか、１つのＳＩウィンドウで送信されることができない。ＳＩウィンドウでシステムメッセージを受信した後、端末デバイスは、次のＳＩウィンドウが次のシステムメッセージを受信するのを待つ必要がある。本出願で提供されるソリューションにおいて、ネットワークデバイスは、システムメッセージを２回繰り返し送信する処理の際に他のシステムメッセージをさらに送信する。このケースでは、システムメッセージを受信した後、端末デバイスは、システムメッセージウィンドウを待つことなく他のシステムメッセージを受信し、それによってシステムメッセージ更新効率を改善し得る。
【０４６９】
当業者であれば、本発明の実施形態が方法、システム、またはコンピュータプログラム製品として提供され得ることを理解するであろう。したがって、本発明では、ハードウェアのみの実施形態、ソフトウェアのみの実施形態、またはソフトウェアとハードウェアとの組合せによる実施形態の形態を使用し得る。さらに、本発明は、コンピュータ使用可能プログラムコードを含む１つまたは複数のコンピュータ使用可能記憶媒体（限定はしないが、ディスクメモリ、ＣＤ−ＲＯＭ、光メモリ、および同様のものを含む）上に実装されるコンピュータプログラム製品の形態を使用し得る。
【０４７０】
本発明は、本発明の実施形態による方法、デバイス（システム）、およびコンピュータプログラム製品のフローチャートおよび／またはブロック図を参照しつつ説明される。フローチャートおよび／またはブロック図内の各処理および／または各ブロック、ならびにフローチャートおよび／またはブロック図内の処理および／またはブロックの組合せを実装するためにコンピュータプログラム命令が使用され得ることが理解されるであろう。これらのコンピュータプログラム命令は、マシンを生成するために汎用コンピュータ、専用コンピュータ、組み込みプロセッサ、または任意の他のプログラム可能データ処理デバイスのプロセッサに対して提供されてよく、これにより、コンピュータまたは任意の他のプログラム可能データ処理デバイスのプロセッサによって実行される命令が、フローチャート内の１つまたは複数の処理で、および／またはブロック図内の１つまたは複数のブロックで、特定の機能を実装するための装置を生成する。
【０４７１】
コンピュータまたは任意の他のプログラム可能データ処理デバイスに特定の様式で動作することを指令することができるこれらのコンピュータプログラム命令は、コンピュータ可読メモリ内に記憶されてよく、これにより、コンピュータ可読メモリ内に記憶される命令は命令装置を含むアーチファクトを生成する。命令装置は、フローチャート内の１つまたは複数の処理で、および／またはブロック図内の１つまたは複数のブロックで、特定の機能を実装する。
【０４７２】
これらのコンピュータプログラム命令は、コンピュータまたは他のプログラム可能データ処理デバイス上にロードされてよく、これにより、コンピュータまたは他のプログラム可能デバイス上で一連のオペレーションおよびステップが実行され、それによって、コンピュータ実装処理を生成する。したがって、コンピュータまたは他のプログラム可能デバイス上で実行される命令は、フローチャート内の１つまたは複数の処理で、および／またはブロック図内の１つまたは複数のブロックで、特定の機能を実装するためのステップを提供する。
【０４７３】
本発明のいくつかの好ましい実施形態が説明されたが、当業者であれば、基本的な発明概念を学習したら、これらの実施形態に対して変更および修正を加えることができる。したがって、以下の請求項は、好ましい実施形態ならびに本発明の範囲内に収まるすべての変更および修正を対象とすると解釈されることを意図される。
【０４７４】
明らかに、当業者であれば、本発明の実施形態の趣旨および範囲から逸脱することなく、本発明の実施形態に対し様々な修正および変更を加えることができる。本発明は、以下の請求項およびそれらの均等の技術によって定義された保護の範囲内にある限りこれらの修正および変更も対象とすることを意図される。
【図１】
2019500770.tif 000011
【図２】
2019500770.tif 000012
【図３】
2019500770.tif 000013
【図４】
2019500770.tif 000014
【図５】
2019500770.tif 000015
【図６Ａ】
2019500770.tif 000016
【図６Ｂ】
2019500770.tif 000017
【図７】
2019500770.tif 000018
【図８】
2019500770.tif 000019
【図９Ａ】
2019500770.tif 000020
【図９Ｂ】
2019500770.tif 000021
【図９Ｃ】
2019500770.tif 000022
【図１０】
2019500770.tif 000023
【図１１】
2019500770.tif 000024
【図１２】
2019500770.tif 000025
【図１３】
2019500770.tif 000026
【図１４】
2019500770.tif 000027
【図１５】
2019500770.tif 000028
【図１６】
2019500770.tif 000029
【図１７】
2019500770.tif 000030
【図１８】
2019500770.tif 000031
【図１９】
2019500770.tif 000032
【図２０】
2019500770.tif 000033
【図２１】
2019500770.tif 000034
【図２２】
2019500770.tif 000035
【図２３】
2019500770.tif 000036
【図２４】
2019500770.tif 000037
【図２５】
2019500770.tif 000038
【図２６】
2019500770.tif 000039
【図２７】
2019500770.tif 000040
【図２８】
2019500770.tif 000041
【図２９】
2019500770.tif 000042
【図３０】
2019500770.tif 000043
【図３１】
2019500770.tif 000044
【図３２】
2019500770.tif 000045
【図３３】
2019500770.tif 000046
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
システム情報を更新する端末デバイスのための方法であって、
基地局からのＭＩＢを含む第１のマスター情報ブロック（ＭＩＢ）メッセージを受信するステップであって、前記ＭＩＢは、第１の機能に対応する第１の指示を含む、ステップと、
前記第１の指示が、前記第１の機能が有効化されることを示す場合に、前記基地局から、前記第１の機能に対応するアクティベーション関係のシステム情報ブロック（ＳＩＢ）を含む第１のシステム情報（ＳＩ）メッセージを受信するステップと、
を備える、方法。
【請求項２】
前記基地局からＳＩＢ１を含む第１のシステム情報ブロック１（ＳＩＢ１）メッセージを受信するステップであって、前記ＳＩＢ１は、前記第１のＳＩメッセージのスケジュール情報を含む、ステップをさらに備え、
前記第１のＳＩメッセージを受信する前記ステップは、前記第１のＳＩメッセージの前記スケジュール情報に従う、請求項１に記載の方法。
【請求項３】
前記アクティベーション関係のＳＩＢは、ＳＩＢ１４である、請求項２に記載の方法。
【請求項４】
前記第１の機能は、拡張されたアクセスバーリング（ＥＡＢ）機能である、請求項２または３に記載の方法。
【請求項５】
前記基地局から、前記ＭＩＢを含む第２のＭＩＢメッセージを受信するステップであって、前記第２のＭＩＢメッセージにおける前記ＭＩＢは、第２の指示を含む、ステップと、
前記ＭＩＢにおける前記第２の指示の値が、前記端末デバイスに格納された前記第２の指示の値と異なる場合に、前記ＳＩＢ１を含む第２のＳＩＢ１メッセージを受信するステップと、さらに備える、
請求項２乃至４のいずれか１項に記載の方法。
【請求項６】
前記ＳＩＢ１メッセージにおける前記ＳＩＢ１は、通常のＳＩＢ、および前記第２のＳＩメッセージのスケジュール情報を含む第２のＳＩメッセージに対応する第３の指示を含み、
前記方法は、前記ＳＩＢ１における前記第３の指示の値が、前記端末デバイスに格納された前記第３の指示の値と異なる場合に、前記第２のＳＩメッセージを、前記基地局から、前記第２のＳＩメッセージの前記スケジューリング情報に従って受信するステップをさらに備える、請求項５に記載の方法。
【請求項７】
システム情報を更新する基地局のための方法において、
ＭＩＢを含む第１のマスター情報ブロック（ＭＩＢ）メッセージを端末デバイス送信するステップであって、前記ＭＩＢは、第１の機能に対応する第１の指示を含み、前記第１の指示は、前記第１の機能が有効化されることを示し、かつ、前記端末デバイスに対して、前記第１の機能に対応するアクティベーション関係のシステム情報ブロック（ＳＩＢ）を含む第１のシステム情報（ＳＩ）メッセージを受信するように要求する、ステップと、
前記第１のＳＩメッセージを前記端末デバイスに送信するステップと、を備える、方法。
【請求項８】
ＳＩＢ１を含む第１のＳＩＢ１メッセージを前記端末デバイスに送信するステップであって、前記ＳＩＢ１は、前記第１のＳＩメッセージのスケジュール情報を含む、ステップをさらに備え、
前記第１のＳＩメッセージを前記端末デバイスに送信するステップは、前記第１のＳＩメッセージの前記スケジュール情報に従う、請求項７に記載の方法。
【請求項９】
前記アクティベーション関係のＳＩＢは、ＳＩＢ１４である、請求項８に記載の方法。
【請求項１０】
前記第１の機能は、拡張されたアクセスバーリング（ＥＡＢ）機能である、請求項８または９に記載の方法。
【請求項１１】
前記ＭＩＢを含む第２のＭＩＢメッセージを前記端末デバイスに送信するステップであって、前記第２のＭＩＢメッセージにおける前記ＭＩＢは、第２の指示を含み、前記第２の指示は、前記ＳＩＢ１が更新されることを示す、ステップと、
前記ＳＩＢ１を含む第２のＳＩＢ１メッセージを送信するステップと、をさらに備える、請求項８乃至１０のいずれか１項に記載の方法。
【請求項１２】
前記第２のＳＩＢ１メッセージにおける前記ＳＩＢ１は、通常のＳＩＢ、および前記第２のＳＩメッセージのスケジュール情報を含む第２のＳＩメッセージに対応する第３の指示を含み、
前記第３の指示は、前記通常のＳＩＢが更新されることを示し、
前記方法は、前記第２のＳＩメッセージを、前記端末デバイスに、前記第２のＳＩメッセージの前記スケジューリング情報に従って送信するステップをさらに備える、請求項１１に記載の方法。
【請求項１３】
ＭＩＢを含む第１のマスター情報ブロック（ＭＩＢ）メッセージを基地局から受信する手段であって、前記ＭＩＢは、第１の機能に対応する第１の指示を含む、手段と、
前記第１の指示が、前記第１の機能が有効化されることを示す場合に、前記基地局から、前記第１の機能に対応するアクティベーション関係のシステム情報ブロック（ＳＩＢ）を含む第１のシステム情報（ＳＩ）メッセージを受信するための手段と、を備える、端末デバイス。
【請求項１４】
ＳＩＢ１を含む第１のシステム情報ブロック１（ＳＩＢ１）メッセージを前記基地局から受信するための手段であって、前記ＳＩＢ１は、前記第１のＳＩメッセージのスケジュール情報を含む、手段をさらに備え、
前記第１のＳＩメッセージを前記受信することは、前記第１のＳＩメッセージの前記スケジュール情報に従う、請求項１３に記載の端末デバイス。
【請求項１５】
前記アクティベーション関係のＳＩＢは、ＳＩＢ１４である、請求項１４に記載の端末デバイス。
【請求項１６】
前記第１の機能は、拡張されたアクセスバーリング（ＥＡＢ）機能である、請求項１４または１５に記載の端末デバイス。
【請求項１７】
前記基地局から、前記ＭＩＢを含む第２のＭＩＢメッセージを受信するための手段であって、前記第２のＭＩＢメッセージにおける前記ＭＩＢは、第２の指示を含む、手段と、
前記ＭＩＢにおける前記第２の指示の値が、前記端末デバイスに格納された前記第２の指示の値と異なる場合に、前記ＳＩＢ１を含む第２のＳＩＢ１メッセージを受信するための手段と、をさらに備える、請求項１４乃至１６のいずれか１項に記載の端末デバイス。
【請求項１８】
前記第２のＳＩＢ１メッセージにおける前記ＳＩＢ１は、通常のＳＩＢ、および前記第２のＳＩメッセージのスケジュール情報を含む第２のＳＩメッセージに対応する第３の指示を含み、
前記端末デバイスは、前記ＳＩＢ１における前記第３の指示の値が、前記端末デバイスに格納された前記第３の指示の値と異なる場合に、前記第２のＳＩメッセージを、前記基地局から、前記第２のＳＩメッセージの前記スケジューリング情報に従って受信するための手段をさらに備える、請求項１７のいずれか１項に記載の端末デバイス。
【請求項１９】
プロセッサと、
請求項１乃至６のいずれか１項に記載の前記方法を実行するために、前記プロセッサによって実行される命令を格納するメモリと、を備える、端末デバイス。
【請求項２０】
ＭＩＢを含む第１のマスター情報ブロック（ＭＩＢ）メッセージを端末デバイスに送信するための手段であって、前記ＭＩＢは、第１の機能に対応する第１の指示を含み、前記第１の指示は、前記第１の機能が有効化されることを示し、かつ前記端末デバイスに、前記第１の機能に対応するアクティベーション関係のシステム情報ブロック（ＳＩＢ）を含む第１のシステム情報（ＳＩ）メッセージを受信するように要求する、手段と、
前記第１のＳＩメッセージを前記端末デバイスに送信するための手段と、を備える、基地局。
【請求項２１】
ＳＩＢ１を含む第１のＳＩＢ１メッセージを前記端末デバイスに送信するための手段であって、前記ＳＩＢ１は、前記第１のＳＩメッセージのスケジュール情報を含む、手段をさらに備え、
前記第１のＳＩメッセージを前記端末デバイスに前記送信することは、前記第１のＳＩメッセージの前記スケジュール情報に従う、請求項２０に記載の基地局。
【請求項２２】
前記アクティベーション関係のＳＩＢは、ＳＩＢ１４である、請求項２１に記載の基地局。
【請求項２３】
前記第１の機能は、拡張されたアクセスバーリング（ＥＡＢ）機能である、請求項２１または２２に記載の基地局。
【請求項２４】
前記ＭＩＢを含む第２のＭＩＢメッセージを前記端末デバイスに送信するための手段であって、前記第２のＭＩＢメッセージにおける前記ＭＩＢは、第２の指示を含み、前記第２の指示は、前記ＳＩＢ１が更新されることを示す、手段と、
前記ＳＩＢ１を含む第２のＳＩＢ１メッセージを送信するための手段と、をさらに備える、請求項２１乃至２３のいずれか１項に記載の基地局。
【請求項２５】
前記第２のＳＩＢ１メッセージにおける前記ＳＩＢ１は、通常のＳＩＢ、および前記第２のＳＩメッセージのスケジュール情報を含む第２のＳＩメッセージに対応する第３の指示を含み、
前記第３の指示は、前記通常のＳＩＢが更新されることを示し、
前記基地局は、前記第２のＳＩメッセージを、前記端末デバイスに、前記第２のＳＩメッセージの前記スケジューリング情報に従って送信するための手段をさらに備える、請求項２４に記載の基地局。
【請求項２６】
プロセッサと、
請求項７乃至１２の１項に記載の方法を実行するために前記プロセッサによって実行される命令を格納するメモリと、を備える、ネットワークデバイス。
【請求項２７】
コンピュータによって実行されるときに、前記コンピュータに、請求項１乃至６のいずれか１項に記載の方法を実行させる命令を含むコンピュータ読み取り可能な記憶媒体。
【請求項２８】
コンピュータによって実行されるときに、前記コンピュータに、請求項７乃至１２のいずれか１項に記載の方法を実行させる命令を含むコンピュータ読み取り可能な記憶媒体。
【請求項２９】
コンピュータによって実行されるときに、前記コンピュータに、請求項１乃至６のいずれか１項に記載の方法を実行させる命令を含むプログラム。
【請求項３０】
コンピュータによって実行されるときに、前記コンピュータに、請求項７乃至１２のいずれか１項に記載の方法を実行させる命令を含むプログラム。
【手続補正２】
【補正対象書類名】明細書
【補正対象項目名】全文
【補正方法】変更
【補正の内容】
【発明の詳細な説明】
【技術分野】
【０００１】
本出願は、ワイヤレス通信技術の分野に関するものであり、特に、システムメッセージ伝送の装置、方法、およびシステムに関する。
【背景技術】
【０００２】
モノのインターネット（Ｉｎｔｅｒｎｅｔ  ｏｆ  ｔｈｉｎｇｓ、ＩＯＴ）は、物と物との間の通信を実装するものである。人と人との間の従来の通信と比較して、モノのインターネットは、端末デバイスのエネルギー消費に対してより高い要求を課す。端末デバイスのエネルギー消費は、デバイスの特に長いスタンバイ時間を確保し、電池を交換する労働コストを低減するために、できる限り低減される必要がある。
【０００３】
モノのインターネットの通信は、低いサービス率および長期を特徴とすることを考慮して、アイドル状態にある端末デバイスに対しては、比較的長い不連続受信（ｄｉｓｃｏｎｔｉｎｕｏｕｓ  ｒｅｃｅｐｔｉｏｎ、ＤＲＸ）サイクルが設定されて、端末デバイスの電力を抑え、スタンバイ時間を延ばすようにされる。
【０００４】
モノのインターネットは、セルラーネットワークに基づき実装され得る。たとえば、モノのインターネットの通信は、ロングタームエボリューション（Ｌｏｎｇ  Ｔｅｒｍ  Ｅｖｏｌｕｔｉｏｎ、ＬＴＥ）システムに基づき実装される。ＬＴＥシステムでは、ページングメッセージは、通常、端末デバイスにシステムメッセージ（Ｓｙｓｔｅｍ  Ｉｎｆｏｒｍａｔｉｏｎ）の変化を通知するために使用される、すなわち、システムメッセージ修正周期内に、ページングメッセージが、端末デバイスに、システムメッセージが次のシステムメッセージ修正周期内に変わることを通知するために送信され、端末デバイスは、次のシステムメッセージ修正周期内に変えられたシステムメッセージを読み出す。
【０００５】
一般的に、図１に示されるように、ＬＴＥシステムにおけるシステムメッセージ修正周期は、ページングメッセージ送信周期、すなわち、ページング周期の整数倍である。このケースでは、システムメッセージが変わったときに、無線リソース制御アイドル（Ｒａｄｉｏ  Ｒｅｓｏｕｒｃｅ  Ｃｏｎｔｒｏｌ  ＩＤＬＥ、ＲＲＣ＿ＩＤＬＥ）状態（短縮してアイドル状態）にある端末デバイスは、端末デバイスがシステムメッセージ修正周期内にページングメッセージを読み出し、次のシステムメッセージ修正周期にシステムメッセージを読み出し、システムメッセージの更新を完了する場合にシステムメッセージが変わることを知り得る。システムメッセージ修正周期内にシステムメッセージ更新を正常に完了した後、端末デバイスは、その周期内にその後送信されるシステムメッセージを読み出す必要はない。
【０００６】
一般的に、ページング周期は、ＬＴＥシステムにおけるＤＲＸサイクルに等しい。モノのインターネットの通信がＬＴＥシステムに基づき実装されるときに、ページング周期は、長いＤＲＸサイクルのためシステムメッセージ修正周期よりも長くなり得る。このケースでは、図２に示されるように、アイドル状態にある端末デバイスは、システムメッセージの変化を示すために使用されるページングメッセージを受信することに失敗することがあり、したがって、システムメッセージを更新することができない。
【０００７】
したがって、モノのインターネットの通信などのワイヤレス通信処理において、端末デバイスのＤＲＸサイクルがシステムメッセージ修正周期よりも長いときに、端末デバイスは、システムメッセージを成功裡に更新することに失敗し得る。
【発明の概要】
【０００８】
上記に鑑みて、本出願は、端末デバイスのＤＲＸサイクルがシステムメッセージ修正周期よりも長いので端末デバイスがシステムメッセージを成功裡に更新することに失敗することがあるという問題を解決するための、システムメッセージ伝送の装置および方法、並びにシステムを提供する。
【０００９】
第１の態様によれば、本出願は、端末デバイスを提供し、
端末デバイスが配置されるセルの第１のシステムメッセージを受信するように構成される受信モジュールと、
処理モジュールであって、受信モジュールによって受信された第１のシステムメッセージから第１の指示情報を取得し、ここで第１の指示情報は、第１のシステムメッセージ以外のシステムメッセージを更新するために使用される情報を含むものであり、取得された第１の指示情報に従って第１のシステムメッセージ以外のシステムメッセージを更新するように構成される、処理モジュールとを含み、
第１のシステムメッセージは、周期的に送信され、固定された物理リソースロケーションを占有する。
【００１０】
第２の態様によれば、本出願は、ネットワークデバイスを提供し、このネットワークデバイスは、
第１のシステムメッセージを決定するように構成される、処理モジュールであって、第１のシステムメッセージは、第１の指示情報を含み、第１の指示情報は、第１のシステムメッセージ以外のシステムメッセージを更新するために使用される情報を含む、処理モジュールと、
セル内で、処理モジュールによって決定された第１のシステムメッセージを送信するように構成される、送信モジュールとを含み、
第１のシステムメッセージは、周期的に送信され、固定された物理リソースロケーションを占有する。
【００１１】
第３の態様によれば、本出願は、システムメッセージ更新方法を提供し、
第１の端末デバイスによって、第１の端末デバイスが配置されるセルの第１のシステムメッセージを受信するステップと、
第１の端末デバイスによって、第１のシステムメッセージから第１の指示情報を取得するステップであって、第１の指示情報は、第１のシステムメッセージ以外のシステムメッセージを更新するために使用される情報を含む、ステップと、
第１の端末デバイスによって、取得された第１の指示情報に従って第１のシステムメッセージ以外のシステムメッセージを更新するステップとを含み、
第１のシステムメッセージは、周期的に送信され、固定された物理リソースロケーションを占有する。
【００１２】
第４の態様によれば、本出願は、システムメッセージ更新方法を提供し、
ネットワークデバイスによって、第１のシステムメッセージを決定するステップであって、第１のシステムメッセージは、第１の指示情報を含み、第１の指示情報は、第１のシステムメッセージ以外のシステムメッセージを更新するために使用される情報を含む、ステップと、
ネットワークデバイスによって、セルにおいて決定された第１のシステムメッセージを送信するステップとを含み、
第１のシステムメッセージは、周期的に送信され、固定された物理リソースロケーションを占有する。
【００１３】
第５の態様によれば、本出願は、ワイヤレス通信システムを提供し、
セルにおいて第１のシステムメッセージを送信するように構成されるネットワークデバイスであって、第１のシステムメッセージは、第１の指示情報を含み、第１の指示情報は、第１のシステムメッセージ以外のシステムメッセージを更新するために使用される情報を含む、ネットワークデバイスと、
端末デバイスであって、ネットワークデバイスによって送信された第１のシステムメッセージを受信し、第１のシステムメッセージから第１の指示情報を取得し、取得された第１の指示情報に従って第１のシステムメッセージ以外のシステムメッセージを更新するように構成される、端末デバイスとを含み、
第１のシステムメッセージは、周期的に送信され、固定された物理リソースロケーションを占有する。
【００１４】
前述の態様のうちのいずれか１つにおいて、第１の指示情報は、ページングメッセージの代わりに第１のシステムメッセージで送信される。第１のシステムメッセージは、周期的に送信され、固定された物理リソースロケーションを占有するので、端末デバイスは、指示情報に従って第１のシステムメッセージ以外のシステムメッセージを更新してもよく、それによってすべてのシステムメッセージを更新する。システムメッセージの変化がページングメッセージを使用することによって知られる現在のソリューションと比較して、端末デバイスがシステムメッセージの変化を示すために使用されるページングメッセージを受信することに失敗することがあり、さらに、端末デバイスのＤＲＸサイクルがシステムメッセージ修正周期よりも長いためにシステムメッセージを更新することができないということが回避される。
【００１５】
前述の態様のいずれか１つに関連し、第１の可能な実装において、第１のシステムメッセージ以外のシステムメッセージは、第２のシステムメッセージ、少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含み、
第２のシステムメッセージは、少なくとも２つの第３のシステムメッセージのスケジューリング情報を含み、
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【００１６】
第３のシステムメッセージは、アクティベーション関係の第３のシステムメッセージおよび通常の第３のシステムメッセージにさらに分類される。したがって、これらのシステムメッセージは、より柔軟な指示方式で更新されてよく、端末デバイスによってシステムメッセージを更新する方法は、柔軟性がより高い。
【００１７】
前述の態様のうちのいずれか１つの第１の可能な実装に関連し、第２の可能な実装において、
第１の指示情報が第２の指示情報を含み、第２の指示情報は、セル内で現在使用される第２のシステムメッセージと少なくとも１つの通常の第３のシステムメッセージとの組合せの構成バージョンを示すために使用され、１つのシステムメッセージ更新周期において、第２のシステムメッセージおよび少なくとも１つの通常の第３のシステムメッセージにおけるいずれか１つまたは複数のシステムメッセージについての更新について、構成バージョンが１回変わるときに、
第２の指示情報によって示される構成バージョンが、端末デバイスによって記録された構成バージョンと異なる場合に、端末デバイスは、第２のシステムメッセージを更新し、または
第２の指示情報によって示される構成バージョンが、端末デバイスによって記録された構成バージョンと同じである場合に、端末デバイスは、第２のシステムメッセージが更新される必要はないと決定する。
【００１８】
端末デバイスは、第２の指示情報に従って、システムメッセージが読み出される必要があるかどうかを決定してもよく、それによって、エネルギー消費を低減し、処理負荷を軽減する。
【００１９】
前述の態様のうちのいずれか１つの第２の可能な実装に関連し、第３の可能な実装において、第２のシステムメッセージが少なくとも１つの第３の指示情報を含み、１つの第３の指示情報が１つの通常の第３のシステムメッセージに対応し、対応する通常の第３のシステムメッセージが構成バージョンの最新の変化に関して更新されるかどうかを示すために使用されるときに、少なくとも１つの第３の指示情報は、第２のシステムメッセージが更新された後に第２のシステムメッセージから取得され、
第２の指示情報によって示される構成バージョンが、端末デバイスによって記録された構成バージョンと異なり、２つの構成バージョンの間に他の異なる構成バージョンがない場合に、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいずれのシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って、通常の第３のシステムメッセージを読み出すように受信モジュールを制御するオペレーションが実行される。
【００２０】
各通常の第３のシステムメッセージについて、メッセージが更新されるかどうかが示される。一方で、端末デバイスは、更新された通常の第３のシステムメッセージのみについてシステムメッセージを更新してもよく、それによって、エネルギー消費を低減し、処理負荷を軽減する。他方では、各第３の指示情報に従って、通常の第３のシステムメッセージのいずれも更新されないと決定したときに、端末デバイスは、通常の第３システムメッセージは更新される必要がないことを決定してもよく、それによって、エネルギー消費を低減し、処理負荷を軽減する。
【００２１】
前述の態様のうちのいずれか１つの第３の可能な実装に関連し、第４の可能な実装において、第２の指示情報によって示される構成バージョンと端末デバイスによって記録された構成バージョンとの間に他の異なる構成バージョンがある場合に、
各通常の第３のシステムメッセージについて、受信モジュールは、通常の第３のシステムメッセージのものであり、更新された第２のシステムメッセージ内にあるスケジューリング情報に従って、通常の第３のシステムメッセージを読み出すように制御される。
【００２２】
第２の指示情報によって示される構成バージョンと端末デバイスによって記録された構成バージョンとの間に他の異なる構成バージョンがある場合、第３の指示情報だけに従って、対応する通常の第３のシステムメッセージが更新されるかどうかは正しく決定されることができない。このケースでは、端末デバイスは、すべての通常の第３のシステムメッセージを更新する必要がある。
【００２３】
前述の態様のうちのいずれか１つの第１から第４の可能な実装のうちのいずれか１つに関連し、第５の可能な実装において、第１の指示情報が少なくとも１つの第４の指示情報をさらに含み、１つの第４の指示情報が１つのアクティベーション関係の第３のシステムメッセージに対応して、セル内の端末デバイスが対応するアクティベーション関係の第３のシステムメッセージを更新する必要があるかどうかを示すために使用されるときに、
第４の指示情報が、セル内の端末デバイスが対応するアクティベーション関係の第３のシステムメッセージを更新する必要があることを示す場合に、端末デバイスは、対応するアクティベーション関係の第３のシステムメッセージを更新し、または
第４の指示情報が、セル内の端末デバイスが対応するアクティベーション関係の第３のシステムメッセージを更新する必要がないことを示す場合に、端末デバイスは、対応するアクティベーション関係の第３のシステムメッセージが更新される必要がないと決定する。
【００２４】
各アクティベーション関係の第３のシステムメッセージについて、システムメッセージが更新される必要があるかどうかが示される。加えて、アクティベーション関係の第３のシステムメッセージは、セルの特定の機能がアクティベートされたときにセル内の端末デバイスによって取得される必要があるシステムメッセージである。したがって、アクティベーション関係の第３のシステムメッセージが更新される必要があるかどうかが示されるときに、端末デバイスは、セルの特定の機能がアクティベートされることを通知される。通常の第３のシステムメッセージと異なり、端末デバイスは、他の指示情報を参照して、システムメッセージが更新される必要があるかどうかを決定する必要はない。第４の指示情報が、対応するアクティベーション関係の第３のシステムメッセージが更新される必要があることを示すときに、端末デバイスは、アクティベーション関係の第３のシステムメッセージが更新される必要があると決定し、または第４の指示情報が、対応するアクティベーション関係の第３のシステムメッセージが更新される必要がないことを示すときに、端末デバイスは、アクティベーション関係の第３のシステムメッセージが更新される必要がないと決定する。これは、通常の第３のシステムメッセージを更新する前述のメカニズムと異なる。
【００２５】
第６の態様によれば、本出願は、端末デバイスを提供し、
端末デバイスが配置されるセルの第１のシステムメッセージを受信するように構成される受信モジュールであって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信モジュールと、
処理モジュールであって、受信モジュールによって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合、記録されたページング関係のシステムメッセージに従ってページングメッセージを受信するように受信モジュールを制御し、受信モジュールによって受信されたページングメッセージ内のシステムメッセージ更新に関係する第２の指示情報に従ってシステムメッセージを更新するように構成される、処理モジュールとを含む。
【００２６】
第７の態様によれば、本出願は、ネットワークデバイスを提供し、
第１のシステムメッセージを決定するように構成される、処理モジュールであって、第１のシステムメッセージは、第１の指示情報を含み、第１の指示情報は、ページング関係のシステムメッセージが更新されるかどうかを示すために使用される、処理モジュールと、
セル内で、処理モジュールによって決定された第１のシステムメッセージを送信するように構成される、送信モジュールとを含み、
処理モジュールは、ページングメッセージを決定するようにさらに構成され、ページングメッセージは、システムメッセージ更新に関係する第２の指示情報を含み、
送信モジュールが、セル内で、処理モジュールによって決定されたページングメッセージを送信するようにさらに構成され、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００２７】
第８の態様によれば、本出願は、システムメッセージ更新方法を提供し、
第１の端末デバイスによって、第１の端末デバイスが配置されるセルの第１のシステムメッセージを受信するステップであって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、ステップと、
第１の端末デバイスによって、第１のシステムメッセージから第１の指示情報を取得するステップであって、第１の指示情報は、ページング関係のシステムメッセージが更新されるかどうかを示すために使用される、ステップと、
第１の指示情報が、ページング関係のシステムメッセージが更新されないことを示す場合に、
第１の端末デバイスによって、記録されたページング関係のシステムメッセージに従ってページングメッセージを受信するステップと、
第１の端末デバイスによって、受信されたページングメッセージにおけるシステムメッセージ更新に関係する第２の指示情報に従ってシステムメッセージを更新するステップとを含む。
【００２８】
第９の態様によれば、本出願は、システムメッセージ更新方法を提供し、
ネットワークデバイスによって、第１のシステムメッセージを決定するステップであって、第１のシステムメッセージは、第１の指示情報を含み、第１の指示情報は、ページング関係のシステムメッセージが更新されるかどうかを示すために使用される、ステップと、
ネットワークデバイスによって、セルにおいて決定された第１のシステムメッセージを送信するステップと、
ネットワークデバイスによって、ページングメッセージを決定するステップであって、ページングメッセージは、システムメッセージ更新に関係する第２の指示情報を含む、ステップと、
ネットワークデバイスによって、セルにおいて決定されたページングメッセージを送信するステップとを含み、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００２９】
第１０の態様によれば、本出願は、ワイヤレス通信システムを提供し、
ネットワークデバイスであって、セルにおいて第１のシステムメッセージを送信し、第１のシステムメッセージは、第１の指示情報を含み、第１の指示情報は、ページング関係のシステムメッセージが更新されるかどうかを示すために使用され、セルにおいてページングメッセージを送信し、ページングメッセージは、システムメッセージ更新に関係する第２の指示情報を含む、ように構成されるネットワークデバイスと、
端末デバイスであって、セルにおいてネットワークデバイスによって送信された第１のシステムメッセージを受信し、第１のシステムメッセージから第１の指示情報を取得し、第１の指示情報が、ページング関係のシステムメッセージが更新されないことを示す場合に、記録されたページング関係のシステムメッセージに従ってページングメッセージを受信し、受信されたページングメッセージにおけるシステムメッセージ更新に関係する第２の指示情報に従ってシステムメッセージを更新するように構成される端末デバイスとを含み、
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【００３０】
第６の態様から第１０の態様のいずれか１つにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常通り、記録されたページング関係のシステムメッセージに従ってページングメッセージを受信してもよく、ページングメッセージからシステムメッセージ更新に関係する指示情報をさらに取得し、ページングメッセージから取得された指示情報に従ってシステムメッセージを更新するようになる。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信でき、ページングメッセージからシステムメッセージ更新に関係する指示情報を成功裡に取得し、システムメッセージを成功裡に更新するようになる。
【００３１】
第６の態様から第１０の態様のいずれか１つに関連し、第２の指示情報は、第３の指示情報、第４の指示情報、および少なくとも１つの第５の指示情報を含み、
第３の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
第４の指示情報は、第２のシステムメッセージが構成バージョンの最新の変化に関して更新されるかどうかを示すために使用され、
１つの第５の指示情報は、１つの第３のシステムメッセージに対応しており、対応する第３のシステムメッセージが構成バージョンの最新の変化に関して更新されるかどうかを示すために使用される。
【００３２】
第３の指示情報を使用することによって、ネットワークデバイスは端末デバイスに、複数のシステムメッセージ更新周期において第２のシステムメッセージおよび第３のシステムメッセージの変化ステータスを通知し得る。端末デバイスは、第３の指示情報および第５の指示情報に関して、第３のシステムメッセージが更新される必要があるかどうかを決定し、第３の指示情報を更新する方式を決定し得る。
【００３３】
第４の指示情報を使用することによって、ネットワークデバイスは端末デバイスに、第３のシステムメッセージのスケジューリング情報を含む第２のシステムメッセージが更新されるかどうかを通知し得る。このようにして、端末デバイスは、第３の指示情報および第４の指示情報に関して、第２のシステムメッセージが更新される必要があるかどうかを決定し、記録された第２のシステムメッセージまたは更新された第２のシステムメッセージに従って第３のシステムメッセージを更新し得る。
【００３４】
第６の態様から第１０の態様のいずれか１つの第１の可能な実装に関連し、第２の可能な実装において、第３の指示情報によって示される構成バージョンが端末デバイスによって記録された構成バージョンと同じである場合、システムメッセージは更新される必要がなく、または
第３の指示情報によって示される構成バージョンが、端末デバイスによって記録された構成バージョンと異なり、２つの構成バージョンの間に他の異なる構成バージョンがない場合に、第４の指示情報が、第２のシステムメッセージが構成バージョンの最新の変化に関して更新されることを示すときに、第２のシステムメッセージは更新され、または第４の指示情報が、第２のシステムメッセージが構成バージョンの最新の変化に関して更新されないことを示すときに、第２のシステムメッセージは更新される必要はない。
【００３５】
第６の態様から第１０の態様のいずれか１つの第２の可能な実装に関連し、第３の可能な実装において、
第３の指示情報によって示される構成バージョンが、端末デバイスによって記録された構成バージョンと異なり、２つの構成バージョンの間に他の異なる構成バージョンがない場合に、
少なくとも１つの第５の指示情報における各第５の指示情報が、対応する第３のシステムメッセージが構成バージョンの最新の変化に関して更新されないことを示すときに、端末デバイスは、少なくとも１つの第３のシステムメッセージにおけるいずれのシステムメッセージも更新される必要がないと決定し、または
少なくとも１つの第５の指示情報における１つまたは複数の第５の指示情報が、対応する第３のシステムメッセージが構成バージョンの最新の変化に関して更新されることを示すときに、端末デバイスは、各更新された第３のシステムメッセージを更新する。
【００３６】
第６の態様から第１０の態様のいずれか１つの第１の可能な実装に関連し、第４の可能な実装において、
第３の指示情報によって示される構成バージョンが、端末デバイスによって記録された構成バージョンと異なり、２つの構成バージョンの間に他の異なる構成バージョンがない場合に、
端末デバイスは第２のシステムメッセージを更新し、少なくとも１つの第３のシステムメッセージのものであり、更新された第２のシステムメッセージ内にあるスケジューリング情報に従って各第３のシステムメッセージを更新する。
【００３７】
第６の態様から第１０の態様のいずれか１つに関連し、第５の可能な実装において、第１の指示情報が、ページング関係のシステムメッセージが更新されることを示す場合、第２のシステムメッセージは更新され、
第６の指示情報、および少なくとも１つの第７の指示情報は、第２のシステムメッセージから取得され、第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、１つの第７の指示情報は、１つの第３のシステムメッセージに対応しており、対応する第３のシステムメッセージが構成バージョンの最新の変化に関して更新されるかどうかを示すために使用され、
システムメッセージは、第６の指示情報、および少なくとも１つの第７の指示情報に従って更新される。
【００３８】
第６の態様から第１０の態様のいずれか１つの第５の可能な実装に関連し、第６の可能な実装において、
第６の指示情報によって示される構成バージョンが、端末デバイスによって記録された構成バージョンと異なり、２つの構成バージョンの間に他の異なる構成バージョンがない場合に、少なくとも１つの第７の指示情報によって示される各更新された第３のシステムメッセージについて、第３のシステムメッセージは、更新され、または
第６の指示情報によって示される構成バージョンが、端末デバイスによって記録された構成バージョンと異なり、２つの構成バージョンの間に他の異なる構成バージョンがある場合に、少なくとも１つの第３のシステムメッセージにおける各システムメッセージは、更新される。
【００３９】
ページング関係のシステムメッセージが変わったときに、端末デバイスは、最初に、第２のシステムメッセージを更新し、第２のシステムメッセージ内の第６の指示情報および第７の指示情報に従って第３のシステムメッセージを更新する。
【００４０】
第１１の態様によれば、本出願は、端末デバイスを提供し、
端末デバイスが配置されるセルのページングメッセージを受信するように構成される受信モジュールであって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信モジュールと、
受信モジュールによって受信されるシステムメッセージ更新指示情報に従ってシステムメッセージを更新するように構成される処理モジュールとを含み、
第１のシステムメッセージは、周期的に送信され、固定された物理リソースロケーションを占有し、
第２のシステムメッセージは、少なくとも１つの第３のシステムメッセージのスケジューリング情報を含む。
【００４１】
第１２の態様によれば、本出願は、ネットワークデバイスを提供し、
ページングメッセージを決定するように構成される、処理モジュールであって、ページングメッセージは、システムメッセージ更新指示情報を含む、処理モジュールと、
セル内で、処理モジュールによって決定されたページングメッセージを送信するように構成される、送信モジュールとを含み、
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを指示し、
第１のシステムメッセージは、周期的に送信され、固定された物理リソースロケーションを占有し、第２のシステムメッセージは、少なくとも１つの第３のシステムメッセージのスケジューリング情報を含む。
【００４２】
第１３の態様によれば、本出願は、システムメッセージ更新方法を提供し、
第１の端末デバイスによって、第１の端末デバイスが配置されるセルのページングメッセージを受信するステップであって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、第１の端末デバイスが配置されるセル内の端末デバイスがシステムメッセージを更新する必要があるかどうかを示す、ステップと、
第１の端末デバイスによって、システムメッセージ更新指示情報に従ってシステムメッセージを更新するステップとを含み、
第１のシステムメッセージは、周期的に送信され、固定された物理リソースロケーションを占有し、
第２のシステムメッセージは、少なくとも１つの第３のシステムメッセージのスケジューリング情報を含む。
【００４３】
第１４の態様によれば、本出願は、システムメッセージ更新方法を提供し、
ネットワークデバイスによって、ページングメッセージを決定するステップであって、ページングメッセージは、システムメッセージ更新指示情報を含む、ステップと、
ネットワークデバイスによって、セルにおけるページングメッセージを送信するステップとを含み、
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを指示し、
第１のシステムメッセージは、周期的に送信され、固定された物理リソースロケーションを占有し、第２のシステムメッセージは、少なくとも１つの第３のシステムメッセージのスケジューリング情報を含む。
【００４４】
第１５の態様によれば、本出願は、ワイヤレス通信システムを提供し、
セルにおいてページングメッセージを送信するように構成されるネットワークデバイスであって、ページングメッセージは、システムメッセージ更新指示情報を含み、第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す、ネットワークデバイスと、
第１の端末デバイスであって、セルにおいてネットワークデバイスによって送信されたページングメッセージを受信し、システムメッセージ更新指示情報に従ってシステムメッセージを更新するように構成される、第１の端末デバイスとを含み、
第１のシステムメッセージは、周期的に送信され、固定された物理リソースロケーションを占有し、第２のシステムメッセージは、少なくとも１つの第３のシステムメッセージのスケジューリング情報を含む。
【００４５】
第１１の態様から第１５の態様のいずれか１つにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく、記録された第２のシステムメッセージだけに従って更新を実行し、それによって、端末デバイスのシステムメッセージ更新効率を改善する。
【００４６】
第１６の態様によれば、本出願は、端末デバイスを提供し、
処理モジュールであって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成される処理モジュールと、
受信モジュールであって、少なくとも１つのシステムメッセージにおける各システムメッセージについて、ネットワークデバイスによってシステムメッセージを送信するために使用され、処理モジュールによって決定される開始位置、送信周期、および繰り返しの量に従ってシステムメッセージを受信するように構成される受信モジュールとを含み、
システムメッセージを２回送信する間の時間間隔において、１つまたは複数の他のシステムメッセージがネットワークデバイスによって送信される。
【００４７】
第１７の態様によれば、本出願は、ネットワークデバイスを提供し、
処理モジュールであって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成される処理モジュールと、
送信モジュールであって、処理モジュールによって決定された少なくとも１つのシステムメッセージにおける各システムメッセージについて、システムメッセージを送信するために使用される決定された開始位置、送信周期、および繰り返しの量に従ってシステムメッセージを送信するように構成される送信モジュールとを含み、
システムメッセージを２回送信する間の時間間隔において、１つまたは複数の他のシステムメッセージが送信される。
【００４８】
第１８の態様によれば、本出願は、システムメッセージ受信方法を提供し、
第１の端末デバイスによって、少なくとも１つのシステムメッセージが受信される必要があると決定するステップと、
少なくとも１つのシステムメッセージにおける各システムメッセージについて、第１の端末デバイスによって、ネットワークデバイスによってシステムメッセージを送信するために使用される開始位置、送信周期、および繰り返しの量を決定するステップと、
少なくとも１つのシステムメッセージにおける各システムメッセージについて、第１の端末デバイスによって、ネットワークデバイスによってシステムメッセージを送信するために使用される決定された開始位置、送信周期、および繰り返しの量に従ってシステムメッセージを受信するステップとを含み、
システムメッセージを２回送信する間の時間間隔において、１つまたは複数の他のシステムメッセージがネットワークデバイスによって送信される。
【００４９】
第１９の態様によれば、本出願は、システムメッセージ送信方法を提供し、
ネットワークデバイスによって、少なくとも１つのシステムメッセージが送信される必要があると決定するステップと、
少なくとも１つのシステムメッセージにおける各システムメッセージについて、ネットワークデバイスによって、システムメッセージを送信するために使用される開始位置、送信周期、および繰り返しの量を決定するステップと、
少なくとも１つのシステムメッセージにおける各システムメッセージについて、ネットワークデバイスによって、システムメッセージを送信するために使用される決定された開始位置、送信周期、および繰り返しの量に従ってシステムメッセージを送信するステップとを含み、
システムメッセージを２回送信する間の時間間隔において、１つまたは複数の他のシステムメッセージが送信される。
【００５０】
第２０の態様によれば、本出願は、ワイヤレス通信システムを提供し、
ネットワークデバイスであって、少なくとも１つの送信されるシステムメッセージにおける各システムメッセージについて、システムメッセージを送信するために使用される開始位置、送信周期、および繰り返しの量を決定し、システムメッセージを送信するために使用される決定された開始位置、送信周期、および繰り返しの量に従ってシステムメッセージを送信するように構成されるネットワークデバイスと、
端末デバイスであって、ネットワークデバイスによって送信される少なくとも１つの受信されるシステムメッセージにおける各システムメッセージについて、ネットワークデバイスによってシステムメッセージを送信するために使用される開始位置、送信周期、および繰り返しの量を決定し、ネットワークデバイスによってシステムメッセージを送信するために使用される決定された開始位置、送信周期、および繰り返しの量に従ってシステムメッセージを受信するように構成される端末デバイスとを含み、
システムメッセージを２回送信する間の時間間隔において、１つまたは複数の他のシステムメッセージがネットワークデバイスによって送信される。
【００５１】
第１６の態様から第２０の態様のいずれか１つにおいて、システムメッセージを２回繰り返し送信する処理において、ネットワークデバイスは、他のシステムメッセージをさらに送信する。したがって、より良好なカバレッジを有する端末デバイスは、システムメッセージの繰り返し送信の完了を待たずに次のシステムメッセージを受信してよく、更新される必要のあるすべてのシステムメッセージが更新されるときに、端末デバイスは、繰り返し送信されるその後のシステムメッセージを受信することなくスリープ状態に入り得る。このようにして、より良好なカバレッジを有する端末のシステムメッセージ更新効率は、改善されることができ、不必要な繰り返されるシステムメッセージの受信によって引き起こされるそのような端末デバイスのエネルギー消費は、低減されることができる。
【図面の簡単な説明】
【００５２】
【図１】ＬＴＥシステムにおけるページングメッセージに従って端末デバイスがシステムメッセージを更新する処理の概略図である。
【図２】長いＤＲＸサイクルを有する端末デバイスがシステムメッセージを成功裡に更新することに失敗する概略図である。
【図３】本出願の実施形態１によるワイヤレス通信システムの概略構造図である。
【図４】本出願の実施形態１によるワイヤレス通信システムにおける適用可能なＣＩｏＴシステムの概略構造図である。
【図５】本出願の実施形態２による第１のシステムメッセージ更新ソリューションのフローチャートである。
【図６Ａ】本出願の実施形態２による任意選択のソリューション３のフローチャートである。
【図６Ｂ】本出願の実施形態２による任意選択のソリューション３のフローチャートである。
【図７】本出願の実施形態３による第２のシステムメッセージ更新ソリューションのフローチャートである。
【図８】本出願の実施形態４による第３のシステムメッセージ更新ソリューションのフローチャートである。
【図９Ａ】本出願の実施形態５によるシステムメッセージ伝送ソリューションのフローチャートである。
【図９Ｂ】本出願の実施形態５によるシステムメッセージ伝送方式の概略図である。
【図９Ｃ】本出願の実施形態５による他のシステムメッセージ伝送方式の概略図である。
【図１０】本出願の実施形態６による第１のタイプの端末デバイスの概略構造図である。
【図１１】本出願の実施形態７による第２のタイプの端末デバイスの概略構造図である。
【図１２】本出願の実施形態８による第１のタイプのネットワークデバイスの概略構造図である。
【図１３】本出願の実施形態９による第２のタイプのネットワークデバイスの概略構造図である。
【図１４】本出願の実施形態１０による第１のシステムメッセージ更新方法のフローチャートである。
【図１５】本出願の実施形態１１による第２のシステムメッセージ更新方法のフローチャートである。
【図１６】本出願の実施形態１２による第３のタイプの端末デバイスの概略構造図である。
【図１７】本出願の実施形態１３による第４のタイプの端末デバイスの概略構造図である。
【図１８】本出願の実施形態１４による第３のタイプのネットワークデバイスの概略構造図である。
【図１９】本出願の実施形態１５による第４のタイプのネットワークデバイスの概略構造図である。
【図２０】本出願の実施形態１６による第３のシステムメッセージ更新方法のフローチャートである。
【図２１】本出願の実施形態１７による第４のシステムメッセージ更新方法のフローチャートである。
【図２２】本出願の実施形態１８による第５のタイプの端末デバイスの概略構造図である。
【図２３】本出願の実施形態１９による第６のタイプの端末デバイスの概略構造図である。
【図２４】本出願の実施形態２０による第５のタイプのネットワークデバイスの概略構造図である。
【図２５】本出願の実施形態２１による第６のタイプのネットワークデバイスの概略構造図である。
【図２６】本出願の実施形態２２による第５のシステムメッセージ更新方法のフローチャートである。
【図２７】本出願の実施形態２３による第６のシステムメッセージ更新方法のフローチャートである。
【図２８】本出願の実施形態２４による第７のタイプの端末デバイスの概略構造図である。
【図２９】本出願の実施形態２５による第８のタイプの端末デバイスの概略構造図である。
【図３０】本出願の実施形態２６による第７のタイプのネットワークデバイスの概略構造図である。
【図３１】本出願の実施形態２７による第８のタイプのネットワークデバイスの概略構造図である。
【図３２】本出願の実施形態２８による第７のシステムメッセージ伝送方法のフローチャートである。
【図３３】本出願の実施形態２９による第８のシステムメッセージ伝送方法のフローチャートである。
【発明を実施するための形態】
【００５３】
本出願の上記の目的、ソリューション、および利点をよりよく理解するために、詳細な説明が以下に提供される。詳細な説明は、ブロック図およびフローチャートおよび／または例などの添付図面を使用することによって装置および／または方法の様々な実装を例証する。これらのブロック図、フローチャート、および／または例に、１つまたは複数の機能および／またはオペレーションが含まれる。当業者は、これらのブロック図、フローチャート、または例における各機能および／またはオペレーションは、様々なハードウェア、ソフトウェア、およびファームウェアによって別々にもしくは一緒に実装されるか、またはハードウェア、ソフトウェア、およびファームウェアの任意の組合せによって実装されることができることを認識するだろう。
【００５４】
一態様によれば、本出願は、システムメッセージ更新ソリューションを提供する。このソリューションにおいて、ネットワークデバイスは、指示情報を、送信される第１のシステムメッセージに追加し、第１のシステムメッセージを受信した後に、端末デバイスは、指示情報に従って第１のシステムメッセージ以外のシステムメッセージを更新する。第１のシステムメッセージは、周期的に送信され、固定された物理リソースロケーションを占有する。
【００５５】
このソリューションにおいて、指示情報は、ページングメッセージの代わりに第１のシステムメッセージで送信される。端末デバイスは、指示情報に従って第１のシステムメッセージ以外のシステムメッセージを更新してもよく、それによって、すべてのシステムメッセージを更新する。システムメッセージの変化がページングメッセージを使用することによって知られる現在のソリューションと比較して、端末デバイスがシステムメッセージの変化を示すために使用されるページングメッセージを受信することに失敗することがあり、さらに、端末デバイスのＤＲＸサイクルがシステムメッセージ修正周期よりも長いためにシステムメッセージを更新することができないということが回避される。
【００５６】
他の態様によれば、本出願は、他のシステムメッセージ更新ソリューションを提供する。このソリューションにおいて、ネットワークデバイスによって送信されるシステムメッセージは、第１のシステムメッセージ、第２のシステムメッセージ、および少なくとも１つの第３のシステムメッセージを含む。第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。第１のシステムメッセージを送信するときに、ネットワークデバイスは指示情報を第１のシステムメッセージに追加し、指示情報は、第３のシステムメッセージにおけるページング関係のシステムメッセージが更新されるかどうかを示すために使用される。指示情報が、ページング関係のシステムメッセージが更新されないことを示す場合、端末デバイスは、記録されたページング関係のシステムメッセージに従ってページングメッセージを受信し、受信されたページングメッセージ内のシステムメッセージ更新に関係する指示情報に従ってシステムメッセージを更新する。
【００５７】
このソリューションにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常通り、記録されたページング関係のシステムメッセージに従ってページングメッセージを受信してもよく、ページングメッセージからシステムメッセージ更新に関係する指示情報をさらに取得し、ページングメッセージから取得された指示情報に従ってシステムメッセージを更新するようになる。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信でき、ページングメッセージからシステムメッセージ更新に関係する指示情報を成功裡に取得し、システムメッセージを成功裡に更新するようになる。
【００５８】
なおも他の態様によれば、本出願は、なおも他のシステムメッセージ更新ソリューションを提供する。このソリューションは、ページングメッセージが正常に受信されることができるシナリオに適用される。たとえば、システムメッセージ更新周期は、ＤＲＸサイクルの整数倍である。このソリューションでは、ネットワークデバイスがページングメッセージを送信するときに、第１のシステムメッセージ、第２のシステムメッセージ、および少なくとも１つの第３のシステムメッセージについて、ページングメッセージで運ばれるシステムメッセージ更新指示情報は、第１の端末デバイスがシステムメッセージを更新する必要があるかどうかを指示し、端末デバイスは、システムメッセージ更新指示情報に従ってシステムメッセージを更新する。第１のシステムメッセージは、周期的に送信され、固定された物理リソースロケーションを占有し、第２のシステムメッセージは、少なくとも１つの第３のシステムメッセージのスケジューリング情報を含む。
【００５９】
このソリューションにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく、記録された第２のシステムメッセージだけに従って更新を実行し、それによって、端末デバイスのシステムメッセージ更新効率を改善する。
【００６０】
さらに他の態様によれば、本出願は、システムメッセージ送信ソリューションを提供する。システムメッセージを送信するときに、ネットワークデバイスは、システムメッセージを２回送信する間の全時間間隔において１つまたは複数の他のシステムメッセージを送信する。
【００６１】
現在、各システムメッセージは、１つのＳＩウィンドウ（ＳＩ−ｗｉｎｄｏｗ）だけで送信されることができ、システムメッセージウィンドウ内で複数回送信されてよい。システムメッセージのＳＩウィンドウは、他のシステムメッセージのＳＩウィンドウに隣接している。しかしながら、１つのシステムメッセージだけが、１つのＳＩウィンドウで送信されることができる。ＳＩウィンドウでシステムメッセージを受信した後、端末デバイスは、次のＳＩウィンドウを、次のシステムメッセージを受信するために待つ必要がある。本出願で提供されるソリューションにおいて、ネットワークデバイスは、システムメッセージを２回繰り返し送信する処理において他のシステムメッセージをさらに送信する。このケースでは、システムメッセージを受信した後、端末デバイスは、システムメッセージウィンドウを待つことなく他のシステムメッセージを受信してもよく、それによってシステムメッセージ更新効率を改善する。
【００６２】
理解を容易にするため、次に、本出願に含まれる基本概念を説明する。
【００６３】
１．ＣＩｏＴ
セルラーモノのインターネット（Ｃｅｌｌｕｌａｒ  Ｉｎｔｅｒｎｅｔ  ｏｆ  Ｔｈｉｎｇｓ、ＣＩｏＴ）は、セルラーネットワークに基づき実装されるモノのインターネットである。
【００６４】
爆発的なモバイルデータトラフィックの増加、膨大な量のデバイス接続、様々な新しいサービスの途切れない出現および将来におけるアプリケーションシナリオに対処するために、第５世代（５ｔｈ  Ｇｅｎｅｒａｔｉｏｎ、５Ｇ）モバイル通信システムが出現している。５Ｇシステムの一部として、モノのインターネットは、急速に増大する市場要求を有している。予測は、２０２２年までに、５Ｇシステムに基づき実装されるモノのインターネットにおける接続量は１８０億に達するだろうことを示している。
【００６５】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、セルラーネットワークに基づくモノのインターネットに取り組み、モノのインターネットのサービスを伝えるために新しい無線インターフェース（「ワイヤレスインターフェース」とも称される）技術を設計している。
【００６６】
本出願で提供されるシステムメッセージ伝送ソリューションは、端末デバイスのＤＲＸサイクルがシステムメッセージ修正周期よりも長いときに、端末デバイスがシステムメッセージを成功裡に更新することに失敗することがあるというモノのインターネットの問題を解決するために、ＩｏＴに適用され得るか、またはＣＩｏＴに適用され得る。しかしながら、それはシステムメッセージ伝送ソリューションがＩｏＴにのみ適用されることができることを意味しない。実際、端末デバイスは、端末デバイスのＤＲＸサイクルがシステムメッセージ修正周期よりも長いならば、システムメッセージを成功裡に更新することに失敗することがある。本出願で提供されるソリューションは、端末デバイスのＤＲＸサイクルがシステムメッセージ修正周期よりも長いために端末デバイスがシステムメッセージを成功裡に更新することができないという問題を解決するために使用される。ソリューションが適用されるシステムまたはネットワークは制限されない。
【００６７】
２．システム情報
システム情報は、基地局などのネットワークデバイスによってワイヤレス通信システムにおけるセル内の端末デバイスに送信されるメッセージである。メッセージは、セルのセルレベル情報を含み、セルレベル情報は、セルにアクセスするすべての端末デバイスに対して有効である。一般的に、ネットワークデバイスは、ブロードキャスト方式でシステム情報を送信する。
【００６８】
システム情報は、システム情報の内容、重要度、および同様のものに従ってさらに分割され得る。次に、現在のＬＴＥシステムにおけるシステムメッセージを使用することによってシステム情報の構成を一例として説明する。分割方式は、現在のＬＴＥシステムと他のシステムとの間でわずかに異なるが、原理は基本的に同じであり、詳細は本明細書では説明されない。
【００６９】
ＬＴＥシステムにおいて、システム情報はマスター情報ブロック（ＭａｓｔｅｒＩｎｆｏｒｍａｔｉｏｎＢｌｏｃｋ、ＭＩＢ）および複数のシステム情報ブロック（ＳｙｓｔｅｍＩｎｆｏｒｍａｔｉｏｎＢｌｏｃｋ、ＳＩＢ）に分割されてよく、ＳＩＢはＳＩＢ１と他のＳＩＢとを含む。各システム情報は、機能に関係する一連のパラメータのセットを含む。
【００７０】
ＬＴＥシステムには、システム情報を伝送するために使用される３タイプのＲＲＣメッセージがあり、３タイプのＲＲＣメッセージは、それぞれ、
（１）ＭＩＢを伝送するために使用されるＭＩＢメッセージ、
（２）ＳＩＢ１を伝送するために使用されるＳＩＢ１メッセージ、および
（３）ＳＩＢ１以外のＳＩＢを伝送するために使用される１つまたは複数のＳＩメッセージ
である。
【００７１】
ＭＩＢメッセージは、物理ブロードキャストチャネル（Ｐｈｙｓｉｃａｌ  Ｂｒｏａｄｃａｓｔ  Ｃｈａｎｎｅｌ、ＰＢＣＨ）上で伝送され、時間周波数リソースは固定される。ＳＩＢ１が存在する場合、ＳＩＢ１メッセージを伝送するために使用される周波数領域リソースは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）シグナリングを使用することによってスケジューリングされ、ＳＩＢ１メッセージを伝送するために使用される時間領域リソースは、固定される。
【００７２】
ＭＩＢメッセージの固定された時間周波数ロケーションとは異なり、ＳＩＢ１メッセージおよびＳＩメッセージは両方とも、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）上で伝送され、ＳＩＢ１メッセージおよびＳＩメッセージによって占有されるリソースブロック（Ｒｅｓｏｕｒｃｅ  Ｂｌｏｃｋ、ＲＢ）（周波数領域ロケーション）、ＳＩＢ１メッセージおよびＳＩメッセージの伝送フォーマット、ならびに同様のものは、動的にスケジューリングされ、ＰＤＣＣＨシグナリングを使用することによって示される。ＵＥは、ＳＩメッセージがサブフレーム内に存在するかどうかを決定するためにサブフレーム内のＰＤＣＣＨ上でブラインド検出を実行する（ＳＩＢ１の時間領域ロケーションが固定される）。
【００７３】
発展型ノードＢ（ｅｖｏｌｖｅｄ  ＮｏｄｅＢ、ｅＮＢ）は、特定のケースに従ってＳＩＢ１メッセージおよびＳＩメッセージの占有帯域幅、使用されるＲＢセット、伝送フォーマット、および同様のものを柔軟に変え得る。各ＳＩメッセージは、ＳＩＢ１以外の１つまたは複数のＳＩＢを含み、これらのＳＩＢは、同じスケジューリング要件（たとえば、同じ伝送周期）を有する。
【００７４】
ＳＩＢ１メッセージは、ＳＩメッセージに含まれるＳＩＢ、ならびにＳＩメッセージの周期、スケジューリング情報、および同様のものを指定する。
【００７５】
本出願では、システムメッセージは、次のように分類される。
【００７６】
（１）第１のシステムメッセージ：第１のシステムメッセージは、物理ブロードキャストチャネル（たとえば、ＬＴＥシステムにおけるＰＢＣＨ）上で周期的に送信され、固定された物理リソースロケーションを占有する（たとえば、占有される時間領域リソースロケーション、および占有される周波数領域リソースロケーションはＬＴＥシステムでは固定される）。一般的に、第１のシステムメッセージの送信周期は、システムメッセージ更新周期に比べて短い。
【００７７】
ＬＴＥシステムについて、第１のシステムメッセージはＭＩＢメッセージであってよく、送信周期は４０ｍｓである。
【００７８】
（２）第２のシステムメッセージ：第２のシステムメッセージは、サービスチャネル（たとえば、ＬＴＥシステムにおけるＰＤＳＣＨ）上で送信され、非固定の物理リソースロケーションを占有し（または時間領域ロケーションのみが固定され、周波数領域ロケーションはスケジューリングシグナリングを使用することによって指示され）、第２のシステムメッセージは、少なくとも１つの第３のシステムメッセージのスケジューリング情報を含む。第２のシステムメッセージは、周期的に送信され得る。第２のシステムメッセージが、周期的に送信される場合、第２のシステムメッセージの送信周期は、普通、システムメッセージ更新周期よりも短く、第１のシステムメッセージの送信周期よりも長い。
【００７９】
ＬＴＥシステムについて、第２のシステムメッセージは、ＳＩＢ１メッセージであってよく、ＳＩＢ１を伝送するために使用される。ＳＩＢ１メッセージは周期的に送信され、送信周期は８０ｍｓである。
【００８０】
（３）少なくとも１つの第３のシステムメッセージ：少なくとも１つの第３のシステムメッセージは、サービスチャネル（たとえば、ＬＴＥシステムにおけるＰＤＳＣＨ）上で送信され、非固定の物理リソースロケーションを占有する。
【００８１】
たとえば、ＬＴＥシステムについて、第３のシステムメッセージはＳＩメッセージである。
【００８２】
実施形態１において、システムメッセージは少なくとも２つの第３のシステムメッセージを含み、少なくとも２つのシステムメッセージは、少なくとも１つの通常の第３のシステムメッセージおよび少なくとも１つのアクティベーション関係の第３のシステムメッセージを含む。
【００８３】
アクティベーション関係の第３のシステムメッセージは、セルの特定の機能がアクティベートされたときにセル内の端末デバイスによって取得される必要があるシステムメッセージであり、通常の第３のシステムメッセージは、アクティベーション関係の第３のシステムメッセージ以外の少なくとも２つのシステムメッセージにおけるシステムメッセージである。
【００８４】
ＬＴＥシステムの一例において、すべてのＳＩメッセージの中にあり、ＳＩＢ１０、ＳＩＢ１１、ＳＩＢ１２、およびＳＩＢ１４を伝送するために使用されるＳＩメッセージは、アクティベーション関係の第３のシステムメッセージであってよく、ＳＩメッセージにおける他のシステムメッセージは、通常の第３のシステムメッセージである。
【００８５】
任意選択で、１つの通常の第３のシステムメッセージは、少なくとも１つのシステム情報を伝送するために使用されてよく、１つまたは複数のシステム情報が変わるときに、システム情報を伝送するための通常の第３のシステムメッセージは、更新される必要があると考えられる。１つのアクティベーション関係の第３のシステムメッセージが、また、少なくとも１つのシステム情報を伝送するために使用されてもよく、１つまたは複数のシステム情報が変わるときに、システム情報を伝送するためのアクティベーション関係の第３のシステムメッセージは、更新される必要があると考えられる。このケースでは、第３のシステムメッセージとシステム情報との間の関係は、一対多関係と称され得る。
【００８６】
代替として、任意選択で、１つの通常の第３のシステムメッセージは、少なくとも１つのシステム情報を伝送するために使用されてよく、１つまたは複数のシステム情報が変わるときに、システム情報を伝送するための通常の第３のシステムメッセージは、更新される必要があると考えられる。１つのアクティベーション関係の第３のシステムメッセージが、１つのシステム情報のみを伝送するために使用されてよく、システム情報が変わるときに、システム情報を伝送するためのアクティベーション関係の第３のシステムメッセージは、更新される必要があると考えられる。このケースでは、通常の第３のシステムメッセージとシステム情報との間の対応関係は、一対多関係と称されてもよく、アクティベーション関係の第３のシステムメッセージとシステム情報との間の対応関係は、一対一関係と称され得る。
【００８７】
なおも代替として、任意選択で、１つの通常の第３のシステムメッセージが、１つのシステム情報のみを伝送するために使用されてよく、システム情報が変わるときに、システム情報を伝送するための通常の第３のシステムメッセージは、更新される必要があると考えられる。１つのアクティベーション関係の第３のシステムメッセージが、少なくとも１つのシステム情報を伝送するために使用されてよく、１つまたは複数のシステム情報が変わるときに、システム情報を伝送するためのアクティベーション関係の第３のシステムメッセージは、更新される必要があると考えられる。このケースでは、通常の第３のシステムメッセージとシステム情報との間の対応関係は、一対一関係と称されてもよく、アクティベーション関係の第３のシステムメッセージとシステム情報との間の対応関係は、一対多関係と称され得る。
【００８８】
なおも代替として、任意選択で、１つの通常の第３のシステムメッセージが、１つのシステム情報のみを伝送するために使用されてよく、システム情報が変わるときに、システム情報を伝送するための通常の第３のシステムメッセージは、更新される必要があると考えられる。１つのアクティベーション関係の第３のシステムメッセージが、１つのシステム情報のみを伝送するために使用されてよく、システム情報が変わるときに、システム情報を伝送するためのアクティベーション関係の第３のシステムメッセージは、更新される必要があると考えられる。このケースでは、第３のシステムメッセージとシステム情報との間の対応関係は、一対一関係と称され得る。
【００８９】
現在のＬＴＥシステムにおいて、ページングメッセージを読み込んでシステム情報が更新される必要があることを知るときに、端末デバイスは、すべてのシステムメッセージを読み出す必要がある。しかしながら、本出願では、異なるシステムメッセージについて、システムメッセージが更新される必要があるかどうかが指示され、したがって端末デバイスは、更新される必要のないシステムメッセージを読み出す必要はなく、それによって、エネルギー消費を低減し、処理負荷を軽減する。特に、システムメッセージがシステム情報と一対一関係にあるときに、システム情報の変化は、各システム情報について知られ得る。端末デバイスは、１つのシステム情報が変わったときのみ対応するシステムメッセージを読み出す必要がある。システムメッセージとシステム情報との間の一対多関係と比較して、分割はより精緻化され、それによって、端末デバイスのエネルギー消費および処理負荷をさらに低減する。しかしながら、ネットワークデバイスがシステム情報の変化を通知するときにより多くの情報ビットが要求され、それによって情報制御オーバーヘッドを増加させる。
【００９０】
第１のシステムメッセージおよび第２のシステムメッセージについて、システムメッセージは１つのシステム情報のみ含むので、システムメッセージはシステム情報と一対一対応関係にあると考えられ得る。
【００９１】
したがって、本出願では、理解を容易にするため、システムメッセージがシステム情報と一対一対応関係にあるときに、システム情報が変わった場合に、対応するシステムメッセージは更新される必要があると考えられるか、またはシステムメッセージがシステム情報と一対多対応関係にあるときに、任意の１つまたは複数のシステム情報が変わった場合に、対応するシステムメッセージは更新される必要があると考えられる。次の説明では、システム情報更新がシステムメッセージ更新から明確には区別されない。
【００９２】
３．  ＬＴＥシステムにおけるシステムメッセージ変化通知に対する現在のソリューション
現在のＬＴＥシステムでは、端末デバイスはページング方式で、ＶａｌｕｅＴａｇを使用することによって、将来のシステムメッセージ変化を通知され、ページング方式は主方式である。セルがいくつかのシステム情報を修正することになるときに、基地局は、最初に、現在のシステムメッセージ修正周期におけるすべてのページングメッセージ内のｓｙｓｔｅｍＩｎｆｏＭｏｄｉｆｉｃａｔｉｏｎフィールドを１に設定し、システムメッセージが変わる（が、更新された内容を送信しない）ことを指示し、次いで、セルは次の後続のシステムメッセージ修正周期において更新されたシステム情報を送信する。ページングメッセージを受信し、ｓｙｓｔｅｍＩｎｆｏＭｏｄｉｆｉｃａｔｉｏｎフィールドを検出することによって、端末は、あらかじめ、システムメッセージが変わることを知り、次いで、次のシステムメッセージ修正周期が開始するときに再びすべてのシステムメッセージを受信し得る。
【００９３】
アイドル状態にある端末について、端末のエネルギー消費を低減するために、端末はほとんどの時間においてスリープ状態にある。しかしながら、端末は、ある周期（ＤＲＸサイクル）でウェイクアップし、システムによって周期的に送信されるページングメッセージを受信し、次いで、再びスリープ状態に入る。ＤＲＸサイクルは、ページング周期に等しい。ＬＴＥシステムでは、システムメッセージ修正周期は、ページング周期の整数倍である。すなわち、システム情報が変わる前に、端末は、ページングメッセージを受信し、ページングメッセージからｓｙｓｔｅｍＩｎｆｏＭｏｄｉｆｉｃａｔｉｏｎフィールドを読み出す複数の機会を有し、システム情報が変わったかどうかを示す情報を取得するようにする。ｓｙｓｔｅｍＩｎｆｏＭｏｄｉｆｉｃａｔｉｏｎ＝１である場合、端末は、次のシステムメッセージ修正周期が開始するときに以下の順序でシステム情報を読み出す。
【００９４】
（１）ＭＩＢを読み出す。  
（２）物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視し、システムメッセージ無線ネットワーク一時識別子（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｔｙ、ＳＩ−ＲＮＴＩ）を使用することによってスクランブルされたＰＤＣＣＨ情報に従ってＳＩＢ１の周波数領域スケジューリング情報を取得し、固定された時間領域スケジューリング情報に従ってＳＩＢ１の時間周波数ロケーションを決定し、ＳＩＢ１を読み出す。  
（３）周期などの情報および各ＳＩのスケジューリング情報ならびにＳＩとＳＩＢ１に含まれる他のＳＩＢとの間のマッピング関係に従って各システムメッセージのリソースロケーションを決定する。  
（４）すべてのＳＩメッセージを読み出す。
【００９５】
アイドル状態にある端末について、システムメッセージ修正周期は、ページング周期の整数倍である。すなわち、システムメッセージ修正周期内に、端末は、ページングメッセージを受信する複数の機会を有する。したがって、システムメッセージの変化が現在のＬＴＥシステムにおいてページングメッセージを使用することによって示されることは信頼できる。
【００９６】
しかしながら、上で説明されるように、長いＤＲＸサイクルが使用される場合、たとえば、長いＤＲＸサイクルがＣＩｏＴにおいて使用される場合、ページング周期は、システムメッセージ修正周期よりも長くなり得る。端末がウェイクアップし、ページングメッセージを受信するようになったときに、システム情報（特にページング関係のシステム情報）が変わってしまっていることがある。このケースでは、端末がシステムメッセージを正常に受信できることは保証されることができない。
【００９７】
したがって、ＣＩｏＴなどの長いＤＲＸサイクルシステムでは、システムメッセージの変化がページング方式で通知される現在の方式は、信頼できない。
【００９８】
加えて、ＳＩＢは、各修正周期において同時に変わることはなく、いくつかのＳＩＢのみが変わり得る。別個のｓｙｓｔｅｍＩｎｆｏＭｏｄｉｆｉｃａｔｉｏｎ指示子は、変化があるかどうかのみを示すことができるが、特定の変化を示すことはできない。したがって、端末は、現在のＬＴＥシステムではすべてのシステムメッセージを再び受信する必要があり、これは電力の無駄である。
【００９９】
４．  ＳＩウィンドウ（ＳＩ−ｗｉｎｄｏｗ）およびＳＩメッセージのスケジューリング
現在のＬＴＥシステムでは、各ＳＩメッセージは、１つのＳＩウィンドウのみで伝送される。
【０１００】
（１）１つのＳＩメッセージが１つのＳＩウィンドウに関連付けられ、ＳＩメッセージのみがＳＩウィンドウで送信されることができ、複数回繰り返し送信されることがあるが（送信回数、送信のための特定のサブフレーム、および同様のものは基地局の実装に依存する）、他のＳＩメッセージは送信されることができない。  
（２）ＳＩウィンドウは、隣り同士になっており（ＳＩウィンドウが隣接する場合）、ＳＩウィンドウの間に重なりまたは空きはない。  
（３）すべてのＳＩメッセージのＳＩウィンドウの長さは同じである。  
（４）異なるＳＩメッセージの周期は、互いに独立している。
【０１０１】
現在のＬＴＥシステムでは、ＭＩＢおよびＳＩＢ１の時間領域スケジューリングは固定され、ＳＩメッセージの時間領域スケジューリング処理は次のとおりである。
【０１０２】
（１）端末が、各ＳＩメッセージに対応するＳＩウィンドウの開始位置およびＳＩウィンドウの長さを決定する。
【０１０３】
ＳＩウィンドウの長さは、ＳＩＢ１のＳＩ−ＷｉｎｄｏｗＬｅｎｇｔｈフィールドによって特定され、単位はｍｓである。
【０１０４】
ＳＩＢ１のｓｃｈｅｄｕｌｉｎｇＩｎｆｏＬｉｓｔフィールドはＳＩメッセージリストを特定し、リスト内の各ＳＩメッセージのシーケンス番号はｎ（１から始まる）によって表される。
【０１０５】
このケースでは、各ＳＩメッセージについて、ｘ＝（ｎ−１）＊ｗであり、ｗはＳＩ−ＷｉｎｄｏｗＬｅｎｇｔｈである。ｘはｍｓを単位とすることが知られ得る。
【０１０６】
ＳＩウィンドウの開始フレームは、ＳＦＮ％Ｔ＝ＦＬＯＯＲ（ｘ／１０）を満たし、Ｔは対応するＳＩメッセージの周期であり、ＳＩ−ｐｅｒｉｏｄｉｃｉｔｙ（システムフレームを単位とする、すなわち、１０ｍｓを単位とする）によって特定される。ＳＦＮ％Ｔの演算に従って、異なるＳＩウィンドウが隣同士になることが保証され、ＦＬＯＯＲ（ｘ／１０）は、周期内のＳＩウィンドウの開始システムフレームを決定し（システムフレームは１０ｍｓであり、したがって、ｘ／１０個のシステムフレームがある）、％はｍｏｄ演算を表し、ＦＬＯＯＲは式以下の最大整数を返すことを表し、／は除算演算を表す。
【０１０７】
ＳＩウィンドウの開始サブフレームは＃ａであり、ａ＝ｘ％１０である。
【０１０８】
前述の式から、ｘがＳＩ周期におけるＳＩウィンドウの開始フレームおよび開始サブフレームを決定することが知られてもよく、ＳＦＮ％Ｔは、ＳＩウィンドウがＳＩ周期において１回のみ出現することを保証し、ｘ＝（ｎ−１）＊ｗは、ＳＩウィンドウが隣り同士であり（ＳＩウィンドウが隣接する場合）、ＳＩウィンドウの間に重なりまたは空きがないことを保証する。
【０１０９】
ＳＩウィンドウが決定された後、基地局は、ＳＩウィンドウ内の同じＳＩをスケジューリングする回数を決定し、実装は異なる製造業者に対して異なることがある。しかしながら、いくつかのサブフレームは、ＳＩメッセージをスケジューリングするのに使用されることができず、これらのサブフレームは、
（１）ＳＦＮ％２＝０のシステムフレーム内のサブフレーム５であり、ＳＩＢ１を伝送するために使用されるもの、
（２）マルチキャストブロードキャスト単一周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、ＭＢＳＦＮ）サブフレーム、および
（３）時分割複信（Ｔｉｍｅ  Ｄｉｖｉｓｉｏｎ  Ｄｕｐｌｅｘ、ＴＤＤ）ＬＴＥシステムにおけるアップリンクサブフレーム
を含む。
【０１１０】
５．  他の説明
本発明の実施形態における「システム」および「ネットワーク」という用語は、本明細書では入れ替えて使用されてよい。本明細書における「および／または」という用語は、関連付けられている対象を説明するための関連付け関係のみを説明し、３つの関係が存在し得ることを表す。たとえば、Ａおよび／またはＢは、次の３つのケースを表し得る。Ａのみが存在する、ＡとＢが両方とも存在する、およびＢのみが存在する。加えて、この明細書における文字「／」は、一般的に、関連付けられている対象の間の「または」の関係を示す。
【０１１１】
本出願に含まれる基本概念は、上で説明される。理解を容易にするため、本出願の実施形態における主要な内容および含まれる添付図面は、以下の表１に示される。
【０１１２】
【表１】
2019500770.tif 000047
【０１１３】
実施形態１
図３は、本出願によるワイヤレス通信システムを示しており、ワイヤレス通信システムのアーキテクチャは、本出願のすべての実施形態に適用可能である。
【０１１４】
図３に示されるように、ワイヤレス通信システムは、ネットワークデバイス３０１および少なくとも１つの端末デバイス３０２を含む。
【０１１５】
ネットワークデバイス３０１は、セルにおいてシステムメッセージを送信し、少なくとも１つの端末デバイス３０２は、ネットワークデバイス３０１によって送信されたシステムメッセージを受信する。
【０１１６】
実施形態１で提供されるワイヤレス通信システムの通信標準は、限定はしないが、グローバルシステムフォーモバイルコミュニケーションズ（Ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）ＩＳ−９５、符号分割多元接続（Ｃｏｄｅ  Ｄｉｖｉｓｉｏｎ  Ｍｕｌｔｉｐｌｅ  Ａｃｃｅｓｓ、ＣＤＭＡ）２０００、時分割同期符号分割多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、時分割複信ロングタームエボリューション（Ｔｉｍｅ  Ｄｉｖｉｓｉｏｎ  Ｄｕｐｌｅｘ−Ｌｏｎｇ  Ｔｅｒｍ  Ｅｖｏｌｕｔｉｏｎ、ＴＤＤ  ＬＴＥ）、周波数分割複信ロングタームエボリューション（Ｆｒｅｑｕｅｎｃｙ  Ｄｉｖｉｓｉｏｎ  Ｄｕｐｌｅｘ−Ｌｏｎｇ  Ｔｅｒｍ  Ｅｖｏｌｕｔｉｏｎ、ＦＤＤ  ＬＴＥ）、ロングタームエボリューションアドバンスト（Ｌｏｎｇ  Ｔｅｒｍ  Ｅｖｏｌｕｔｉｏｎ−Ａｄｖａｎｃｅｄ、ＬＴＥ−ａｄｖａｎｃｅｄ）、パーソナルハンディフォンシステム（ｐｅｒｓｏｎａｌ  ｈａｎｄｙｐｈｏｎｅ  ｓｙｓｔｅｍ、ＰＨＳ）、８０２．１１シリーズプロトコルで仕様が定められているワイヤレスフィディリティー（Ｗｉｒｅｌｅｓｓ  Ｆｉｄｅｌｉｔｙ、ＷｉＦｉ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）、および将来の様々な発展したワイヤレス通信システムを含む。
【０１１７】
端末デバイス３０２は、ワイヤレス端末であってよい。ワイヤレス端末は、ユーザのために音声および／またはデータ接続性を提供するデバイス、ワイヤレス接続機能を有するハンドヘルドデバイス、またはワイヤレスモデムに接続される他の処理デバイスを指すものとしてよい。ワイヤレス端末は、無線アクセスネットワーク（ＲＡＮ、Ｒａｄｉｏ  Ａｃｃｅｓｓ  Ｎｅｔｗｏｒｋなど）を使用することによって１つまたは複数のコアネットワークと通信し得る。ワイヤレス端末は、携帯電話（または「セルラー」フォンと称される）などの携帯端末または携帯端末を備えるコンピュータであってよい。たとえば、ワイヤレス端末は、ポータブル、ポケットサイズ、ハンドヘルド、コンピュータ内蔵、または車載型モバイル装置であってよく、無線アクセスネットワークと音声および／またはデータを交換する。たとえば、ワイヤレス端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）などのデバイスであってよい。ワイヤレス端末はまた、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、携帯端末（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）とも称され得る。
【０１１８】
ネットワークデバイス３０１は、基地局、もしくは基地局を制御するための無線リソース管理デバイスを含み得るか、または基地局と基地局を制御するための無線リソース管理部を含み得る。基地局は、マクロ基地局、またはスモールセル（ｓｍａｌｌ  ｃｅｌｌ）またはピコセル（ｐｉｃｏ  ｃｅｌｌ）などのスモールセル基地局であってよい。基地局は、ホームＮｏｄｅＢ（Ｈｏｍｅ  ＮｏｄｅＢ、ＨＮＢ）またはホーム発展型ＮｏｄｅＢ（Ｈｏｍｅ  ｅＮｏｄｅＢ、ＨｅＮＢ）などのホーム基地局であってよい。基地局は、中継ノード（ｒｅｌａｙ）および同様のものを含み得る。
【０１１９】
たとえば、ＴＤＤ  ＬＴＥ、ＦＤＤ  ＬＴＥ、またはＬＴＥ−ＡなどのＬＴＥシステムについては、本発明のこの実施形態において提供されるワイヤレス通信システム内のネットワークデバイス３０１は発展型ＮｏｄｅＢ（ｅｖｏｌｖｅｄ  ＮｏｄｅＢ、ｅＮｏｄｅＢ）であってよく、端末デバイス３０２はＵＥであってよい。ＴＤ−ＳＣＤＭＡシステムまたはＷＣＤＭＡシステムについて、本発明のこの実施形態において提供されるワイヤレス通信システム内のネットワークデバイス３０１はＮｏｄｅＢ（ＮｏｄｅＢ）および／または無線ネットワークコントローラ（Ｒａｄｉｏ  Ｎｅｔｗｏｒｋ  Ｃｏｎｔｒｏｌｌｅｒ、ＲＮＣ）を含んでいてよく、端末デバイス３０２はＵＥであってよい。ＧＳＭシステムについては、本発明のこの実施形態において提供されるネットワークデバイス３０１は、ベーストランシーバ局（Ｂａｓｅ  Ｔｒａｎｓｃｅｉｖｅｒ  Ｓｔａｔｉｏｎ、ＢＴＳ）および／または基地局コントローラ（Ｂａｓｅ  Ｓｔａｔｉｏｎ  Ｃｏｎｔｒｏｌｌｅｒ、ＢＳＣ）を含んでいてよく、端末デバイス３０２は移動局（Ｍｏｂｉｌｅ  Ｓｔａｔｉｏｎ、ＭＳ）である。ＷｉＦｉシステムについては、ネットワークデバイス３０１は、アクセスポイント（Ａｃｃｅｓｓ  Ｐｏｉｎｔ、ＡＰ）および／またはアクセスコントローラ（Ａｃｃｅｓｓ  Ｃｏｎｔｒｏｌｌｅｒ、ＡＣ）を含んでいてよく、端末デバイス３０２は端末局であってよい（Ｓｔａｔｉｏｎ、ＳＴＡ）。
【０１２０】
実施形態１で提供されるワイヤレス通信システムの特定の例は、ＣＩｏＴシステムであってよい。ＣＩｏＴシステムは、高度交通システム、建物制御システム、家庭インテリジェント型制御システム、ビデオ監視システム、および工業用監視などの複数の分野に広く適用される。図４に示されるように、冷蔵庫、電力量計、自動車、または同様のものが、ＣＩｏＴシステムにおける端末デバイス３０２として使用され、基地局、伝送ネットワーク、または同様のものを使用することによって他の端末デバイスと通信することができ、たとえば、電力量計は自動車と通信する。
【０１２１】
実施形態２
図５に示されるように、実施形態２で提供されるシステムメッセージ更新手順は以下のステップを含む。
【０１２２】
Ｓ５０１：ネットワークデバイス３０１がセルにおいて第１のシステムメッセージを送信し、第１のシステムメッセージは第１の指示情報を搬送し、第１の指示情報はシステムメッセージ更新に関係する。
【０１２３】
Ｓ５０２：第１のシステムメッセージを受信した後、端末デバイス３０２が第１のシステムメッセージから第１の指示情報を取得し、第１の指示情報に従って第１のシステムメッセージ以外のシステムメッセージを更新する。
【０１２４】
第１のシステムメッセージは、周期的に送信され、固定された物理リソースロケーションを占有する。端末デバイス３０２は、アイドル状態にあってよく、あらかじめ第１のシステムメッセージのものである送信周期、送信の瞬間、および物理リソースロケーションを知る。端末デバイス３０２は、端末デバイス３０２がウェイクアップしたときに各ＤＲＸサイクルで第１のシステムメッセージを読み出し得る。任意選択で、端末デバイス３０２がウェイクアップした後、端末デバイス３０２は、ページングメッセージを読み出す前に第１のシステムメッセージを読み出し得る。
【０１２５】
第１のシステムメッセージの送信周期は、製品実装に従って、たとえば、４０ｍｓに設定されてよい。
【０１２６】
任意選択で、第１の指示情報が、第１のシステムメッセージ以外のシステムメッセージが更新される必要があることを示す場合に、端末デバイス３０２は、システムメッセージが更新される必要があると決定し、システムメッセージを更新する。第１の指示情報が、第１のシステムメッセージ以外のシステムメッセージが更新される必要がないことを示す場合に、端末デバイス３０２は、システムメッセージが更新される必要がないと決定する。このようにして、他のシステムメッセージを読み出すことなく第１のシステムメッセージから第１の指示情報を読み出すことによって、第１のシステムメッセージ以外のシステムメッセージが読み出される必要があるかどうかが決定されることができ、それによって、節電し、処理負荷を軽減する。
【０１２７】
次に、第１の指示情報のいくつかの任意選択の実装ソリューションを例とともに説明する。
【０１２８】
任意選択のソリューション１
第１の指示情報は、ＶａｌｕｅＴａｇを使用することによって、すべてのシステムメッセージが更新される必要があるかどうかを指示し得る。たとえば、ＶａｌｕｅＴａｇの値の範囲は０〜３１であり、ＶａｌｕｅＴａｇの値は、システムメッセージが更新される毎に１だけ増加する。本明細書において、システムメッセージが更新される毎にということは、システムメッセージ更新周期内に、第１のシステムメッセージ以外のシステムメッセージのうちのいくつかが更新されるならば、システムメッセージが１回更新されることを意味する。ＶａｌｕｅＴａｇの値は、変えられたシステムメッセージの量に関係なく１だけ増加するのみである。このようにして、第１の指示情報内のＶａｌｕｅＴａｇの値が変わったときに、端末デバイス３０２は、システムメッセージが更新される必要があると決定するか、またはＶａｌｕｅＴａｇの値が変わらない場合、端末デバイス３０２は、システムメッセージが更新される必要がないと決定する。
【０１２９】
任意選択のソリューション２
第１の指示情報は、（１＋Ｍ）個のＶａｌｕｅＴａｇフィールドを含む。（１＋Ｍ）個のＶａｌｕｅＴａｇフィールドにおいて、第２のシステムメッセージが更新される必要があるかどうかを示すために１つのＶａｌｕｅＴａｇフィールドが使用される。Ｍ個のＶａｌｕｅＴａｇフィールドは、Ｍ個の通常の第３のシステムメッセージにそれぞれ対応しており、Ｍ個のＶａｌｕｅＴａｇフィールドの各々は、対応する通常の第３のシステムメッセージが更新される必要があるかどうかを示すために使用される。（１＋Ｍ）個のＶａｌｕｅＴａｇフィールドの設定は、任意選択のソリューション１におけるＶａｌｕｅＴａｇのそれらと同じであってよく、Ｍは、正整数である。
【０１３０】
加えて、第１の指示情報は、Ｎ個のアクティベーション指示情報をさらに含んでいてよく、Ｎ個のアクティベーション指示情報は、Ｎ個のアクティベーション関係の第３のシステムメッセージにおける各システムメッセージが更新される必要があるかどうかを示すためにそれぞれ使用される。アクティベーション指示情報の値が「１」である場合、それは、システムメッセージが更新される必要があることを指示し、アクティベーション指示情報の値が「０」である場合、それは、システムメッセージが更新される必要がなく、Ｎは正整数であることを示す。
【０１３１】
任意選択のソリューション３
任意選択で、第１の指示情報は第２の指示情報を含む。
【０１３２】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、バージョンは１回変わる。
【０１３３】
ステップＳ５０２において、端末デバイス３０２が第１の指示情報を取得した後、第２の指示情報によって示される構成バージョンが、端末デバイス３０２によって記録された構成バージョンと異なる場合に、端末デバイス３０２は、第２のシステムメッセージを更新するか、または第２の指示情報によって示される構成バージョンが、端末デバイス３０２によって記録された構成バージョンと同じである場合に、端末デバイス３０２は、第２のシステムメッセージが更新される必要はないと決定する。任意選択で、第２の指示情報も、ＶａｌｕｅＴａｇを使用することによって実装され得る。
【０１３４】
任意選択で、第２のシステムメッセージは、Ｍ個の通常の第３のシステムメッセージにそれぞれ対応しているＭ個の第３の指示情報を含む。第３の指示情報は、対応する通常の第３のシステムメッセージが構成バージョンの最新の変化に関して更新されるかどうかを示すために使用される。第２のシステムメッセージを更新した後に、端末デバイス３０２は、第２のシステムメッセージから少なくとも１つの第３の指示情報を取得する。
【０１３５】
本明細書において、第２の指示情報によって示される構成バージョンが区別される次の複数のケースがあり得る。
【０１３６】
ケース１：
第２の指示情報によって示される構成バージョンは、端末デバイス３０２によって記録された構成バージョンと異なるが、２つの構成バージョンの間に他の異なる構成バージョンはない。
【０１３７】
ケース１において、少なくとも１つの第３の指示情報における各第３の指示情報が、対応する通常の第３のシステムメッセージが構成バージョンの最新の変化に関して更新されないことを示す場合に、端末デバイス３０２は、少なくとも１つの通常の第３のシステムメッセージにおけるいかなるシステムメッセージも更新される必要がないと決定する。
【０１３８】
ケース１において、少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、端末デバイス３０２は、通常の第３のシステムメッセージのものであり、更新された第２のシステムメッセージ内にあるスケジューリング情報に従って通常の第３のシステムメッセージを読み出す。
【０１３９】
ケース２：
第２の指示情報によって示される構成バージョンと端末デバイス３０２によって記録された構成バージョンとの間に他の異なる構成バージョンがある。
【０１４０】
ケース２において、各通常の第３のシステムメッセージについて、端末デバイス３０２は、通常の第３のシステムメッセージのものであり、更新された第２のシステムメッセージ内にあるスケジューリング情報に従って、通常の第３のシステムメッセージを読み出す。
【０１４１】
ケース２において、端末デバイス３０２が各通常の第３のシステムメッセージを更新する必要がある理由は、第２の指示情報によって示される構成バージョンと端末デバイス３０２によって記録された構成バージョンとの間に他の異なる構成バージョンがあり、第２の指示情報は、セル内で現在使用される第２のシステムメッセージと少なくとも１つの通常の第３のシステムメッセージとの組合せの構成バージョンを示すために使用されることにある。これは、端末デバイス３０２が、システムメッセージ更新処理の少なくとも１つの枝をし損なっていることがあり得ることを示している。たとえば、通常の第３のシステムメッセージが以前の構成バージョンに関して変わらないが、以前の構成バージョンよりも前の構成バージョンに関して変わっている場合、対応する第３の指示情報の値は「０」のままである。このケースでは、第３のシステムメッセージに従って、通常の第３のシステムメッセージが更新される必要があるかどうかを決定することは正確でない。したがって、記憶されるシステムメッセージの有効性を確認するために、端末デバイス３０２は、ケース２における各通常の第３のシステムメッセージを更新する必要がある。
【０１４２】
任意選択で、任意選択のソリューション３において、第１の指示情報は、Ｎ個の第４の指示情報をさらに含んでいてよく、Ｎ個の第４の指示情報は、Ｎ個のアクティベーション関係の第３のシステムメッセージにそれぞれ対応しており、セル内の端末デバイスが対応するアクティベーション関係の第３のシステムメッセージを更新する必要があるかどうかを示すために使用される。
【０１４３】
このケースでは、第４の指示情報が、セル内の端末デバイスが対応するアクティベーション関係の第３のシステムメッセージを更新する必要があることを示す場合に、端末デバイス３０２は、対応するアクティベーション関係の第３のシステムメッセージを更新するか、または第４の指示情報が、セル内の端末デバイスが対応するアクティベーション関係の第３のシステムメッセージを更新する必要がないことを示す場合に、端末デバイス３０２は、対応するアクティベーション関係の第３のシステムメッセージが更新される必要がないと決定する。
【０１４４】
前述のいくつかの任意選択のソリューションは、説明のための単なる例であることに留意されたい。実施形態１において、長いＤＲＸサイクルを有する端末デバイス３０２が、システムメッセージを更新するときに、第１のシステムメッセージは、端末デバイス３０２がシステムメッセージを更新する必要があるかどうかを指示し、したがって、端末デバイス３０２がシステムメッセージを更新する必要があるかどうかは、ページングメッセージを使用することによって指示されず、第１のシステムメッセージはネットワークデバイス３０１によって周期的に送信され、固定された物理リソースロケーションを占有する。このようにして、端末デバイス３０２がタイミングよくページングメッセージを読み出すことができない場合であっても、システムメッセージは、タイミングよく更新されることができる。
【０１４５】
次に、ＬＴＥシステムを一例として使用することによって、および図６Ａおよび図６Ｂに示される手順を使用することによって、任意選択のソリューション３を説明している。
【０１４６】
図６Ａおよび図６Ｂに示される手順において、第１のシステムメッセージはＭＩＢメッセージであり、第２のシステムメッセージはＳＩＢ１メッセージであり、少なくとも１つの第３のシステムメッセージはＳＩメッセージであり、少なくとも１つの第３のシステムメッセージは、ＳＩＢ１以外のＳＩＢを伝送するために使用される。少なくとも１つの第３のシステムメッセージは、通常の第３のシステムメッセージであるＳＩ＿ＮＯＲＭおよびアクティベーション関係の第３のシステムメッセージであるＳＩ＿ＡＣＴを含む。たとえば、ＬＴＥシステムにおけるＳＩＢ１４は、拡張型アクセスバーリング（Ｅｘｔｅｎｄｅｄ  Ａｃｃｅｓｓ  Ｂａｒｒｉｎｇ、ＥＡＢ）機能を実装するために主に使用される。端末デバイス３０２は、機能が有効化されるときのみ関係するＳＩＢを読み出す必要がある。
【０１４７】
ＭＩＢおよびＳＩＢ１のリソースロケーションおよび繰り返しの数量は固定される。
【０１４８】
ＳＩＢ１以外のＳＩＢは、ＳＩメッセージに含まれる。ＳＩメッセージは１つのＳＩＢを含み得るか、または複数のＳＩＢを含み得る。ＳＩメッセージが複数のＳＩＢを含む場合、複数のＳＩＢは、同じ周期および同じタイプのＳＩＢである必要がある。任意選択で、通常のＳＩＢによって形成されるＳＩメッセージは、通常のＳＩメッセージと称され、アクティベートされたＳＩＢによって形成されるＳＩメッセージは、アクティベートされたＳＩメッセージと称される。
【０１４９】
第２の指示情報は、ＭＩＢにおけるＶａｌｕｅＴａｇであり、ＶａｌｕｅＴａｇの値は、ＳＩＢ１および通常のＳＩメッセージが変わる毎に（修正周期内の変えられたメッセージの量に関係なく）１だけ増加する。
【０１５０】
ＳＩＢ１は、ＳＩメッセージのスケジューリング情報および周期、ならびにＳＩメッセージに含まれる特定のＳＩＢを含む。Ｍ個の第３の指示情報は、ＳＩＢ１におけるＭ個のＳＩ＿ＡＣＴ＿ＩＮＤフィールドである。ＳＩ＿ＮＯＲＭ＿ＩＮＤの値が０である場合、それは、対応する通常の第３のシステムメッセージが更新されないことを指示し、ＳＩ＿ＮＯＲＭ＿ＩＮＤの値が１である場合、それは、対応する通常の第３のシステムメッセージが更新されることを示す。Ｍ個のＳＩ＿ＮＯＲＭ＿ＩＮＤフィールドは、ビットマップを使用することによって実装され得る。ビットマップは、少なくともＭ個のビットを含み、各ビットは、１つの通常の第３のシステムメッセージに対応している。
【０１５１】
Ｎ個の第４の指示情報は、ＭＩＢにおけるＮ個のＳＩ＿ＡＣＴ＿ＩＮＤフィールドである。ＳＩ＿ＡＣＴ＿ＩＮＤの値が０である場合、それは、対応するアクティベーション関係の第３のシステムメッセージが更新される必要のないことを指示し、ＳＩ＿ＡＣＴ＿ＩＮＤの値が１である場合、それは、対応するアクティベーション関係の第３のシステムメッセージが更新される必要のあることを示す。Ｎ個のＳＩ＿ＡＣＴ＿ＩＮＤフィールドも、ビットマップを使用することによって実装され得る。ビットマップは、少なくともＮ個のビットを含み、各ビットは、１つのアクティベーション関係の第３のシステムメッセージに対応している。
【０１５２】
端末デバイス３０２は、ＶａｌｕｅＴａｇＭＳを保持し、ＶａｌｕｅＴａｇＭＳの値は、最後のシステム情報更新においてＭＩＢから読み出された記録されたＶａｌｕｅＴａｇの値である。
【０１５３】
ＶａｌｕｅＴａｇがシステムメッセージが更新される必要があるかどうかを示すために使用される理由は、端末デバイス３０２がスリープ状態にあるときに、システムメッセージが複数回変わり得ることにある。システムメッセージが偶数回変わった場合、１ビット情報のみでは、システムメッセージが変わったことを示すことができない。ＶａｌｕｅＴａｇは、第２のシステムメッセージおよび通常の第３のシステムメッセージの変化ステータスまたはそれらの組合せの変化ステータスを示すために使用される。
【０１５４】
アクティベーション関係の第３のシステムメッセージについて、端末デバイス３０２は、変化または変化の量に関係なく、対応するアクティベーション指示情報が「１」に設定されるならば、アクティベーション関係の第３のシステムメッセージを読み出す。
【０１５５】
図６Ａおよび図６Ｂに示されるように、この手順は以下のステップを含む。
【０１５６】
Ｓ６０１：アイドル状態にある端末デバイス３０２が、端末デバイス３０２がスリープ状態からウェイクアップした後にＭＩＢを受信し、任意選択で、端末デバイス３０２のＤＲＸサイクルは、システム情報修正周期よりも長い。
【０１５７】
Ｓ６０２：端末デバイス３０２が、すべてのＳＩ＿ＡＣＴ＿ＩＮＤの値が０であるかどうかを決定し、すべてのＳＩ＿ＡＣＴ＿ＩＮＤの値が０である場合、ステップＳ６０３を実行するか、またはいくつかのＳＩ＿ＡＣＴ＿ＩＮＤの値が１である場合、ステップＳ６０４を実行する。
【０１５８】
Ｓ６０３：端末デバイス３０２が、いかなるＳＩ＿ＡＣＴも読み出される必要はないと決定する。
【０１５９】
Ｓ６０４：端末デバイス３０２は、ＭＩＢにおけるＶａｌｕｅＴａｇの値が変わったかどうかを決定し（すなわち、比較を用いて、読み出されたＭＩＢにおけるＶａｌｕｅＴａｇが端末デバイス３０２によって記録されたＶａｌｕｅＴａｇＭＳの値に等しいかどうかを決定し）、ＶａｌｕｅＴａｇの値が変わった場合に、ステップＳ６０６を実行するか、またはＶａｌｕｅＴａｇの値が変わらない場合に、ステップＳ６０５を実行する。
【０１６０】
Ｓ６０５：端末デバイス３０２が、記録された元のＳＩＢ１におけるスケジューリング情報に従ってＳＩ＿ＡＣＴ＿ＩＮＤ値が１であるＳＩ＿ＡＣＴを読み出す。
【０１６１】
Ｓ６０６：端末デバイス３０２がＳＩＢ１を読み出す。
【０１６２】
Ｓ６０７：端末デバイス３０２が、ステップＳ６０６で読み出されたＳＩＢ１におけるスケジューリング情報に従ってＳＩ＿ＡＣＴ＿ＩＮＤ値が１であるＳＩ＿ＡＣＴを読み出す。
【０１６３】
Ｓ６０８：端末デバイス３０２が、ＭＩＢにおけるＶａｌｕｅＴａｇの値が変わったかどうかを決定し、ＶａｌｕｅＴａｇの値が変わらない場合に、ステップＳ６０９を実行するか、またはＶａｌｕｅＴａｇの値が変わった場合に、ステップＳ６１０を実行する。
【０１６４】
Ｓ６０９：端末デバイス３０２が、ＳＩＢ１が読み出される必要がないか、またはいかなるＳＩ＿ＮＯＲＭも読み出される必要がないと決定する。
【０１６５】
Ｓ６１０：端末デバイス３０２が、ＭＩＢにおけるＶａｌｕｅＴａｇの値が端末デバイス３０２によって記録された元のＶａｌｕｅＴａｇの値よりも１つ大きいかどうかを決定し（すなわち、ＭＩＢから読み出されたＶａｌｕｅＴａｇ＝ＶａｌｕｅＴａｇＭＳ＋１かどうかを決定し）、ＶａｌｕｅＴａｇがＶａｌｕｅＴａｇＭＳよりも１つ大きい場合に、ステップＳ６１１を実行するか、またはそうでなければ（すなわち、ＭＩＢから読み出されたＶａｌｕｅＴａｇ＜ＶａｌｕｅＴａｇＭＳ、またはＭＩＢから読み出されたＶａｌｕｅＴａｇ＞ＶａｌｕｅＴａｇＭＳ＋１）、ステップＳ６１２を実行する。
【０１６６】
Ｓ６１１：端末デバイス３０２が、ＳＩＢ１を読み出し、ＳＩＢ１におけるＳＩ＿ＮＯＲＭのスケジューリング情報に従ってすべてのＳＩ＿ＮＯＲＭを読み出す。
【０１６７】
Ｓ６１２：ＳＩＢ１を読み出す。
【０１６８】
Ｓ６１３：端末デバイス３０２が、ＳＩＢ１におけるすべてのＳＩ＿ＮＯＲＭ＿ＩＮＤの値が０であるかどうかを決定し、すべてのＳＩ＿ＮＯＲＭ＿ＩＮＤの値が０である場合、ステップＳ６１４を実行するか、またはそうでなければ、ステップＳ６１５を実行する。
【０１６９】
Ｓ６１４：端末デバイス３０２が、いかなるＳＩ＿ＮＯＲＭも読み出される必要はないと決定する。
【０１７０】
Ｓ６１５：端末デバイス３０２が、読み出されたＳＩＢ１におけるＳＩ＿ＮＯＲＭ＿ＩＮＤ値が１であるＳＩ＿ＮＯＲＭのスケジューリング情報に従ってＳＩ＿ＮＯＲＭ＿ＩＮＤ値が１であるＳＩ＿ＮＯＲＭを読み出す。
【０１７１】
実施形態２において、システムメッセージが更新される必要があると決定したときに、端末デバイス３０２は、システムメッセージを即座に読み出すか、または次のシステムメッセージ更新周期においてシステムメッセージを読み出し得る。
【０１７２】
実施形態２において、システムメッセージ更新ソリューションは、長いＤＲＸサイクルを有する端末デバイスに対して提供される（すなわち、ＤＲＸサイクルはシステムメッセージ更新周期よりも長い）。このソリューションにおいて、端末デバイスは、第１のシステムメッセージにおける第１の指示情報に従ってシステムメッセージを更新し、それにより、アイドル状態にある長いＤＲＸサイクルを有する端末デバイスは、タイミングよくシステムメッセージの変化を正確に取得することができる。
【０１７３】
加えて、任意選択の実装ソリューションにおいて、ネットワークデバイスは、第２の指示情報および第４の指示情報を第１のシステムメッセージに追加し、第３の指示情報を第２のシステムメッセージに追加して、それにより、端末は可能なときに必要なシステムメッセージのみを読み出し、それによって端末デバイスのエネルギー消費を低減する。
【０１７４】
いくつかの任意選択のソリューションにおいて、第３のシステムメッセージは、通常の第３のシステムメッセージおよびアクティベーション関係の第３のシステムメッセージに分類される。第２の指示情報は、第２のシステムメッセージおよび通常の第３のシステムメッセージのみの変化を指示し、別個の第４の指示情報は、アクティベーション関係の第３のシステムメッセージのメッセージの変化を示すために使用される。このようにして、端末デバイスは、可能なときに必要なシステムメッセージのみを読み出し、それによって、端末のエネルギー消費を低減する。
【０１７５】
長いＤＲＸサイクルを有する端末デバイスがタイミングよくページングメッセージを読み出すことができないときに引き起こされるシステムメッセージ更新の失敗という問題は、実施形態２において解決されることができることに留意されたい。しかしながら、実施形態２は、共通のＤＲＸサイクルを有する端末デバイスに適用されてもよく、他のシステムメッセージ更新メカニズムが提供され、メカニズムにおける任意選択のソリューションが使用される。たとえば、ネットワークデバイスは第２の指示情報、第３の指示情報、および第４の指示情報を送信し、それにより端末デバイスは、すべてのシステムメッセージを読み出す代わりに、更新される必要のあるシステムメッセージのみを読み出す。これは、端末デバイスのエネルギー消費を低減することができる。
【０１７６】
実施形態３
実施形態３における何らかの指示情報は、実施形態２のそれと同様の名前を付けられるが、それらは異なる意味を指示し得ることに留意されたい。特定の意味は、実施形態における説明に左右される。
【０１７７】
図７に示されるように、実施形態３で提供されるシステムメッセージ更新手順は以下のステップを含む。
【０１７８】
Ｓ７０１：ネットワークデバイス３０１がセルにおいて第１のシステムメッセージを送信する。
【０１７９】
Ｓ７０２：端末デバイス３０２が、第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合に、ステップＳ７０３およびステップＳ７０４を実行する。
【０１８０】
Ｓ７０３：端末デバイス３０２が、記録されたページング関係のシステムメッセージに従って、ネットワークデバイス３０１によって送信されるページングメッセージを受信する。
【０１８１】
Ｓ７０４：端末デバイス３０２は、受信されたページングメッセージにおけるシステムメッセージ更新に関係する第２の指示情報に従ってシステムメッセージを更新する。
【０１８２】
第１のシステムメッセージ、第２のシステムメッセージ、および第３のシステムメッセージについては、前述の基本概念の部分の説明を参照されたい。
【０１８３】
実施形態３で提供されるシステムメッセージ更新ソリューションにおいて、長いＤＲＸサイクルを有する端末デバイスがタイミングよくページングメッセージを読み出すことができないので引き起こされるシステムメッセージ更新の失敗という問題は解決されることができる。第１に、端末デバイス３０２は、周期的に送信され、固定されたリソースを占有する第１のシステムメッセージから第１の指示情報を読み出し、第１の指示情報に従って、ページング関係のシステムメッセージが変わるかどうかを決定する。このようにして、ページング関係のシステムメッセージが変わらないと決定したときに、端末デバイス３０２は、ページングメッセージを成功裡に受信し、ページングメッセージ内の第２の指示情報に従ってシステムメッセージをさらに更新することができる。
【０１８４】
任意選択で、第２の指示情報は、第３の指示情報、第４の指示情報、および少なくとも１つの第５の指示情報を含む。
【０１８５】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０１８６】
第４の指示情報は、第２のシステムメッセージが構成バージョンの最新の変化に関して更新されるかどうかを示すために使用される。
【０１８７】
１つの第５の指示情報は、１つの第３のシステムメッセージに対応しており、対応する第３のシステムメッセージが構成バージョンの最新の変化に関して更新されるかどうかを示すために使用される。
【０１８８】
任意選択で、第３の指示情報によって示される構成バージョンが、端末デバイス３０２によって記録された構成バージョンと同じである場合に、システムメッセージは更新される必要はないか、または
第３の指示情報によって示される構成バージョンが、端末デバイス３０２によって記録された構成バージョンと異なるが、２つの構成バージョンの間に他の異なる構成バージョンがない場合に、
第４の指示情報が、第２のシステムメッセージが構成バージョンの最新の変化に関して更新されることを示すときに、端末デバイス３０２は、第２のシステムメッセージを更新するか、または
第４の指示情報が、第２のシステムメッセージが構成バージョンの最新の変化に関して更新されないことを示すときに、端末デバイス３０２は、第２のシステムメッセージが更新される必要はないと決定する。
【０１８９】
任意選択で、第３の指示情報によって示される構成バージョンが、端末デバイス３０２によって記録された構成バージョンと異なるが、２つの構成バージョンの間に他の異なる構成バージョンがない場合に、
少なくとも１つの第５の指示情報における各第５の指示情報が、対応する第３のシステムメッセージが構成バージョンの最新の変化に関して更新されないことを示すときに、端末デバイス３０２は、少なくとも１つの第３のシステムメッセージにおけるいかなるシステムメッセージも更新される必要がないと決定するか、または
少なくとも１つの第５の指示情報における１つまたは複数の第５の指示情報が、対応する第３のシステムメッセージが構成バージョンの最新の変化に関して更新されることを示すときに、端末デバイス３０２は、各更新された第３のシステムメッセージを更新する。
【０１９０】
任意選択で、第３の指示情報によって示される構成バージョンが、端末デバイス３０２によって記録された構成バージョンと異なるが、２つの構成バージョンの間に他の異なる構成バージョンがない場合に、
端末デバイス３０２は第２のシステムメッセージを更新し、
端末デバイス３０２は、少なくとも１つの第３のシステムメッセージのものであり、更新された第２のシステムメッセージ内にあるスケジューリング情報に従って各第３のシステムメッセージを更新する。
【０１９１】
任意選択で、第１の指示情報が、ページング関係のシステムメッセージが更新されることを示す場合に、端末デバイス３０２は、第２のシステムメッセージを更新し、
第６の指示情報、および少なくとも１つの第７の指示情報を、第２のシステムメッセージから取得し、
第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
１つの第７の指示情報は、１つの第３のシステムメッセージに対応しており、対応する第３のシステムメッセージが構成バージョンの最新の変化に関して更新されるかどうかを示すために使用され、
端末デバイス３０２は、第６の指示情報、および少なくとも１つの第７の指示情報に従ってシステムメッセージを更新する。
【０１９２】
任意選択で、第６の指示情報によって示される構成バージョンが、端末デバイス３０２によって記録された構成バージョンと異なるが、２つの構成バージョンの間に他の異なる構成バージョンがない場合に、少なくとも１つの第７の指示情報によって示される各更新された第３のシステムメッセージについて、端末デバイス３０２は、第３のシステムメッセージを更新するか、または
第６の指示情報によって示される構成バージョンが、端末デバイス３０２によって記録された構成バージョンと異なり、２つの構成バージョンの間に他の異なる構成バージョンがある場合に、端末デバイス３０２は、少なくとも１つの第３のシステムメッセージにおける各システムメッセージを更新する。
【０１９３】
次に、ＬＴＥシステムを一例として使用することによって実施形態３で提供されるシステムメッセージ更新ソリューションを説明する。
【０１９４】
第１のシステムメッセージはＭＩＢメッセージであり、第２のシステムメッセージはＳＩＢ１メッセージであり、少なくとも１つの第３のシステムメッセージはＳＩメッセージであり、少なくとも１つの第３のシステムメッセージは、ＳＩＢ１以外のＳＩＢを伝送するために使用される。
【０１９５】
ＭＩＢおよびＳＩＢ１のリソースロケーションおよび繰り返しの量は固定される。
【０１９６】
ＳＩＢ１以外のＳＩＢは、ＳＩメッセージに含まれる。ＳＩメッセージは１つのＳＩＢを含み得るか、または複数のＳＩＢを含み得る。ＳＩメッセージが複数のＳＩＢを含む場合、複数のＳＩＢは、同じ周期および同じタイプのＳＩＢである必要がある。
【０１９７】
第１の指示情報は、ＭＩＢにおけるＶａｌｕｅＴａｇＰａｇｉｎｇであり、ＶａｌｕｅＴａｇＰａｇｉｎｇの値は、ページング関係のシステムメッセージが変わる毎に１だけ増加する。
【０１９８】
第２の指示情報は、ページングメッセージ内に第３の指示情報、第４の指示情報、および少なくとも１つの第５の指示情報を含む。
【０１９９】
第３の指示情報はＶａｌｕｅＴａｇであり、セル内で現在使用されるＳＩＢ１メッセージと少なくとも１つのＳＩメッセージとの組合せの構成バージョンを示すために使用される。１つのシステムメッセージ更新周期において、ＳＩＢ１メッセージおよび少なくとも１つのＳＩメッセージにおけるいずれか１つまたは複数のシステムメッセージについての更新について、構成バージョンは１回変わる。
【０２００】
第４の指示情報は、１ビットＳＩＢ１変化指示情報であり、ＳＩＢ１が構成バージョンの最新の変化に関して更新されるかどうかを示すために使用される。
【０２０１】
少なくとも１つの第５の指示情報は、Ｋ個のＳＩ＿ＩＮＤフィールドである。ＳＩ＿ＩＮＤの値が０である場合、それは、対応するＳＩメッセージが更新されないことを指示し、ＳＩ＿ＩＮＤの値が１である場合、それは対応するＳＩメッセージが更新されることを示す。Ｋ個のＳＩ＿ＩＮＤフィールドは、ビットマップを使用することによって実装され得る。ビットマップは、少なくともＫ個のビットを含み、各ビットは、１つのＳＩメッセージに対応している。
【０２０２】
ＳＩＢ１は、第６の指示情報、および少なくとも１つの第７の指示情報を含む。
【０２０３】
第６の指示情報は、ＳＩＢ１におけるＶａｌｕｅＴａｇであり、ＳＩＢ１におけるＶａｌｕｅＴａｇの意味は、ページングメッセージ内のＶａｌｕｅＴａｇのそれと同じである。
【０２０４】
少なくとも１つの第７の指示情報は、ＳＩＢ１におけるＫ個のＳＩ＿ＩＮＤフィールドであり、Ｋ個のＳＩ＿ＩＮＤフィールドの意味は、ページングメッセージ内のＫ個のＳＩ＿ＩＮＤフィールドのそれと同じである。
【０２０５】
端末デバイス３０２は、ＶａｌｕｅＴａｇＭＳおよびＶａｌｕｅＴａｇＰａｇｉｎｇＭＳを保持する。ＶａｌｕｅＴａｇＰａｇｉｎｇＭＳの値は、最後のシステムメッセージ更新においてＭＩＢから読み出された記録されたＶａｌｕｅＴａｇＰａｇｉｎｇの値であり、ＶａｌｕｅＴａｇＭＳの値は、最後のシステムメッセージ更新においてページングメッセージまたは第２のシステムメッセージから読み出される、記録されたＶａｌｕｅＴａｇの値である。
【０２０６】
ＶａｌｕｅＴａｇがシステムメッセージが更新される必要があるかどうかを示すために使用される理由は、端末デバイス３０２がスリープ状態にあるときに、システムメッセージが複数回変わり得ることにある。システムメッセージが偶数回変わった場合、１ビット情報のみでは、システムメッセージが変わったことを示すことができない。
【０２０７】
次に、アイドル状態にある端末デバイス３０２を一例として使用することによってシステムメッセージ更新処理を説明する。
【０２０８】
アイドル状態にある端末がスリープ状態からウェイクアップした後、端末はＭＩＢを読み出す。
【０２０９】
次に、ＭＩＢから読み出されたＶａｌｕｅＴａｇＰａｇｉｎｇの異なる値に従って異なるケースを説明する。
【０２１０】
ケース１：ＶａｌｕｅＴａｇＰａｇｉｎｇＭＳ＝ＭＩＢから読み出されたＶａｌｕｅＴａｇＰａｇｉｎｇ
端末デバイス３０２は、ページングメッセージを受信する。次に、ページングメッセージから読み出されたＶａｌｕｅＴａｇの異なる値を説明する。
【０２１１】
サブケース１：ページングメッセージから読み出されたＶａｌｕｅＴａｇ＝ＶａｌｕｅＴａｇＭＳ＋１
ケース１におけるサブケース１において、ページングメッセージから読み出されたＳＩＢ１変化指示情報が、ＳＩＢ１が変わることを示す場合に、端末デバイス３０２はＳＩＢ１を読み出す。ページングメッセージから読み出されたＫ個のＳＩ＿ＩＮＤフィールドが、ＳＩメッセージが変わることを示す場合、端末デバイス３０２は、ＳＩＢ１におけるＳＩスケジューリング情報に従って変えられたＳＩメッセージを読み出し、ＶａｌｕｅＴａｇＭＳ＝ＶａｌｕｅＴａｇと設定する。
【０２１２】
サブケース２：ページングメッセージから読み出されたＶａｌｕｅＴａｇ＜ＶａｌｕｅＴａｇＭＳ、またはページングメッセージから読み出されたＶａｌｕｅＴａｇ＞ＶａｌｕｅＴａｇＭＳ＋１
ケース１におけるサブケース２において、端末デバイス３０２はＳＩＢ１を読み出し、ＳＩＢ１におけるＳＩメッセージスケジューリング情報に従って再びすべてのＳＩメッセージを読み出し、ＶａｌｕｅＴａｇＭＳ＝ＶａｌｕｅＴａｇと設定する。
【０２１３】
ケース２：ＶａｌｕｅＴａｇＰａｇｉｎｇＭＳ≠ＭＩＢから読み出されたＶａｌｕｅＴａｇＰａｇｉｎｇ
ケース２において、端末デバイス３０２はＳＩＢ１を読み出し、ＳＩＢ１から読み出されたＶａｌｕｅＴａｇの値に従って次の２つのサブケースがある。
【０２１４】
サブケース１：ＳＩＢ１から読み出されたＶａｌｕｅＴａｇ＝ＶａｌｕｅＴａｇＭＳ＋１
ケース２におけるサブケース１において、端末デバイス３０２は、ＳＩＢ１におけるＫ個のＳＩ＿ＩＮＤフィールドおよびＳＩスケジューリング情報に従って変えられたＳＩメッセージを読み出し、ＶａｌｕｅＴａｇＭＳ＝ＳＩＢから読み出されたＶａｌｕｅＴａｇと設定する。
【０２１５】
サブケース２：ＳＩＢ１から読み出されたＶａｌｕｅＴａｇ＜ＶａｌｕｅＴａｇＭＳ、またはＳＩＢ１から読み出されたＶａｌｕｅＴａｇ＞ＶａｌｕｅＴａｇＭＳ＋１
ケース２におけるサブケース２において、端末デバイス３０２はすべてのＳＩメッセージを再び読み出し、ＳＩＢ１から読み出されたＶａｌｕｅＴａｇ＝ＶａｌｕｅＴａｇＭＳと設定する。
【０２１６】
加えて、ケース２において、端末デバイス３０２は、ＭＩＢから読み出されたＶａｌｕｅＴａｇＰａｇｉｎｇ＝ＶａｌｕｅＴａｇＰａｇｉｎｇＭＳと設定する。
【０２１７】
実施形態３において、システムメッセージ更新ソリューションは、長いＤＲＸサイクルを有する端末デバイスに対して提供される（すなわち、ＤＲＸサイクルはシステムメッセージ更新周期よりも長い）。このソリューションにおいて、ページング関係のシステムメッセージが変わらない場合、アイドル状態にある端末デバイスは、ページングメッセージを使用することによってシステムメッセージ変化情報を取得し得る。
【０２１８】
加えて、端末デバイスによるシステムメッセージを読み出すためのメカニズムは、実施形態３におけるいくつかのソリューションで最適化される。複数の指示情報が、ページングメッセージで運ばれ、複数の指示情報は、ＳＩＢ１メッセージで運ばれ、それにより端末は可能なときに必要なシステムメッセージのみを読み出し、端末のエネルギー消費を低減する。
【０２１９】
長いＤＲＸサイクルを有する端末デバイスは、通常、システムメッセージを更新することができないという問題は、実施形態３において解決されることができるが、短いＤＲＸサイクルを有する端末デバイスに対して新しいシステムメッセージ更新ソリューションがさらに提供され、それによって、システムメッセージを更新する成功率を改善することに留意されたい。
【０２２０】
実施形態４
図８に示されるように、実施形態４で提供されるシステムメッセージ更新手順は以下のステップを含む。
【０２２１】
Ｓ８０１：ネットワークデバイス３０１がセルにおいてページングメッセージを送信する。
【０２２２】
Ｓ８０２：端末デバイス３０２が、ネットワークデバイス３０１によって送信されたページングメッセージを受信し、ページングメッセージからシステムメッセージ更新指示情報を取得する。
【０２２３】
第１のシステムメッセージ、第２のシステムメッセージ、および少なくとも１つの第３のシステムメッセージにおける各システムメッセージについて、システムメッセージ更新指示情報は、端末デバイス３０２がシステムメッセージを更新する必要があるかどうかを示す。
【０２２４】
Ｓ８０３：端末デバイス３０２が、取得されたシステムメッセージ更新指示情報に従ってシステムメッセージを更新する。
【０２２５】
第１のシステムメッセージ、第２のシステムメッセージ、および第３のシステムメッセージについては、前述の基本概念の部分の説明を参照されたい。
【０２２６】
実施形態２および実施形態３の両方において、長いＤＲＸサイクルを有する端末デバイス３０２のシステムメッセージ更新問題が解決されることができる。実施形態４において、新しいシステムメッセージ更新ソリューションは、短いＤＲＸサイクルを有する端末デバイス３０２に対して提供される（ＤＲＸサイクルはシステムメッセージ更新周期よりも長くなく、さらに、システムメッセージ更新周期は、ＤＲＸサイクルの整数倍であってよい）。ページングメッセージ内のシステムメッセージ更新指示情報が、各システムメッセージについて設定される、すなわち、システムメッセージ更新指示情報は、第１のシステムメッセージ、第２のシステムメッセージ、および少なくとも１つの第３のシステムメッセージにおける各システムメッセージについて設定される。したがって、各システムメッセージの変化ステータスは、正確に示されることができる。このケースでは、端末デバイス３０２がシステムメッセージを更新するときに、端末デバイス３０２は、変えられたシステムメッセージについてのみ更新を行う必要があり、それによって、デバイスエネルギー消費を低減する。
【０２２７】
任意選択で、各システムメッセージのシステムメッセージ更新指示情報は、ビットマップを使用することによって実装されてよく、各ビットは、１つのシステムメッセージに対応している。ビットが０であるときに、それは、対応するシステムメッセージが変わらないことを指示し、ビットが１であるときに、それは、対応するシステムメッセージが変わることを示す。
【０２２８】
任意選択で、少なくとも１つの第３のシステムメッセージは、アクティベーション関係の第３のシステムメッセージおよび通常の第３のシステムメッセージを含み得る。任意選択で、第１のシステムメッセージ、第２のシステムメッセージ、および通常の第３のシステムメッセージについて、対応するシステムメッセージ更新指示情報が１であるときに、端末デバイス３０２は、次のシステムメッセージ更新周期内に対応するシステムメッセージを読み出し得る。アクティベーション関係の第３のシステムメッセージについて、対応するシステムメッセージ更新指示情報が１であるときに、端末デバイス３０２は、アクティベーション関係の第３のシステムメッセージを即座に読み出し得る。
【０２２９】
実施形態５
図９Ａに示されるように、実施形態５で提供されるシステムメッセージ伝送手順は以下のステップを含む。
【０２３０】
Ｓ９０１：各送信されるシステムメッセージについて、ネットワークデバイス３０１が、システムメッセージを送信するために使用される開始位置、送信周期、および繰り返しの量を決定する。
【０２３１】
Ｓ９０２：端末デバイス３０２が、各受信されるシステムメッセージを送信するために使用される開始位置、送信周期、および繰り返しの量を決定する。
【０２３２】
Ｓ９０３：各送信されるシステムメッセージについて、ネットワークデバイス３０１が、システムメッセージを送信するために使用される決定された開始位置、送信周期、および繰り返しの量に従ってシステムメッセージを送信し、端末デバイス３０２が、各システムメッセージを送信するために使用される決定された開始位置、送信周期、および繰り返しの量に従ってシステムメッセージを受信する。
【０２３３】
システムメッセージを２回送信する間の時間間隔において、１つまたは複数の他のシステムメッセージが含まれる。
【０２３４】
実施形態５で提供されるソリューションは、前述の実施形態のうちのいずれか１つに適用可能である。ネットワークデバイス３０１は、繰り返される送信の２回のステップの処理で他のシステムメッセージを送信する。このケースでは、システムメッセージを受信した後、端末デバイス３０２は、システムメッセージウィンドウを待つことなく他のシステムメッセージを受信し、それによってシステムメッセージ更新効率を改善し得る。
【０２３５】
以下では、任意選択のソリューション１および任意選択のソリューション２を別々に説明する。実施形態４の特定の実装および効果を例示するため２つの任意選択のソリューションが比較される。
【０２３６】
任意選択のソリューション１：ネットワークデバイス３０１がＳＩウィンドウにおいて同じシステムメッセージを繰り返し送信する。
【０２３７】
任意選択のソリューション２：ネットワークデバイス３０１がシステムメッセージを２回送信する間の時間間隔で他のシステムメッセージを送信する。
【０２３８】
次に、図９Ｂを参照しつつ任意選択のソリューション１を説明する。
【０２３９】
任意選択のソリューション１
任意選択のソリューション１の適用シナリオは、ＣＩｏＴにおけるカバレッジ拡張要件を実装するために、ネットワークデバイス３０１は、ＳＩウィンドウで同じＳＩメッセージを繰り返し送信する必要がある。
【０２４０】
任意選択のソリューション１において、ＳＩメッセージ伝送に対する周波数領域リソースは固定され、変調符号化方式および同様のものも固定され、時間領域スケジューリングのみが実行される必要があると仮定される。
【０２４１】
ＳＩＢ１で運ばれるスケジューリング情報は、ＳＩｎ、ｎ＝１，２，．．．，Ｎのサイズのみ（システムメッセージＳＩｎのサイズＳnに従って、カバレッジ拡張を保証するために必要な繰り返しの数Ｍnが知られ得る）ならびにＳＩメッセージをスケジューリングするための開始フレーム番号Ｔ0および開始サブフレーム番号ｔ0を含み、Ｎは正整数である。
【０２４２】
任意選択のソリューション１において、ＳＩウィンドウは、順次配置され、ＳＩウィンドウの間に重なりまたは空きはない。
【０２４３】
対応するウィンドウ内でＭn回、ＳＩｎ、ｎ＝１，２，．．．，Ｎを伝送するために必要なサブフレームの量は、
【０２４４】
【数１】
2019500770.tif 000048
【０２４５】
であり、ｒは、固定された周波数領域リソースおよび固定された変調符号化方式を使用することによって１つのサブフレームで伝送されることができるビットの量である。
【０２４６】
ＳＩｎ、ｎ＝１，２，．．．，Ｎについて、開始フレーム番号は
【０２４７】
【数２】
2019500770.tif 000049
【０２４８】
であり、開始サブフレーム番号は
【０２４９】
【数３】
2019500770.tif 000050
【０２５０】
であり、終了フレーム番号は
【０２５１】
【数４】
2019500770.tif 000051
【０２５２】
であり、終了サブフレーム番号は
【０２５３】
【数５】
2019500770.tif 000052
【０２５４】
である。
【０２５５】
端末は、前述の時間領域空間内でＳＩｎを受信するものとしてよく、ｏｆｆｓｅｔiは、オフセットされたサブフレームの量である。システム内のいくつかの使用されるサブフレーム、たとえば、ＭＩＢおよびＳＩＢ１を伝送するためのサブフレームが固定され、したがって、これらのサブフレームは、選り分けられる必要がある。この規則は、端末デバイス３０２およびネットワークデバイス３０１の両方について固定され、特定のオフセットされたサブフレームの量は、システム設計に従って計算を用いて取得され得る。
【０２５６】
図９Ｂを参照すると、任意選択のソリューション１において、ＳＩメッセージが時間に関して順次スケジューリングされることが前述の説明から知られ得る。より良好なカバレッジを有する端末デバイスについては、ＳＩは、受信を数回だけ実行することによって、または繰り返される伝送を１回実行するだけでも取得され得る。しかしながら、システムメッセージは、すべての以前のシステムメッセージの繰り返される伝送が完了したときのみ受信される。これは、端末デバイス（特に、より良好なカバレッジを有する端末デバイス）の節電に有利なことではない。したがって、図９Ｃに示されるように、任意選択のソリューション２は、重なり合うＳＩウィンドウを使用するシステムメッセージ送信ソリューションを提供する。
【０２５７】
任意選択のソリューション２
任意選択のソリューション２において、システムメッセージＳＩｎ、ｎ＝１，２，．．．，Ｎは、サブフレームを単位として順次配置され、Ｎは正整数である。
【０２５８】
端末デバイス３０２はデータフレーム内の（ｔ0＋ｎ＋ｉ＊Ｎ−１＋ｏｆｆｓｅｔn,i）ｍｏｄ１０番目のサブフレーム内のＳＩｎを受信するものとしてよく、そのデータフレームのフレーム番号は
【０２５９】
【数６】
2019500770.tif 000053
【０２６０】
であり、ここで
【０２６１】
【数７】
2019500770.tif 000054
【０２６２】
であり、ｏｆｆｓｅｔn,iはＳＩｎを繰り返し送信するｉ番目の回数のオフセットされたサブフレームの量である。
【０２６３】
任意選択のソリューション２において、より良好なカバレッジを有する端末について、システムメッセージを受信するためにいくつかのサブフレームのみが必要であってよい。そのような端末について、任意選択のソリューション２におけるスケジューリングソリューションは、カバレッジ拡張のために実行されるリソース位置決定および十分な繰り返される伝送を実装することができ、比較的高いカバレッジレベルを有する端末の節電にさらに有利である。
【０２６４】
実施形態６
図１０は、本出願の実施形態６による第１のタイプの端末デバイスの概略構造図である。図に示されるように、デバイスは、
端末デバイスが配置されるセルの第１のシステムメッセージを受信するように構成される受信モジュール１００１と、
処理モジュール１００２であって、受信モジュール１００１によって受信された第１のシステムメッセージから第１の指示情報を取得し、第１の指示情報は、第１のシステムメッセージ以外のシステムメッセージを更新するために使用される情報を含み、取得された第１の指示情報に従って第１のシステムメッセージ以外のシステムメッセージを更新するように構成される、処理モジュール１００２とを含む。
【０２６５】
第１のシステムメッセージは、周期的に送信され、固定された物理リソースロケーションを占有する。
【０２６６】
任意選択で、処理モジュール１００２によって更新される第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０２６７】
第２のシステムメッセージは、少なくとも２つの第３のシステムメッセージのスケジューリング情報を含む。
【０２６８】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０２６９】
任意選択で、第１の指示情報が第２の指示情報を含み、第２の指示情報は、セル内で現在使用される第２のシステムメッセージと少なくとも１つの通常の第３のシステムメッセージとの組合せの構成バージョンを示すために使用され、１つのシステムメッセージ更新周期において、第２のシステムメッセージおよび少なくとも１つの通常の第３のシステムメッセージにおけるいずれか１つまたは複数のシステムメッセージについての更新について、構成バージョンが１回変わるときに、処理モジュール１００２は、
第２の指示情報によって示される構成バージョンが、端末デバイスによって記録された構成バージョンと異なる場合に、第２のシステムメッセージを更新するか、または
第２の指示情報によって示される構成バージョンが、端末デバイスによって記録された構成バージョンと同じである場合に、第２のシステムメッセージが更新される必要はないと決定する、ように特に構成される。
【０２７０】
任意選択で、処理モジュール１００２は、
第２のシステムメッセージが、少なくとも１つの第３の指示情報を含み、１つの第３の指示情報が、１つの通常の第３のシステムメッセージに対応しており、対応する通常の第３のシステムメッセージが構成バージョンの最新の変化に関して更新されるかどうかを示すために使用されるときに、第２のシステムメッセージが更新された後に第２のシステムメッセージから少なくとも１つの第３の指示情報を取得し、
第２の指示情報によって示される構成バージョンが、端末デバイスによって記録された構成バージョンと異なるが、２つの構成バージョンの間に他の異なる構成バージョンがない場合に、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいかなるシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って、通常の第３のシステムメッセージを読み出すように受信モジュール１００１を制御するオペレーションを実行する、ように特に構成される。
【０２７１】
任意選択で、処理モジュール１００２は、
第２の指示情報によって示される構成バージョンと端末デバイスによって記録された構成バージョンとの間に他の異なる構成バージョンがある場合に、
各通常の第３のシステムメッセージについて、通常の第３のシステムメッセージのものであり、更新された第２のシステムメッセージ内にあるスケジューリング情報に従って、受信モジュール１００１を、通常の第３のシステムメッセージを読み出すように制御するように特に構成される。
【０２７２】
任意選択で、処理モジュール１００２は、
第１の指示情報が、少なくとも１つの第４の指示情報をさらに含み、１つの第４の指示情報が、１つのアクティベーション関係の第３のシステムメッセージに対応しており、セル内の端末デバイスが対応するアクティベーション関係の第３のシステムメッセージを更新する必要があるかどうかを示すために使用されるときに、
第４の指示情報が、セル内の端末デバイスが対応するアクティベーション関係の第３のシステムメッセージを更新する必要があることを示す場合に、対応するアクティベーション関係の第３のシステムメッセージを更新するか、または
第４の指示情報が、セル内の端末デバイスが対応するアクティベーション関係の第３のシステムメッセージを更新する必要がないことを示す場合に、対応するアクティベーション関係の第３のシステムメッセージが更新される必要がないと決定するように特に構成される。
【０２７３】
端末デバイスの様々な任意選択の実装については、実施形態２における端末デバイス３０２のオペレーションを参照されたい。受信モジュール１００１は、端末デバイス３０２の受信オペレーションを実行するように構成され、処理モジュール１００２は、端末デバイス３０２の処理オペレーションを実行するように構成される。
【０２７４】
受信モジュール１００１は、受信機によって実装されてよく、処理モジュール１００２は、プロセッサによって実装されてよい。
【０２７５】
端末デバイスは、実施形態１０で提供される方法を実行するように構成され得る。
【０２７６】
実施形態７
図１１は、本出願の実施形態７による第２のタイプの端末デバイスの概略構造図である。図に示されるように、デバイスは、
端末デバイスが配置されるセルの第１のシステムメッセージを受信するように構成される受信機１１０１と、
プロセッサ１１０２であって、受信機１１０１によって受信された第１のシステムメッセージから第１の指示情報を取得し、第１の指示情報は、第１のシステムメッセージ以外のシステムメッセージを更新するために使用される情報を含み、取得された第１の指示情報に従って第１のシステムメッセージ以外のシステムメッセージを更新するように構成される、プロセッサ１１０２とを含む。
【０２７７】
第１のシステムメッセージは、周期的に送信され、固定された物理リソースロケーションを占有する。
【０２７８】
受信機１１０１の様々な任意選択の実装については、受信モジュール１００１を参照し、プロセッサ１１０２の様々な任意選択の実装については、処理モジュール１００２を参照されたい。
【０２７９】
端末デバイスは、実施形態１０で提供される方法を実行するように構成され得る。
【０２８０】
実施形態８
図１２は、本出願の実施形態８による第１のタイプのネットワークデバイスの概略構造図である。図に示されるように、デバイスは、
第１のシステムメッセージを決定するように構成される処理モジュール１２０１であって、第１のシステムメッセージは、第１の指示情報を含み、第１の指示情報は、第１のシステムメッセージ以外のシステムメッセージを更新するために使用される情報を含む、処理モジュール１２０１と、
セル内で、処理モジュール１２０１によって決定された第１のシステムメッセージを送信するように構成される送信モジュール１２０２とを含む。
【０２８１】
第１のシステムメッセージは、周期的に送信され、固定された物理リソースロケーションを占有する。
【０２８２】
任意選択で、送信モジュール１２０２は、
セルにおける第１のシステムメッセージ以外のシステムメッセージを送信するようにさらに構成される。
【０２８３】
第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０２８４】
第２のシステムメッセージは、少なくとも２つの第３のシステムメッセージのスケジューリング情報を含む。
【０２８５】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０２８６】
任意選択で、送信モジュール１２０２によって送信される第１の指示情報は第２の指示情報を含む。
【０２８７】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０２８８】
任意選択で、送信モジュール１２０２によって送信される第２のシステムメッセージは少なくとも１つの第３の指示情報を含む。
【０２８９】
１つの第３の指示情報は、１つの通常の第３のシステムメッセージに対応しており、対応する通常の第３のシステムメッセージが構成バージョンの最新の変化に関して更新されるかどうかを示すために使用される。
【０２９０】
任意選択で、送信モジュール１２０２によって送信される第１の指示情報は少なくとも１つの第４の指示情報を含む。
【０２９１】
１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０２９２】
ネットワークデバイスの他の任意選択の実装については、実施形態２におけるネットワークデバイス３０１のオペレーションを参照されたい。処理モジュール１２０１は、ネットワークデバイス３０１の処理オペレーションを実行するように構成され、送信モジュール１２０２は、ネットワークデバイス３０１の送信オペレーションを実行するように構成される。
【０２９３】
処理モジュール１２０１は、プロセッサによって実装されてよく、送信モジュール１２０２は、送信機によって実装されてよい。
【０２９４】
ネットワークデバイスは、実施形態１１で提供される方法を実行するように構成され得る。
【０２９５】
実施形態９
図１３は、本出願の実施形態９による第２のタイプのネットワークデバイスの概略構造図である。図に示されるように、デバイスは、
第１のシステムメッセージを決定するように構成されるプロセッサ１３０１であって、第１のシステムメッセージは、第１の指示情報を含み、第１の指示情報は、第１のシステムメッセージ以外のシステムメッセージを更新するために使用される情報を含む、プロセッサ１３０１と、
セル内で、プロセッサ１３０１によって決定された第１のシステムメッセージを送信するように構成される送信機１３０２とを含む。
【０２９６】
第１のシステムメッセージは、周期的に送信され、固定された物理リソースロケーションを占有する。
【０２９７】
プロセッサ１３０１の他の任意選択の実装については、処理モジュール１２０１を参照し、送信機１３０２の他の任意選択の実装については、送信モジュール１２０２を参照されたい。
【０２９８】
ネットワークデバイスは、実施形態１１で提供される方法を実行するように構成され得る。
【０２９９】
実施形態１０
図１４は、本出願の実施形態１０による第１のシステムメッセージ更新方法のフローチャートである。図に示されるように、手順は、次のステップを含む。
【０３００】
Ｓ１４０１：第１の端末デバイスが、第１の端末デバイスが配置されるセルの第１のシステムメッセージを受信する。
【０３０１】
Ｓ１４０２：第１の端末デバイスが、第１のシステムメッセージから第１の指示情報を取得し、第１の指示情報は、第１のシステムメッセージ以外のシステムメッセージを更新するために使用される情報を含む。
【０３０２】
Ｓ１４０３：第１の端末デバイスは、取得された第１の指示情報に従って第１のシステムメッセージ以外のシステムメッセージを更新する。
【０３０３】
第１のシステムメッセージは、周期的に送信され、固定された物理リソースロケーションを占有する。
【０３０４】
任意選択で、第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０３０５】
第２のシステムメッセージは、少なくとも２つの第３のシステムメッセージのスケジューリング情報を含む。
【０３０６】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０３０７】
任意選択で、第１の指示情報は第２の指示情報を含む。
【０３０８】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０３０９】
第１の端末デバイスが取得された第１の指示情報に従って第１のシステムメッセージ以外のシステムメッセージを更新することは、
第２の指示情報によって示される構成バージョンが、第１の端末デバイスによって記録された構成バージョンと異なる場合に、第１の端末デバイスが第２のシステムメッセージを更新するか、または
第２の指示情報によって示される構成バージョンが、第１の端末デバイスによって記録された構成バージョンと同じである場合に、第１の端末デバイスが第２のシステムメッセージが更新される必要はないと決定することを含む。
【０３１０】
任意選択で、第２のシステムメッセージは、少なくとも１つの第３の指示情報を含み、１つの第３の指示情報は、１つの通常の第３のシステムメッセージに対応しており、対応する通常の第３のシステムメッセージが構成バージョンの最新の変化に関して更新されるかどうかを示すために使用される。
【０３１１】
第１の端末デバイスは第２のシステムメッセージを更新した後に、手順は、第１の端末デバイスが第２のシステムメッセージから少なくとも１つの第３の指示情報を取得することをさらに含む。
【０３１２】
第１の端末デバイスが取得された第１の指示情報に従って第１のシステムメッセージ以外のシステムメッセージを更新することは、
第２の指示情報によって示される構成バージョンが、第１の端末デバイスによって記録された構成バージョンと異なるが、２つの構成バージョンの間に他の異なる構成バージョンがない場合に、第１の端末デバイスが、次のオペレーション：
少なくとも１つの第３の指示情報における各第３の指示情報が、対応する通常の第３のシステムメッセージが構成バージョンの最新の変化に関して更新されないことを示す場合に、少なくとも１つの通常の第３のシステムメッセージにおけるいかなるシステムメッセージも更新される必要がないと決定するオペレーション、または
少なくとも１つの第３の指示情報における１つまたは複数の第３の指示情報が、対応する通常の第３のシステムメッセージが構成バージョンの最新の変化に関して更新されることを示す場合に、各更新された通常の第３のシステムメッセージについて、通常の第３のシステムメッセージのものであり、更新された第２のシステムメッセージ内にあるスケジューリング情報に従って通常の第３のシステムメッセージを読み出すオペレーションを実行することをさらに含む。
【０３１３】
任意選択で、第１の端末デバイスが取得された第１の指示情報に従って第１のシステムメッセージ以外のシステムメッセージを更新することは、
第２の指示情報によって示される構成バージョンと第１の端末デバイスによって記録された構成バージョンとの間に他の異なる構成バージョンがある場合に、各通常の第３のシステムメッセージについて、第１の端末デバイスが、通常の第３のシステムメッセージのものであり、更新された第２のシステムメッセージ内にあるスケジューリング情報に従って、通常の第３のシステムメッセージを読み出すことをさらに含む。
【０３１４】
任意選択で、第１の指示情報は、少なくとも１つの第４の指示情報をさらに含み、１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０３１５】
第１の端末デバイスが取得された第１の指示情報に従って第１のシステムメッセージ以外のシステムメッセージを更新することは、
第４の指示情報が、セル内の端末デバイスが対応するアクティベーション関係の第３のシステムメッセージを更新する必要があることを示す場合に、第１の端末デバイスが、対応するアクティベーション関係の第３のシステムメッセージを更新するか、または
第４の指示情報が、セル内の端末デバイスが対応するアクティベーション関係の第３のシステムメッセージを更新する必要がないことを示す場合に、第１の端末デバイスが、対応するアクティベーション関係の第３のシステムメッセージが更新される必要がないと決定することをさらに含む。
【０３１６】
方法の他の任意選択の実装については、実施形態２における端末デバイス３０２の処理を参照されたい。
【０３１７】
実施形態１１
図１５は、本出願の実施形態１１による第２のシステムメッセージ更新方法のフローチャートである。図に示されるように、手順は、次のステップを含む。
【０３１８】
Ｓ１５０１：ネットワークデバイスが第１のシステムメッセージを決定し、第１のシステムメッセージは、第１の指示情報を含み、第１の指示情報は、第１のシステムメッセージ以外のシステムメッセージを更新するために使用される情報を含む。
【０３１９】
Ｓ１５０２：ネットワークデバイスがセルにおいて決定された第１のシステムメッセージを送信する。
【０３２０】
第１のシステムメッセージは、周期的に送信され、固定された物理リソースロケーションを占有する。
【０３２１】
任意選択で、手順は、
ネットワークデバイスが、セルにおける第１のシステムメッセージ以外のシステムメッセージを送信することをさらに含む。
【０３２２】
第１のシステムメッセージ以外のシステムメッセージは、第２のシステムメッセージおよび少なくとも２つの第３のシステムメッセージを含み、少なくとも２つの第３のシステムメッセージは、少なくとも１つの通常の第３のシステムメッセージおよび少なくとも１つのアクティベーション関係の第３のシステムメッセージを含む。
【０３２３】
第２のシステムメッセージは、少なくとも２つの第３のシステムメッセージのスケジューリング情報を含む。
【０３２４】
アクティベーション関係の第３のシステムメッセージは、セルの特定の機能がアクティベートされたときにセル内の端末デバイスによって取得される必要があるシステムメッセージを含み、通常の第３のシステムメッセージは、アクティベーション関係の第３のシステムメッセージ以外の少なくとも２つの第３のシステムメッセージにおける第３のシステムメッセージである。
【０３２５】
任意選択で、第１の指示情報は第２の指示情報を含む。
【０３２６】
第２の指示情報は、セル内で現在使用される第２のシステムメッセージと少なくとも１つの通常の第３のシステムメッセージとの組合せの構成バージョンを示すために使用される。１つのシステムメッセージ更新周期において、第２のシステムメッセージおよび少なくとも１つの通常の第３のシステムメッセージにおけるいずれか１つまたは複数のシステムメッセージについての更新について、構成バージョンは１回変わる。
【０３２７】
任意選択で、第２のシステムメッセージは、少なくとも１つの第３の指示情報を含む。
【０３２８】
１つの第３の指示情報は、１つの通常の第３のシステムメッセージに対応しており、対応する通常の第３のシステムメッセージが構成バージョンの最新の変化に関して更新されるかどうかを示すために使用される。
【０３２９】
任意選択で、第１の指示情報は、少なくとも１つの第４の指示情報をさらに含む。
【０３３０】
１つの第４の指示情報は、１つのアクティベーション関係の第３のシステムメッセージに対応しており、セル内の端末デバイスが対応するアクティベーション関係の第３のシステムメッセージを更新する必要があるかどうかを示すために使用される。
【０３３１】
方法の他の任意選択の実装については、実施形態２におけるネットワークデバイス３０１の処理を参照されたい。
【０３３２】
実施形態１２
図１６は、本出願の実施形態１２による第３のタイプの端末デバイスの概略構造図である。図に示されるように、デバイスは、
端末デバイスが配置されるセルの第１のシステムメッセージを受信するように構成される受信モジュール１６０１であって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信モジュール１６０１と、
受信モジュール１６０１によって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合、記録されたページング関係のシステムメッセージに従ってページングメッセージを受信するように受信モジュール１６０１を制御し、受信モジュール１６０１によって受信されたページングメッセージ内のシステムメッセージ更新に関係する第２の指示情報に従ってシステムメッセージを更新するように構成される、処理モジュール１６０２とを含む。
【０３３３】
任意選択で、受信モジュール１６０１によって受信される第２の指示情報は、第３の指示情報、第４の指示情報、および少なくとも１つの第５の指示情報を含む。
【０３３４】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３３５】
第４の指示情報は、第２のシステムメッセージが構成バージョンの最新の変化に関して更新されるかどうかを示すために使用される。
【０３３６】
１つの第５の指示情報は、１つの第３のシステムメッセージに対応しており、対応する第３のシステムメッセージが構成バージョンの最新の変化に関して更新されるかどうかを示すために使用される。
【０３３７】
任意選択で、処理モジュール１６０２は、
第３の指示情報によって示される構成バージョンが、端末デバイスによって記録された構成バージョンと同じである場合に、システムメッセージが更新される必要はないと決定するか、または
第３の指示情報によって示される構成バージョンが、端末デバイスによって記録された構成バージョンと異なるが、２つの構成バージョンの間に他の異なる構成バージョンがない場合に、第４の指示情報が、第２のシステムメッセージが構成バージョンの最新の変化に関して更新されることを示すときに、第２のシステムメッセージを更新するか、または第４の指示情報が、第２のシステムメッセージが構成バージョンの最新の変化に関して更新されないことを示すときに、第２のシステムメッセージが更新される必要はないと決定するように特に構成される。
【０３３８】
任意選択で、処理モジュール１６０２は、
第３の指示情報によって示される構成バージョンが、端末デバイスによって記録された構成バージョンと異なるが、２つの構成バージョンの間に他の異なる構成バージョンがない場合に、
少なくとも１つの第５の指示情報における各第５の指示情報が、対応する第３のシステムメッセージが構成バージョンの最新の変化に関して更新されないことを示すときに、少なくとも１つの第３のシステムメッセージにおけるいかなるシステムメッセージも更新される必要がないと決定するか、または
少なくとも１つの第５の指示情報における１つまたは複数の第５の指示情報が、対応する第３のシステムメッセージが構成バージョンの最新の変化に関して更新されることを示すときに、各更新された第３のシステムメッセージを更新するように特に構成される。
【０３３９】
任意選択で、処理モジュール１６０２は、
第３の指示情報によって示される構成バージョンが、端末デバイスによって記録された構成バージョンと異なるが、２つの構成バージョンの間に他の異なる構成バージョンがない場合に、
第２のシステムメッセージを更新し、
少なくとも１つの第３のシステムメッセージのものであり、更新された第２のシステムメッセージ内にあるスケジューリング情報に従って各第３のシステムメッセージを更新するように特に構成される。
【０３４０】
任意選択として、処理モジュール１６０２は、
第１の指示情報が、ページング関係のシステムメッセージが更新されることを示す場合に、第２のシステムメッセージを更新し、
第６の指示情報、および少なくとも１つの第７の指示情報を、第２のシステムメッセージから取得し、第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、１つの第７の指示情報は、１つの第３のシステムメッセージに対応しており、対応する第３のシステムメッセージが構成バージョンの最新の変化に関して更新されるかどうかを示すために使用され、
第６の指示情報、および少なくとも１つの第７の指示情報に従ってシステムメッセージを更新するようにさらに構成される。
【０３４１】
任意選択で、処理モジュール１６０２は、
第６の指示情報によって示される構成バージョンが、端末デバイスによって記録された構成バージョンと異なるが、２つの構成バージョンの間に他の異なる構成バージョンがない場合に、少なくとも１つの第７の指示情報によって示される各更新された第３のシステムメッセージについて、第３のシステムメッセージを更新するか、または
第６の指示情報によって示される構成バージョンが、端末デバイスによって記録された構成バージョンと異なり、２つの構成バージョンの間に他の異なる構成バージョンがある場合に、少なくとも１つの第３のシステムメッセージにおける各システムメッセージを更新するように特に構成される。
【０３４２】
端末デバイスの様々な任意選択の実装については、実施形態３における端末デバイス３０２のオペレーションを参照されたい。受信モジュール１６０１は、端末デバイス３０２の受信オペレーションを実行するように構成され、処理モジュール１６０２は、端末デバイス３０２の処理オペレーションを実行するように構成される。
【０３４３】
受信モジュール１６０１は、受信機によって実装されてよく、処理モジュール１６０２は、プロセッサによって実装されてよい。
【０３４４】
端末デバイスは、実施形態１６で提供される方法を実行するように構成され得る。
【０３４５】
実施形態１３
図１７は、本出願の実施形態１３による第４のタイプの端末デバイスの概略構造図である。図に示されるように、デバイスは、
端末デバイスが配置されるセルの第１のシステムメッセージを受信するように構成される受信機１７０１であって、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む、受信機１７０１と、
プロセッサ１７０２であって、受信機１７０１によって受信された第１のシステムメッセージから第１の指示情報を取得し、第１の指示情報は、ページング関係のシステムメッセージが更新されるかどうかを示すために使用され、第１の指示情報が、ページング関係のシステムメッセージが更新されないことを示す場合に、記録されたページング関係のシステムメッセージに従ってページングメッセージを受信するように受信機１７０１を制御し、受信機１７０１によって受信されたページングメッセージ内のシステムメッセージ更新に関係する第２の指示情報に従ってシステムメッセージを更新するように構成されるプロセッサ１７０２とを含む。
【０３４６】
受信機１７０１の他の任意選択の実装については、受信モジュール１６０１を参照し、プロセッサ１７０２の他の任意選択の実装については、処理モジュール１６０２を参照されたい。
【０３４７】
端末デバイスは、実施形態１６で提供される方法を実行するように構成され得る。
【０３４８】
実施形態１４
図１８は、本出願の実施形態１４による第３のタイプのネットワークデバイスの概略構造図である。図に示されるように、デバイスは、
第１のシステムメッセージを決定するように構成される処理モジュール１８０１であって、第１のシステムメッセージは、第１の指示情報を含み、第１の指示情報は、ページング関係のシステムメッセージが更新されるかどうかを示すために使用される、処理モジュール１８０１と、
セル内で、処理モジュール１８０１によって決定された第１のシステムメッセージを送信するように構成される送信モジュール１８０２とを含む。
【０３４９】
処理モジュール１８０１は、ページングメッセージを決定するようにさらに構成され、ページングメッセージは、システムメッセージ更新に関係する第２の指示情報を含む。
【０３５０】
送信モジュール１８０２が、セル内で、処理モジュール１８０１によって決定されたページングメッセージを送信するようにさらに構成される。
【０３５１】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３５２】
任意選択で、送信モジュール１８０２によって送信されるページングメッセージ内の第２の指示情報は、第３の指示情報、第４の指示情報、および少なくとも１つの第５の指示情報を含む。
【０３５３】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３５４】
第４の指示情報は、第２のシステムメッセージが構成バージョンの最新の変化に関して更新されるかどうかを示すために使用される。
【０３５５】
１つの第５の指示情報は、１つの第３のシステムメッセージに対応しており、対応する第３のシステムメッセージが構成バージョンの最新の変化に関して更新されるかどうかを示すために使用される。
【０３５６】
任意選択で、送信モジュール１８０２によって送信される第２のシステムメッセージは、第６の指示情報、および少なくとも１つの第７の指示情報を含む。
【０３５７】
第６の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３５８】
１つの第７の指示情報は、１つの第３のシステムメッセージに対応しており、対応する第３のシステムメッセージが構成バージョンの最新の変化に関して更新されるかどうかを示すために使用される。
【０３５９】
ネットワークデバイスの他の任意選択の実装については、実施形態３におけるネットワークデバイス３０１のオペレーションを参照されたい。処理モジュール１８０１は、ネットワークデバイス３０１の処理オペレーションを実行するように構成され、送信モジュール１８０２は、ネットワークデバイス３０１の送信オペレーションを実行するように構成される。
【０３６０】
処理モジュール１８０１は、プロセッサによって実装されてよく、送信モジュール１８０２は、送信機によって実装されてよい。
【０３６１】
ネットワークデバイスは、実施形態１７で提供される方法を実行するように構成され得る。
【０３６２】
実施形態１５
図１９は、本出願の実施形態１５による第４のタイプのネットワークデバイスの概略構造図である。図に示されるように、デバイスは、
第１のシステムメッセージを決定するように構成される、プロセッサ１９０１であって、第１のシステムメッセージは、第１の指示情報を含み、第１の指示情報は、ページング関係のシステムメッセージが更新されるかどうかを示すために使用される、プロセッサ１９０１と、
セル内で、プロセッサ１９０１によって決定された第１のシステムメッセージを送信するように構成される、送信機１９０２とを含む。
【０３６３】
プロセッサ１９０１は、ページングメッセージを決定するようにさらに構成され、ページングメッセージは、システムメッセージ更新に関係する第２の指示情報を含む。
【０３６４】
送信機１９０２は、セル内で、プロセッサ１９０１によって決定されたページングメッセージを送信するようにさらに構成される。
【０３６５】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３６６】
プロセッサ１９０１の他の任意選択の実装については、処理モジュール１８０１を参照し、送信機１９０２の他の任意選択の実装については、送信モジュール１８０２を参照されたい。
【０３６７】
ネットワークデバイスは、実施形態１７で提供される方法を実行するように構成され得る。
【０３６８】
実施形態１６
図２０は、本出願の実施形態１６による第３のシステムメッセージ更新方法のフローチャートである。図に示されるように、手順は、次のステップを含む。
【０３６９】
Ｓ２００１：第１の端末デバイスが、第１の端末デバイスが配置されるセルの第１のシステムメッセージを受信し、セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３７０】
Ｓ２００２：第１の端末デバイスが、第１のシステムメッセージから第１の指示情報を取得し、第１の指示情報は、ページング関係のシステムメッセージが更新されるかどうかを示すために使用される。
【０３７１】
Ｓ２００３：第１の指示情報が、ページング関係のシステムメッセージが更新されないことを示す場合に、第１の端末デバイスが記録されたページング関係のシステムメッセージに従ってページングメッセージを受信し、第１の端末デバイスは、受信されたページングメッセージにおけるシステムメッセージ更新に関係する第２の指示情報に従ってシステムメッセージを更新する。
【０３７２】
任意選択で、第２の指示情報は、第３の指示情報、第４の指示情報、および少なくとも１つの第５の指示情報を含む。
【０３７３】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３７４】
第４の指示情報は、第２のシステムメッセージが構成バージョンの最新の変化に関して更新されるかどうかを示すために使用される。
【０３７５】
１つの第５の指示情報は、１つの第３のシステムメッセージに対応しており、対応する第３のシステムメッセージが構成バージョンの最新の変化に関して更新されるかどうかを示すために使用される。
【０３７６】
任意選択で、第１の端末デバイスが、受信されたページングメッセージにおけるシステムメッセージ更新に関係する第２の指示情報に従ってシステムメッセージを更新することは、
第３の指示情報によって示される構成バージョンが、第１の端末デバイスによって記録された構成バージョンと同じである場合に、第１の端末デバイスがシステムメッセージが更新される必要はないと決定すること、または
第３の指示情報によって示される構成バージョンが、第１の端末デバイスによって記録された構成バージョンと異なるが、２つの構成バージョンの間に他の異なる構成バージョンがない場合に、
第４の指示情報が、第２のシステムメッセージが構成バージョンの最新の変化に関して更新されることを示すときに、第１の端末デバイスが第２のシステムメッセージを更新すること、または
第４の指示情報が、第２のシステムメッセージが構成バージョンの最新の変化に関して更新されないことを示すときに、第１の端末デバイスが、第２のシステムメッセージが更新される必要はないと決定することを含む。
【０３７７】
任意選択で、第１の端末デバイスが、受信されたページングメッセージにおけるシステムメッセージ更新に関係する第２の指示情報に従ってシステムメッセージを更新することは、
第３の指示情報によって示される構成バージョンが、第１の端末デバイスによって記録された構成バージョンと異なるが、２つの構成バージョンの間に他の異なる構成バージョンがない場合に、
少なくとも１つの第５の指示情報における各第５の指示情報が、対応する第３のシステムメッセージが構成バージョンの最新の変化に関して更新されないことを示すときに、第１の端末デバイスが、少なくとも１つの第３のシステムメッセージにおけるいかなるシステムメッセージも更新される必要がないと決定すること、または
少なくとも１つの第５の指示情報における１つまたは複数の第５の指示情報が、対応する第３のシステムメッセージが構成バージョンの最新の変化に関して更新されることを示すときに、第１の端末デバイスが、各更新された第３のシステムメッセージを更新することをさらに含む。
【０３７８】
任意選択で、第１の端末デバイスが、受信されたページングメッセージにおけるシステムメッセージ更新に関係する第２の指示情報に従ってシステムメッセージを更新することは、
第３の指示情報によって示される構成バージョンが、第１の端末デバイスによって記録された構成バージョンと異なるが、２つの構成バージョンの間に他の異なる構成バージョンがない場合に、
第１の端末デバイスが第２のシステムメッセージを更新し、
第１の端末デバイスが、少なくとも１つの第３のシステムメッセージのものであり、更新された第２のシステムメッセージ内にあるスケジューリング情報に従って各第３のシステムメッセージを更新することを含む。
【０３７９】
任意選択で、手順は、
第１の指示情報が、ページング関係のシステムメッセージが更新されることを示す場合に、第１の端末デバイスが、第２のシステムメッセージを更新し、
第６の指示情報、および少なくとも１つの第７の指示情報を、第２のシステムメッセージから取得し、
第６の指示情報は、セル内で現在使用される第２のシステムメッセージと少なくとも１つの第３のシステムメッセージとの組合せの構成バージョンを示すために使用され、１つのシステムメッセージ更新周期において、第２のシステムメッセージおよび少なくとも１つの第３のシステムメッセージにおけるいずれか１つまたは複数のシステムメッセージについての更新について、構成バージョンは１回変わり、
１つの第７の指示情報は、１つの第３のシステムメッセージに対応しており、対応する第３のシステムメッセージが構成バージョンの最新の変化に関して更新されるかどうかを示すために使用されること、および
第１の端末デバイスが、第６の指示情報、および少なくとも１つの第７の指示情報に従ってシステムメッセージを更新することをさらに含む。
【０３８０】
任意選択で、第１の端末デバイスが、第６の指示情報、および少なくとも１つの第７の指示情報に従ってシステムメッセージを更新することは、
第６の指示情報によって示される構成バージョンが、第１の端末デバイスによって記録された構成バージョンと異なるが、２つの構成バージョンの間に他の異なる構成バージョンがない場合に、少なくとも１つの第７の指示情報によって示される各更新された第３のシステムメッセージについて、第１の端末デバイスが、第３のシステムメッセージを更新すること、または
第６の指示情報によって示される構成バージョンが、第１の端末デバイスによって記録された構成バージョンと異なり、２つの構成バージョンの間に他の異なる構成バージョンがある場合に、第１の端末デバイスが、少なくとも１つの第３のシステムメッセージにおける各システムメッセージを更新することを含む。
【０３８１】
方法の他の任意選択の実装については、実施形態３における端末デバイス３０２のオペレーションを参照されたい。
【０３８２】
実施形態１７
図２１は、本出願の実施形態１７による第４のシステムメッセージ更新方法のフローチャートである。図に示されるように、手順は、次のステップを含む。
【０３８３】
Ｓ２１０１：ネットワークデバイスが第１のシステムメッセージを決定し、第１のシステムメッセージは、第１の指示情報を含み、第１の指示情報は、ページング関係のシステムメッセージが更新されるかどうかを示すために使用される。
【０３８４】
Ｓ２１０２：ネットワークデバイスがセルにおいて決定された第１のシステムメッセージを送信する。
【０３８５】
Ｓ２１０３：ネットワークデバイスがページングメッセージを決定し、ページングメッセージは、システムメッセージ更新に関係する第２の指示情報を含む。
【０３８６】
Ｓ２１０４：ネットワークデバイスがセルにおいて決定されたページングメッセージを送信する。
【０３８７】
セルのシステムメッセージは、第１のシステムメッセージ、第２のシステムメッセージ、および少なくとも１つの第３のシステムメッセージを含み、第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。
【０３８８】
２つのステップＳ２１０１およびＳ２１０２と２つのステップＳ２１０３およびＳ２１０４との間のシーケンスは制限されない。ステップＳ２１０１およびＳ２１０２がステップＳ２１０３およびＳ２１０４の前に実行され得るか、またはステップＳ２１０３およびＳ２１０４がステップＳ２１０１およびＳ２１０２の前に実行され得る。
【０３８９】
任意選択で、第２の指示情報は、第３の指示情報、第４の指示情報、および少なくとも１つの第５の指示情報を含む。
【０３９０】
第３の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３９１】
第４の指示情報は、第２のシステムメッセージが構成バージョンの最新の変化に関して更新されるかどうかを示すために使用される。
【０３９２】
１つの第５の指示情報は、１つの第３のシステムメッセージに対応しており、対応する第３のシステムメッセージが構成バージョンの最新の変化に関して更新されるかどうかを示すために使用される。
【０３９３】
任意選択で、第２のシステムメッセージは、第６の指示情報、および少なくとも１つの第７の指示情報を含む。
【０３９４】
第６の指示情報は、セル内で現在使用される第２のシステムメッセージと少なくとも１つの第３のシステムメッセージとの組合せの構成バージョンを示すために使用される。１つのシステムメッセージ更新周期において、第２のシステムメッセージおよび少なくとも１つの第３のシステムメッセージにおけるいずれか１つまたは複数のシステムメッセージについての更新について、構成バージョンは１回変わる。
【０３９５】
１つの第７の指示情報は、１つの第３のシステムメッセージに対応しており、対応する第３のシステムメッセージが構成バージョンの最新の変化に関して更新されるかどうかを示すために使用される。
【０３９６】
方法の他の任意選択の実装については、実施形態３におけるネットワークデバイス３０１のオペレーションを参照されたい。
【０３９７】
実施形態１８
図２２は、本出願の実施形態１８による第５のタイプの端末デバイスの概略構造図である。図に示されるように、デバイスは、
端末デバイスが配置されるセルのページングメッセージを受信するように構成される受信モジュール２２０１であって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信モジュール２２０１と、
受信モジュール２２０１によって受信されるシステムメッセージ更新指示情報に従ってシステムメッセージを更新するように構成される処理モジュール２２０２とを含む。
【０３９８】
第１のシステムメッセージは、周期的に送信され、固定された物理リソースロケーションを占有する。
【０３９９】
第２のシステムメッセージは、少なくとも１つの第３のシステムメッセージのスケジューリング情報を含む。
【０４００】
端末デバイスの他の任意選択の実装については、実施形態４における端末デバイス３０２のオペレーションを参照されたい。受信モジュール２２０１は、端末デバイス３０２の受信オペレーションを実行するように構成され、処理モジュール２２０２は、端末デバイス３０２の処理オペレーションを実行するように構成される。
【０４０１】
受信モジュール２２０１は、受信機によって実装されてよく、処理モジュール２２０２は、プロセッサによって実装されてよい。
【０４０２】
端末デバイスは、実施形態２２で提供される方法を実行するように構成され得る。
【０４０３】
実施形態１９
図２３は、本出願の実施形態１９による第６のタイプの端末デバイスの概略構造図である。図に示されるように、デバイスは、
端末デバイスが配置されるセルのページングメッセージを受信するように構成される受信機２３０１であって、ページングメッセージは、システムメッセージ更新指示情報を含み、
第１のシステムメッセージ、第２のシステムメッセージ、および少なくとも１つの第３のシステムメッセージにおける各システムメッセージについて、システムメッセージ更新指示情報は、端末デバイスが配置されるセル内の端末デバイスがシステムメッセージを更新する必要があるかどうかを示す、受信機２３０１と、
受信機２３０１によって受信されるシステムメッセージ更新指示情報に従ってシステムメッセージを更新するように構成されるプロセッサ２３０２とを含む。
【０４０４】
第１のシステムメッセージは、周期的に送信され、固定された物理リソースロケーションを占有する。
【０４０５】
第２のシステムメッセージは、少なくとも１つの第３のシステムメッセージのスケジューリング情報を含む。
【０４０６】
受信機２３０１の他の任意選択の実装については、受信モジュール２２０１を参照し、プロセッサ２３０２の他の任意選択の実装については、処理モジュール２２０２を参照されたい。
【０４０７】
端末デバイスは、実施形態２２で提供される方法を実行するように構成され得る。
【０４０８】
実施形態２０
図２４は、本出願の実施形態２０による第５のタイプのネットワークデバイスの概略構造図である。図に示されるように、デバイスは、
ページングメッセージを決定するように構成される、処理モジュール２４０１であって、ページングメッセージは、システムメッセージ更新指示情報を含む、処理モジュール２４０１と、
セル内で、処理モジュール２４０１によって決定されたページングメッセージを送信するように構成される、送信モジュール２４０２とを含む。
【０４０９】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４１０】
第１のシステムメッセージは、周期的に送信され、固定された物理リソースロケーションを占有する。第２のシステムメッセージは、少なくとも１つの第３のシステムメッセージのスケジューリング情報を含む。
【０４１１】
ネットワークデバイスの他の任意選択の実装については、実施形態４におけるネットワークデバイス３０１のオペレーションを参照されたい。処理モジュール２４０１は、ネットワークデバイス３０１の処理オペレーションを実行するように構成され、送信モジュール２４０２は、ネットワークデバイス３０１の送信オペレーションを実行するように構成される。
【０４１２】
ネットワークデバイスは、実施形態２３で提供される方法を実行するように構成され得る。
【０４１３】
実施形態２１
図２５は、本出願の実施形態２１による第６のタイプのネットワークデバイスの概略構造図である。図に示されるように、デバイスは、
ページングメッセージを決定するように構成される、プロセッサ２５０１であって、ページングメッセージは、システムメッセージ更新指示情報を含む、プロセッサ２５０１と、
セル内で、プロセッサ２５０１によって決定されたページングメッセージを送信するように構成される、送信機２５０２とを含む。
【０４１４】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４１５】
第１のシステムメッセージは、周期的に送信され、固定された物理リソースロケーションを占有する。第２のシステムメッセージは、少なくとも１つの第３のシステムメッセージのスケジューリング情報を含む。
【０４１６】
プロセッサ２５０１の他の任意選択の実装については、処理モジュール２４０１を参照し、送信機２５０２の他の任意選択の実装については、送信モジュール２４０２を参照されたい。
【０４１７】
ネットワークデバイスは、実施形態２３で提供される方法を実行するように構成され得る。
【０４１８】
実施形態２２
図２６は、本出願の実施形態２２による第５のシステムメッセージ更新方法のフローチャートである。図に示されるように、手順は、次のステップを含む。
【０４１９】
Ｓ２６０１：第１の端末デバイスが、第１の端末デバイスが配置されるセルのページングメッセージを受信し、ページングメッセージは、システムメッセージ更新指示情報を含む。
【０４２０】
第１のシステムメッセージ、第２のシステムメッセージ、および少なくとも１つの第３のシステムメッセージにおける各システムメッセージについて、システムメッセージ更新指示情報は、第１の端末デバイスが配置されるセル内の端末デバイスがシステムメッセージを更新する必要があるかどうかを示す。
【０４２１】
Ｓ２６０２：第１の端末デバイスは、システムメッセージ更新指示情報に従ってシステムメッセージを更新する。
【０４２２】
第１のシステムメッセージは、周期的に送信され、固定された物理リソースロケーションを占有する。
【０４２３】
第２のシステムメッセージは、少なくとも１つの第３のシステムメッセージのスケジューリング情報を含む。
【０４２４】
方法の他の任意選択の実装については、実施形態４における端末デバイス３０２の処理を参照されたい。
【０４２５】
実施形態２３
図２７は、本出願の実施形態２３による第６のシステムメッセージ更新方法のフローチャートである。図に示されるように、手順は、次のステップを含む。
【０４２６】
Ｓ２７０１：ネットワークデバイスがページングメッセージを決定し、ページングメッセージは、システムメッセージ更新指示情報を含む。
【０４２７】
Ｓ２７０２：ネットワークデバイスがセルにおいてページングメッセージを送信する。
【０４２８】
第１のシステムメッセージ、第２のシステムメッセージ、および少なくとも１つの第３のシステムメッセージにおける各システムメッセージについて、システムメッセージ更新指示情報は、セル内の端末デバイスがシステムメッセージを更新する必要があるかどうかを示す。
【０４２９】
第１のシステムメッセージは、周期的に送信され、固定された物理リソースロケーションを占有する。第２のシステムメッセージは、少なくとも１つの第３のシステムメッセージのスケジューリング情報を含む。
【０４３０】
方法の他の任意選択の実装については、実施形態４におけるネットワークデバイス３０１の処理を参照されたい。
【０４３１】
実施形態２４
図２８は、本出願の実施形態２４による第７のタイプの端末デバイスの概略構造図である。図に示されるように、デバイスは、
処理モジュール２８０１であって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成される処理モジュール２８０１と、
受信モジュール２８０２であって、少なくとも１つのシステムメッセージにおける各システムメッセージについて、ネットワークデバイスによってシステムメッセージを送信するために使用され、かつ処理モジュール２８０１によって決定される開始位置、送信周期、および繰り返しの量に従ってシステムメッセージを受信するように構成される受信モジュール２８０２とを含む。
【０４３２】
システムメッセージを２回送信する間の時間間隔において、１つまたは複数の他のシステムメッセージがネットワークデバイスによって送信される。
【０４３３】
端末デバイスの他の任意選択の実装については、実施形態５における端末デバイス３０２のオペレーションを参照されたい。処理モジュール２８０１は、端末デバイス３０２の処理オペレーションを実行するように構成され、受信モジュール２８０２は、端末デバイス３０２の受信オペレーションを実行するように構成される。
【０４３４】
処理モジュール２８０１は、プロセッサによって実装されてよく、受信モジュール２８０２は、受信機によって実装されてよい。
【０４３５】
端末デバイスは、実施形態２８で提供される方法を実行するように構成され得る。
【０４３６】
実施形態２５
図２９は、本出願の実施形態２５による第８のタイプの端末デバイスの概略構造図である。図に示されるように、デバイスは、
プロセッサ２９０１であって、端末デバイスが少なくとも１つのシステムメッセージを受信する必要があると決定し、少なくとも１つのシステムメッセージにおける各システムメッセージについて、ネットワークデバイスによってシステムメッセージを送信するために使用される開始位置、送信周期、および繰り返しの量を決定するように構成されるプロセッサ２９０１と、
受信機２９０２であって、少なくとも１つのシステムメッセージにおける各システムメッセージについて、ネットワークデバイスによってシステムメッセージを送信するために使用され、プロセッサ２９０１によって決定される開始位置、送信周期、および繰り返しの量に従ってシステムメッセージを受信するように構成される受信機２９０２とを含む。
【０４３７】
システムメッセージを２回送信する間の時間間隔において、１つまたは複数の他のシステムメッセージがネットワークデバイスによって送信される。
【０４３８】
プロセッサ２９０１の他の任意選択の実装については、処理モジュール２８０１を参照し、受信機２９０２の他の任意選択の実装については、受信モジュール２８０２を参照されたい。
【０４３９】
端末デバイスは、実施形態２８で提供される方法を実行するように構成され得る。
【０４４０】
実施形態２６
図３０は、本出願の実施形態２６による第７のタイプのネットワークデバイスの概略構造図である。図に示されるように、デバイスは、
処理モジュール３００１であって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成される処理モジュール３００１と、
送信モジュール３００２であって、処理モジュール３００１によって決定された少なくとも１つのシステムメッセージにおける各システムメッセージについて、システムメッセージを送信するために使用される決定された開始位置、送信周期、および繰り返しの量に従ってシステムメッセージを送信するように構成される送信モジュール３００２とを含む。
【０４４１】
システムメッセージを２回送信する間の時間間隔において、１つまたは複数の他のシステムメッセージが送信される。
【０４４２】
ネットワークデバイスの他の任意選択の実装については、実施形態５におけるネットワークデバイス３０１を参照されたい。処理モジュール３００１は、ネットワークデバイス３０１の処理オペレーションを実行するように構成され、送信モジュール３００２は、ネットワークデバイス３０１の送信オペレーションを実行するように構成される。
【０４４３】
処理モジュール３００１は、プロセッサによって実装されてよく、送信モジュール３００２は、送信機によって実装されてよい。
【０４４４】
ネットワークデバイスは、実施形態２９で提供される方法を実行するように構成され得る。
【０４４５】
実施形態２７
図３１は、本出願の実施形態２７による第８のタイプのネットワークデバイスの概略構造図である。図に示されるように、デバイスは、
プロセッサ３１０１であって、ネットワークデバイスが少なくとも１つのシステムメッセージを送信する必要があると決定し、決定された少なくとも１つのシステムメッセージにおける各システムメッセージについて、システムメッセージを送信するために使用される開始位置、送信周期、および繰り返しの量を決定するように構成されるプロセッサ３１０１と、
送信機３１０２であって、プロセッサ３１０１によって決定された少なくとも１つのシステムメッセージにおける各システムメッセージについて、システムメッセージを送信するために使用される決定された開始位置、送信周期、および繰り返しの量に従ってシステムメッセージを送信するように構成される送信機３１０２とを含む。
【０４４６】
システムメッセージを２回送信する間の時間間隔において、１つまたは複数の他のシステムメッセージが送信される。
【０４４７】
プロセッサ３１０１の他の任意選択の実装については、処理モジュール３００１を参照し、送信機３１０２の他の任意選択の実装については、送信モジュール３００２を参照されたい。
【０４４８】
ネットワークデバイスは、実施形態２９で提供される方法を実行するように構成され得る。
【０４４９】
実施形態２８
図３２は、本出願の実施形態２８による第７のシステムメッセージ伝送方法のフローチャートである。図に示されるように、手順は、次のステップを含む。
【０４５０】
Ｓ３２０１：第１の端末デバイスが、少なくとも１つのシステムメッセージが受信される必要があると決定する。
【０４５１】
Ｓ３２０２：少なくとも１つのシステムメッセージにおける各システムメッセージについて、第１の端末デバイスが、ネットワークデバイスによってシステムメッセージを送信するために使用される開始位置、送信周期、および繰り返しの量を決定する。
【０４５２】
Ｓ３２０３：少なくとも１つのシステムメッセージにおける各システムメッセージについて、第１の端末デバイスが、ネットワークデバイスによってシステムメッセージを送信するために使用される決定された開始位置、送信周期、および繰り返しの量に従ってシステムメッセージを受信する。
【０４５３】
システムメッセージを２回送信する間の時間間隔において、１つまたは複数の他のシステムメッセージがネットワークデバイスによって送信される。
【０４５４】
方法の他の任意選択の実装については、実施形態５における端末デバイス３０２のオペレーションを参照されたい。
【０４５５】
実施形態２９
図３３は、本出願の実施形態２９による第８のシステムメッセージ伝送方法のフローチャートである。図に示されるように、手順は、次のステップを含む。
【０４５６】
Ｓ３３０１：ネットワークデバイスが、少なくとも１つのシステムメッセージが送信される必要があると決定する。
【０４５７】
Ｓ３３０２：少なくとも１つのシステムメッセージにおける各システムメッセージについて、ネットワークデバイスが、システムメッセージを送信するために使用される開始位置、送信周期、および繰り返しの量を決定する。
【０４５８】
Ｓ３３０３：少なくとも１つのシステムメッセージにおける各システムメッセージについて、ネットワークデバイスが、システムメッセージを送信するために使用される決定された開始位置、送信周期、および繰り返しの量に従ってシステムメッセージを送信する。
【０４５９】
システムメッセージを２回送信する間の時間間隔において、１つまたは複数の他のシステムメッセージが送信される。
【０４６０】
方法の他の任意選択の実装については、実施形態５におけるネットワークデバイス３０１のオペレーションを参照されたい。
【０４６１】
結論として、一態様により、本出願は、システムメッセージ更新ソリューションを提供するということである。このソリューションにおいて、ネットワークデバイスは、指示情報を送信される第１のシステムメッセージに追加し、第１のシステムメッセージを受信した後に、端末デバイスは、指示情報に従って第１のシステムメッセージ以外のシステムメッセージを更新する。第１のシステムメッセージは、周期的に送信され、固定された物理リソースロケーションを占有する。
【０４６２】
このソリューションにおいて、指示情報は、ページングメッセージの代わりに第１のシステムメッセージで送信される。端末デバイスは、指示情報に従って第１のシステムメッセージ以外のシステムメッセージを更新し、それによって、すべてのシステムメッセージを更新し得る。システムメッセージの変化がページングメッセージを使用することによって知られる現在のソリューションと比較して、端末デバイスがシステムメッセージの変化を示すために使用されるページングメッセージを受信することに失敗することがあり、かつ端末デバイスのＤＲＸサイクルがシステムメッセージ修正周期よりも長いためにシステムメッセージを更新することがさらにできないということが回避される。
【０４６３】
他の態様によれば、本出願は、他のシステムメッセージ更新ソリューションを提供する。このソリューションにおいて、ネットワークデバイスによって送信されるシステムメッセージは、第１のシステムメッセージ、第２のシステムメッセージ、および少なくとも１つの第３のシステムメッセージを含む。第１のシステムメッセージは、周期的に送信され、固定された物理リソースロケーションを占有し、第２のシステムメッセージは、少なくとも１つの第３のシステムメッセージのスケジューリング情報を含み、少なくとも１つの第３のシステムメッセージは、ページング関係のシステムメッセージを含む。第１のシステムメッセージを送信するときに、ネットワークデバイスは指示情報を第１のシステムメッセージに追加し、指示情報は、第３のシステムメッセージにおけるページング関係のシステムメッセージが更新されるかどうかを示すために使用される。指示情報が、ページング関係のシステムメッセージが更新されないことを示す場合に、端末デバイスは、記録されたページング関係のシステムメッセージに従ってページングメッセージを受信し、受信されたページングメッセージ内のシステムメッセージ更新に関係する指示情報に従ってシステムメッセージを更新する。
【０４６４】
このソリューションにおいて、ネットワークデバイスによって周期的に送信される第１のシステムメッセージは、ページング関係のシステムメッセージが更新されるかどうかを示す。ページング関係のシステムメッセージが更新されない場合、端末デバイスは、それでも、通常、記録されたページング関係のシステムメッセージに従ってページングメッセージを受信し、ページングメッセージからシステムメッセージ更新に関係する指示情報をさらに取得し、ページングメッセージから取得された指示情報に従ってシステムメッセージを更新し得る。このようにして、ＤＲＸサイクルがシステムメッセージ更新周期よりも長い場合であっても、ページングメッセージに関係するシステムメッセージが更新されないことが知られるので、端末デバイスは、それでも、記録されたページング関係のシステムメッセージに従ってページングメッセージを正しく受信し、ページングメッセージからシステムメッセージ更新に関係する指示情報を成功裡に取得し、システムメッセージを成功裡に更新することができる。
【０４６５】
なおも他の態様によれば、本出願は、なおも他のシステムメッセージ更新ソリューションを提供する。このソリューションは、ページングメッセージが正常に受信されることができるシナリオに適用される。たとえば、システムメッセージ更新周期は、ＤＲＸサイクルの整数倍である。このソリューションでは、ネットワークデバイスがページングメッセージを送信するときに、第１のシステムメッセージ、第２のシステムメッセージ、および少なくとも１つの第３のシステムメッセージについて、ページングメッセージで運ばれるシステムメッセージ更新指示情報は、第１の端末デバイスがシステムメッセージを更新する必要があるかどうかを指示し、端末デバイスは、システムメッセージ更新指示情報に従ってシステムメッセージを更新する。第１のシステムメッセージは、周期的に送信され、固定された物理リソースロケーションを占有し、第２のシステムメッセージは、少なくとも１つの第３のシステムメッセージのスケジューリング情報を含む。
【０４６６】
このソリューションにおいて、各システムメッセージに対する指示情報はページングメッセージで運ばれ、指示情報は対応するシステムメッセージが更新される必要があるかどうかを示すために使用される。端末デバイスは、各指示情報の特定のステータスに従って、システムメッセージをどのように更新するかを決定し得る。たとえば、第２のシステムメッセージの指示情報が、第２のシステムメッセージが更新される必要がないことを示す場合、少なくとも１つの第３のシステムメッセージを更新するときに、端末デバイスは、第２のシステムメッセージを再び読み出すことなく記録された第２のシステムメッセージに従ってのみ更新を実行し、それによって、端末デバイスのシステムメッセージ更新効率を改善する。
【０４６７】
さらに他の態様によれば、本出願は、システムメッセージ送信ソリューションを提供する。システムメッセージを送信するときに、ネットワークデバイスは、システムメッセージを２回送信する間の時間間隔全体において１つまたは複数の他のシステムメッセージを送信する。
【０４６８】
現在、各システムメッセージは、１つのＳＩウィンドウ（ＳＩ−ｗｉｎｄｏｗ）だけで送信されることができ、システムメッセージウィンドウ内で複数回送信されてよい。システムメッセージのＳＩウィンドウは、他のシステムメッセージのＳＩウィンドウに隣接している。しかしながら、１つのシステムメッセージしか、１つのＳＩウィンドウで送信されることができない。ＳＩウィンドウでシステムメッセージを受信した後、端末デバイスは、次のＳＩウィンドウが次のシステムメッセージを受信するのを待つ必要がある。本出願で提供されるソリューションにおいて、ネットワークデバイスは、システムメッセージを２回繰り返し送信する処理の際に他のシステムメッセージをさらに送信する。このケースでは、システムメッセージを受信した後、端末デバイスは、システムメッセージウィンドウを待つことなく他のシステムメッセージを受信し、それによってシステムメッセージ更新効率を改善し得る。
【０４６９】
当業者であれば、本発明の実施形態が方法、システム、またはコンピュータプログラム製品として提供され得ることを理解するであろう。したがって、本発明では、ハードウェアのみの実施形態、ソフトウェアのみの実施形態、またはソフトウェアとハードウェアとの組合せによる実施形態の形態を使用し得る。さらに、本発明は、コンピュータ使用可能プログラムコードを含む１つまたは複数のコンピュータ使用可能記憶媒体（限定はしないが、ディスクメモリ、ＣＤ−ＲＯＭ、光メモリ、および同様のものを含む）上に実装されるコンピュータプログラム製品の形態を使用し得る。
【０４７０】
本発明は、本発明の実施形態による方法、デバイス（システム）、およびコンピュータプログラム製品のフローチャートおよび／またはブロック図を参照しつつ説明される。フローチャートおよび／またはブロック図内の各処理および／または各ブロック、ならびにフローチャートおよび／またはブロック図内の処理および／またはブロックの組合せを実装するためにコンピュータプログラム命令が使用され得ることが理解されるであろう。これらのコンピュータプログラム命令は、マシンを生成するために汎用コンピュータ、専用コンピュータ、組み込みプロセッサ、または任意の他のプログラム可能データ処理デバイスのプロセッサに対して提供されてよく、これにより、コンピュータまたは任意の他のプログラム可能データ処理デバイスのプロセッサによって実行される命令が、フローチャート内の１つまたは複数の処理で、および／またはブロック図内の１つまたは複数のブロックで、特定の機能を実装するための装置を生成する。
【０４７１】
コンピュータまたは任意の他のプログラム可能データ処理デバイスに特定の様式で動作することを指令することができるこれらのコンピュータプログラム命令は、コンピュータ可読メモリ内に記憶されてよく、これにより、コンピュータ可読メモリ内に記憶される命令は命令装置を含むアーチファクトを生成する。命令装置は、フローチャート内の１つまたは複数の処理で、および／またはブロック図内の１つまたは複数のブロックで、特定の機能を実装する。
【０４７２】
これらのコンピュータプログラム命令は、コンピュータまたは他のプログラム可能データ処理デバイス上にロードされてよく、これにより、コンピュータまたは他のプログラム可能デバイス上で一連のオペレーションおよびステップが実行され、それによって、コンピュータ実装処理を生成する。したがって、コンピュータまたは他のプログラム可能デバイス上で実行される命令は、フローチャート内の１つまたは複数の処理で、および／またはブロック図内の１つまたは複数のブロックで、特定の機能を実装するためのステップを提供する。
【０４７３】
本発明のいくつかの実施形態が説明されたが、当業者であれば、基本的な発明概念を学習したら、これらの実施形態に対して変更および修正を加えることができる。したがって、以下の請求項は、実施形態ならびに本発明の範囲内に収まるすべての変更および修正を対象とすると解釈されることを意図される。
【０４７４】
明らかに、当業者であれば、本発明の実施形態の範囲から逸脱することなく、本発明の実施形態に対し様々な修正および変更を加えることができる。本発明は、以下の請求項およびそれらの均等の技術によって定義された保護の範囲内にある限りこれらの修正および変更も対象とすることを意図される。
【国際調査報告】
2019500770.tif 000055
2019500770.tif 000056
2019500770.tif 000057
2019500770.tif 000058